(57)【要約】  光源から放出される光でより高い効率で原稿を照明することが可能な原稿照明方法及び原稿照明装置等を提供する。光源から放出される光で原稿を照明する原稿照明方法は、少なくとも第一の方向に配置された複数の光源から放出される光を重畳させて、該重畳された光で原稿を照明すること、及び、該複数の光源から放出される光の光束を、該第一の方向において、該複数の光源における相互に隣接する光源の間の間隔の二倍以上に拡散させることを含む。光源から放出される光で原稿を照明する原稿照明装置は、少なくとも第一の方向に配置された複数の光源、及び、該複数の光源から放出される光を重畳させて、該重畳された光で原稿を照明すると共に、該複数の光源から放出される光の光束を、該第一の方向において、該複数の光源における相互に隣接する光源の間の間隔の二倍以上に拡散させる光学系を含む。
2008032588.tif 000002
【特許請求の範囲】
【請求項１】
光源から放出される光で原稿を照明する原稿照明方法において、
少なくとも第一の方向に配置された複数の光源から放出される光を重畳させて、該重畳された光で原稿を照明すること、及び、該複数の光源から放出される光の光束を、該第一の方向において、該複数の光源における相互に隣接する光源の間の間隔の二倍以上に拡散させることを含むことを特徴とする原稿照明方法。
【請求項２】
前記複数の光源から放出される光の光束の少なくとも一部を、前記第一の方向と垂直な第二の方向において、収束させることをさらに含むことを特徴とする請求項１に記載の原稿照明方法。
【請求項３】
光源から放出される光で原稿を照明する原稿照明装置において、
少なくとも第一の方向に配置された複数の光源、及び、該複数の光源から放出される光を重畳させて、該重畳された光で原稿を照明すると共に、該複数の光源から放出される光の光束を、該第一の方向において、該複数の光源における相互に隣接する光源の間の間隔の二倍以上に拡散させる光学系を含むことを特徴とする原稿照明装置。
【請求項４】
光源から放出される光で原稿を照明する原稿照明装置を含むと共に該原稿照明装置によって照明された該原稿の画像を読み取る画像読取装置において、
該原稿照明装置は、少なくとも第一の方向に配置された複数の光源、及び、該複数の光源から放出される光を重畳させて、該重畳された光で原稿を照明すると共に、該複数の光源から放出される光の光束を、該第一の方向において、該複数の光源における相互に隣接する光源の間の間隔の二倍以上に拡散させる光学系を含むことを特徴とする画像読取装置。
【請求項５】
少なくとも第一の方向に配置された複数の光源、及び、該複数の光源から放出される光を重畳させて、該重畳された光で原稿を照明すると共に、該複数の光源から放出される光の光束を、該第一の方向において、該複数の光源における相互に隣接する光源の間の間隔以上に拡散させる照明光学系を含む原稿照明装置、
該原稿照明装置によって照明された原稿から散乱又は反射された光を結像させる結像光学系、並びに、
該結像光学系によって結像された画像を撮像する撮像素子
を含む、該原稿の画像を読み取る画像読取装置において、
該複数の光源は、該原稿における該原稿を照明する光の照度分布特性が、該撮像素子に該結像光学系によって結像される画像の明度の分布特性と逆であるように、配置されることを特徴とする画像読取装置。
【発明の詳細な説明】
【技術分野】
【０００１】
本発明は、原稿照明方法、原稿照明装置、及び画像読取装置に関する。
【背景技術】
【０００２】
従来、画像読取装置に関する様々な技術が提案されている。【０００３】
例えば、特許文献１には、光源により照明した原稿からの反射光を結像レンズで撮像素子に結像させ、前記原稿の画像を読み取る画像読取装置であって、前記撮像素子から前記結像レンズを見たときに該結像レンズの有効瞳の一部に重なる位置に前記光源が設けられていることを特徴とする画像読取装置が、開示されている。【０００４】
また、特許文献２には、１次元光源で原稿面を照明し、この原稿を走査することによって１次元撮像素子と結像レンズによって線順次に原稿画像を読み取る画像読み取り装置において、前記撮像素子と前記結像レンズの間に前記１次元光源からの光を前記結像レンズに導くハーフミラーを設置し、前記原稿面の垂線と前記結像レンズによる読み取り光軸が一致しないように光学系を構成することを特徴とする画像読み取り装置が、開示されている。【０００５】
ここで、特許文献１及び２に開示されるような、縮小光学系を有する一般的な画像読取装置の例を、図１を参照して、説明する。【０００６】
図１（ａ）及び（ｂ）は、それぞれ、一般的な画像読取装置の概略図及びその副走査方向における画像読取装置の断面図である。【０００７】
画像読取装置（１００）においては、シート及び本のような原稿（１０７）は、透明ガラスのコンタクトガラス（原稿台）（１０８）上に置かれ、照明ランプ（１０９）からの光及び照明ランプ（１０９）から漏れた光を受けたリフレクタ（１１０）からの反射光が、原稿（１０７）の撮像領域（Ａｉ）に照射される。照明ランプ（１０９）は、例えば、冷陰極管であり、その管壁の一部分が、窓である。照明ランプ（１０９）の光は、その窓を通じて、原稿（１０７）の撮像領域（Ａｉ）に照射される。第１走行体（１０３）は、照明ランプ（１０９）、リフレクタ（１１０）、及び変向ミラー（１１２）を一体に有し、第２走行体（１０４）は、折り返しミラーＡ（１１１ａ）及び折り返しミラーＢ（１１１ｂ）を有する。そして、撮像領域（Ａｉ）からの反射光が、第１走行体（１０３）内の変向ミラー（１１２）、第２走行体（１０４）内の折り返しミラーＡ（１１１ａ）及び折返しミラーＢ（１１１ｂ）で反射されて、結像レンズ（１０２）によって、１次元撮像素子（１０１）に結像させられる。なお、折り返しミラーＡ（１１１ａ）及び折り返しミラーＢ（１１１ｂ）は、変向ミラー（１１２）からの反射光の画像の向きを維持する。また、結像レンズ（１０２）は、一般には、鏡筒によって一体化された複数のレンズを含む光学系である。このようにして、上記１次元撮像素子（１０１）は、ライン状の撮像領域（Ａｉ）の１次元的な画像を取得すると共に電気信号に変換する。１次元撮像素子（１０１）においてこの１次元的な画像を取得する方向を主走査方向（Ｓｘ）と呼ぶ。また、結像レンズ（１０２）及び１次元撮像素子を含む系を、読取ユニットと呼ぶことがある。【０００８】
また、この画像読取装置（１００）では、上記第１走行体（１０３）及び上記第２走行体（１０４）が、モータ（１０５）による駆動力を、駆動伝達手段（１０６）を通じて受け、第１走行体（１０３）は、第２走行体（１０４）の速度の２倍である速度で走行する。その結果、コンタクトガラス（１０８）面に対する結像レンズ（１０２）の結像位置が、１次元撮像素子（１０１）面に維持されつつ、光が、コンタクトガラス（１０８）面において、ライン状の撮像領域（Ａｉ）と垂直な方向に且つコンタクトガラス（１０８）と平行に、走行する。このようにして、コンタクトガラス（１０８）上に置かれた原稿（１０７）の画像を、１次元撮像素子（１０１）にて順次読み出して、２次元に取得する。ここで、原稿（１０７）の読み取り領域は、１次元撮像素子（１０１）によって読み取られる範囲と第２走行体（１０４）の走行距離との積になる。なお、コンタクトガラス（１０８）に平行に上記第１走行体（１０３）及び上記第２走行体（１０４）が走行する方向を、副走査方向（Ｓｙ）と呼ぶ。副走査方向（Ｓｙ）は、主走査方向（Ｓｘ）と直交する。【０００９】
通常、１次元撮像素子として１次元ＣＣＤ（単にＣＣＤと呼ぶこともある）が用いられ、結像レンズ（１０２）は、コンタクトガラス（１０８）の面上の画像を縮小して、その縮小された画像を１次元撮像素子（１０１）上に結像する。【００１０】
また、上記第１走行体（１０３）及び上記第２走行体（１０４）の走行速度の比は、２：１に設定されるので、第２走行体（１０４）の移動距離は、第１走行体（１０３）の移動距離の半分であり、撮像領域（Ａｉ）から結像レンズ（１０２）又は１次元撮像素子（１０１）までの距離は、第１走行体（１０３）及び第２走行体（１０４）の位置によらず、一定である。【００１１】
通常、モノクロスキャナーでは、１個の１次元ＣＣＤを用いており、スキャナの画像解像度は、ＤＰＩ（ドット／ｉｎｃｈ）で表され、デジタルＰＰＣに搭載されるスキャナの画像解像度は、しばしば、４００〜６００ＤＰＩである。一方、カラースキャナでは、Ｒ（赤色）、Ｇ（緑色）又はＢ（青色）の光のスペクトルに感度を有する三個の１次元ＣＣＤを用いており、それらのＣＣＤから原稿までの光路長を共通にしている。しかしながら、（赤色）、Ｇ（緑色）又はＢ（青色）用のカラーフィルターを備えた３ラインのＣＣＤを副走査方向（Ｓｙ）に配置した３ラインＣＣＤを撮像素子として用いることもある。この場合、各画素列の間の距離は、ＣＣＤ画素の主走査読取領域の４〜８ドット程度であり、各画素列は、必ずしも一体化されてない。よって、３ラインＣＣＤを上記画像読取装置の撮像素子として用いた場合、ＲＧＢのＣＣＤ画素のそれぞれに対応する原稿の読取位置は、副走査方向（Ｓｙ）で異なるため、原稿を照明する光を、それぞれの色に対応する読取位置に照射する必要がある。【００１２】
しかしながら、上述したような画像読取装置は、いくつかの問題点を有する。【００１３】
図２は、画像読取装置における原稿の照明に関する問題点の一つを説明する図である。【００１４】
画像読取装置の第１走行体に搭載された冷陰極管の照明ランプ（２０１）において発生した光は、蛍光面（２０２）で反射されて、冷陰極管の開口部（２０３）を通じて、照明光（２０４）として放出される。照明ランプ（２０１）から放出された照明光（２０４）は、コンタクトガラス（２０５）に置かれた原稿の撮像領域（Ａｉ）を直接照明するか又は第１走行体に搭載されたリフレクタ（２０６）によって反射されて、原稿の撮像領域（Ａｉ）を照明する。なお、図２に、撮像領域（Ａｉ）付近における照明光（２０４）の照度分布（Ｄｉ）を示す。【００１５】
しかしながら、第１走行体に搭載された冷陰極管の照明ランプ（２０１）及びリフレクタ（２０６）によって撮像領域（Ａｉ）を照明する照明光は、冷陰極管の照明ランプ（２０１）において発生する光の光量の１％未満であり、照明ランプ（２０１）及びリフレクタ（２０７）によって撮像領域（Ａｉ）を照明する効率は、非常に低い。副走査方向（Ｓｙ）における撮像領域（Ａｉ）の長さは、１ラインＣＣＤを用いる場合には、０．１ｍｍ程度の幅であり、カラー原稿を読み取るための３ラインＣＣＤを用いる場合には、１ｍｍ程度である。にもかかわらず、副走査方向（Ｓｙ）における照明光（２０４）の照度分布（Ｄｉ）は、撮像領域（Ａｉ）を中心に、数十ｍｍの広い範囲に広がっている。【００１６】
また、照明ランプ（２０１）の冷陰極管それ自体及びその（高電圧を発生させる）点灯装置の構成が複雑である。【００１７】
図３は、画像読取装置における原稿の照明に関する別の問題点を説明する図である。図３に示すように、コンタクトガラス（３０１）に置かれたブック原稿（３０２）を読み取る際に、リフレクタからの反射光による照度よりも照明ランプから直接照明される照明光（３０３）による照度が数倍も高いので、ブック原稿（３０２）の中央部分（３０４）の読取位置においては、照度が不足し、ブック原稿（３０２）の中央部分（３０４）が、黒い画像として読み取られる部分（Ａｄ）が生ずることがある。【００１８】
ところで、撮像領域（Ａｉ）を照明する効率を改善するために、光源にＬＥＤ（発光ダイオード）を用いる方法が、検討されてきた。【００１９】
図４は、複数のＬＥＤで構成された光源及びその光源による照明を説明する図である。図４（ａ）は、光源を構成する単一のＬＥＤチップを示す図である。図４（ｂ）は、複数のＬＥＤで構成された光源の構成を説明する図である。図４（ｃ）は、複数のＬＥＤで構成された光源によって照明された撮像領域（Ａｉ）における照度分布を説明する図である。【００２０】
ここでは、図４（ａ）に示すような、長手方向（Ｖｌ）及び短手方向（Ｖｓ）を備えた長方形に切り出されたＬＥＤチップを用いる。図４（ｂ）に示すように、図４（ａ）に示すようなＬＥＤチップの長手方向（Ｖｌ）に、複数のＬＥＤチップを整列させて、光源を形成する。光源は、複数のＬＥＤが整列させられた方向（複数のＬＥＤの長手方向）が、一次元撮像素子の主走査方向（Ｓｘ）であるように、且つ、複数のＬＥＤの短手方向が、一次元撮像素子の副走査方向（Ｓｙ）であるように、配置される。このような整列された複数のＬＥＤで構成される光源を用いて、照明対象領域（Ａｉ）を照明する。【００２１】
しかしながら、このような方法は、個々のＬＥＤの間の発光量の差が、直接、光源による照明光の照度むらの発生を引き起こす。ここで、若干の照度むらを補正する技術としては、シェーディング補正が知られている。すなわち、一次元撮像素子による走査を開始する前に、主走査方向（Ｓｘ）について全白部分を一度読み取り、読み取られた全白部分における明度分布を基準にして、実際に読み取られた原稿の明度分布を、電気的に補正することができる。しかしながら、ＬＥＤの製造上の理由から、ＬＥＤの発光効率においては、二倍以上のバラツキが生じることが、知られている。図４（ｃ）に示すように、二倍以上のバラツキを備えた発光効率を有する複数のＬＥＤを光源として用いると、撮像領域（Ａｉ）において平坦である理想的な照度分布（Ｉｄｅａｌ＿Ｄｉ）に対して、より高い照度ｈ１で照明される部分及びより低い照度ｈ２で照明される部分が存在する。そして、照度ｈ２に対する照度ｈ１の比は、二倍以上になることがある。このような照度分布（Ａｃｔｕａｌ＿Ｄｉ）の変動は、複数のＬＥＤの全体にわたって頻繁に生ずるので、照度分布（Ａｃｔｕａｌ＿Ｄｉ）の変動を解消するためには、電気的な増幅器を用いて、一次元撮像素子によって得られた信号に二倍以上の増幅率の変化を与えることになる。その結果、より低い照度で照明された部分についての信号は、大きさノイズを含む信号となり、読み取られた信号の品質を低下させることになる。一方、発光効率のバラツキの無い又は少ない複数のＬＥＤを選択的に用いて、光源を形成することも考えられる。しかしながら、発光効率のバラツキの無い又は少ない複数のＬＥＤを選別することは、複数のＬＥＤで構成される光源の歩留まりを大きく低下させ、数倍のコストアップをもたらすことになる。
【特許文献１】特開２００５−２０４２７２号公報
【特許文献２】特開２００５−２４２２６３号公報
【発明の開示】
【発明が解決しようとする課題】
【００２２】
本発明の第一の目的は、光源から放出される光でより高い効率で原稿を照明することが可能な原稿照明方法を提供することである。【００２３】
本発明の第二の目的は、光源から放出される光でより高い効率で原稿を照明することが可能な原稿照明装置を提供することである。【００２４】
本発明の第三の目的は、光源から放出される光でより高い効率で原稿を照明することが可能な原稿照明装置によって照明された該原稿の画像を読み取る画像読取装置を提供することである。
【課題を解決するための手段】
【００２５】
本発明の第一の態様は、光源から放出される光で原稿を照明する原稿照明方法において、少なくとも第一の方向に配置された複数の光源から放出される光を重畳させて、該重畳された光で原稿を照明すること、及び、該複数の光源から放出される光の光束を、該第一の方向において、該複数の光源における相互に隣接する光源の間の間隔の二倍以上に拡散させることを含むことを特徴とする原稿照明方法である。【００２６】
本発明の第二の態様は、光源から放出される光で原稿を照明する原稿照明装置において、少なくとも第一の方向に配置された複数の光源、及び、該複数の光源から放出される光を重畳させて、該重畳された光で原稿を照明すると共に、該複数の光源から放出される光の光束を、該第一の方向において、該複数の光源における相互に隣接する光源の間の間隔の二倍以上に拡散させる光学系を含むことを特徴とする原稿照明装置である。【００２７】
本発明の第三の態様は、光源から放出される光で原稿を照明する原稿照明装置を含むと共に該原稿照明装置によって照明された該原稿の画像を読み取る画像読取装置において、該原稿照明装置は、少なくとも第一の方向に配置された複数の光源、及び、該複数の光源から放出される光を重畳させて、該重畳された光で原稿を照明すると共に、該複数の光源から放出される光の光束を、該第一の方向において、該複数の光源における相互に隣接する光源の間の間隔の二倍以上に拡散させる光学系を含むことを特徴とする画像読取装置である。【００２８】
本発明の第四の態様は、少なくとも第一の方向に配置された複数の光源、及び、該複数の光源から放出される光を重畳させて、該重畳された光で原稿を照明すると共に、該複数の光源から放出される光の光束を、該第一の方向において、該複数の光源における相互に隣接する光源の間の間隔以上に拡散させる照明光学系を含む原稿照明装置、該原稿照明装置によって照明された原稿から散乱又は反射された画像を結像させる結像光学系、並びに、該結像光学系によって結像された光を撮像する撮像素子を含む、該原稿の画像を読み取る画像読取装置において、該複数の光源は、該原稿における該原稿を照明する光の照度分布特性が、該撮像素子に該結像光学系によって結像される画像の明度の分布特性と逆であるように、配置されることを特徴とする画像読取装置である。
【発明の効果】
【００２９】
本発明の第一の態様によれば、光源から放出される光でより高い効率で原稿を照明することが可能な原稿照明方法を提供することができる。【００３０】
本発明の第二の態様によれば、光源から放出される光でより高い効率で原稿を照明することが可能な原稿照明装置を提供することができる。【００３１】
本発明の第三の態様によれば、光源から放出される光でより高い効率で原稿を照明することが可能な原稿照明装置によって照明された該原稿の画像を読み取る画像読取装置を提供することができる。【００３２】
本発明の第四の態様によれば、光源から放出される光でより高い効率で原稿を照明することが可能な原稿照明装置によって照明された該原稿の画像を読み取る画像読取装置を提供することができる。
【図面の簡単な説明】
【００３３】
【図１】（ａ）及び（ｂ）は、それぞれ、一般的な画像読取装置の概略図及びその副走査方向における画像読取装置の断面図である。
【図２】画像読取装置における原稿の照明に関する問題点の一つを説明する図である。
【図３】画像読取装置における原稿の照明に関する別の問題点を説明する図である。
【図４】複数のＬＥＤで構成された光源及びその光源による照明を説明する図である。
【図５】本発明の第一の実施例による照明方法及び照明装置の例を説明する図である。
【図６】本発明の第二の実施例による画像読取装置の例を説明する図である。
【図７】本発明の第三の実施例による画像読取装置の例を説明する図である。
【図８】本発明の第三の実施例による画像読取装置の変形例を説明する図である。
【図９】回転放物面鏡を用いてＬＥＤから拡散する光束を平行光に変換する手段を説明する図である。
【図１０】凸レンズを用いてＬＥＤから拡散する光束を平行光に変換する手段を説明する図である。
【図１１】本発明の第四の実施例による照明装置の一つの例を説明する図である。
【図１２】本発明の第四の実施例による照明装置の別の例を説明する図である。
【図１３】本発明の第四の実施例による照明装置及び画像読取装置の一つの例を説明する図である。
【図１４】本発明の第四の実施例による照明装置及び画像読取装置の別の例を説明する図である。
【図１５】本発明の第五の実施例による照明方法及び照明装置の例を説明する図である。
【図１６】本発明の第六の実施例による照明方法及び画像読取装置の例を説明する図である。
【図１７】本発明の第七の実施例による照明方法及び照明装置の一つの例を説明する図である。
【図１８】本発明の第七の実施例による照明装置の別の例を説明する図である。
【図１９】本発明の第八の実施例による照明装置の例を説明する図である。
【図２０】本発明の第九の実施例による画像読取装置の例を説明する図である。
【図２１】本発明の第十の実施例による画像読取装置の例を説明する図である。
【図２２】縮小光学系を用いた画像読取装置における撮像領域での照度分布及びＣＣＤ上での縮小光学系の相対明度の関係を説明する図である。
【図２３】一次元ＣＣＤに結像される画像の相対明度が一定となるような、撮像領域を照明する複数の光源の配置間隔を決定する方法を説明する図である。
【図２４】一次元ＣＣＤに結像される画像の相対明度が一定となるような、撮像対象領域を照明する複数の光源の具体的な配置を説明する図である。
【図２５】一定照度で照明された撮像対象領域を結像レンズによって一次元ＣＣＤ上に結像される画像の相対明度の具体例、及び、一次元ＣＣＤ上に結像される画像の相対明度が一定になるように撮像対象領域を照明する場合の目標照度分布（要求照度分布）の具体例を示す図である。
【図２６】照明対象領域（撮像対象領域）を照明する目標相対照度に向けてシミュレーションした結果を示す図である。
【図２７】複数の光源の間隔を調整することによって、撮像領域を照明する光の照度分布を１／ｃｏｓ４θの特性に一致させる照明装置を実現するための概念図である。
【図２８】一次元ＣＣＤに結像される画像の相対明度が一定となるような、撮像対象領域を照明する複数の光源の具体的な配置を説明する図である。
【図２９】本発明の第１２の実際例における相対照度についてのシミュレーション結果を示す図である。
【図３０】複数の光源の各々から撮像領域までの距離を調整することによって、撮像領域を照明する光の照度分布を１／ｃｏｓ４θの特性に一致させる照明装置を実現するための概念図である。
【図３１】光源から放出される光の放射特性を変化させる方法の例を説明する図である。
【図３２】一次元ＣＣＤに結像される画像の相対照度が一定となるような、撮像領域を照明する複数の光源の配置の別の例を説明する図である。
【図３３】複数の光源から放出される光の放射特性を調整することによって、撮像領域を照明する光の照度分布を１／ｃｏｓ４θの特性に一致させる照明装置を実現するための概念図である。
【図３４】複数の光源の各々から撮像領域までの距離を調整することによって、撮像領域を照明する光の照度分布を１／ｃｏｓ４θの特性に近似する照明装置を実現するための概念図である。
【図３５】一次元ＣＣＤに結像される画像の相対明度が一定となるような、撮像対象領域を照明する複数の光源の具体的な配置を説明する図である。
【図３６】複複数の光源の各々から撮像領域までの距離の調整及び複数の光源から放出される光の放射特性の調整の両方によって、撮像領域を照明する光の照度分布を１／ｃｏｓ４θの特性に一致させる照明装置を実現するための概念図である。
【図３７】一次元ＣＣＤに結像される画像の相対明度が一定となるような、撮像対象領域を照明する複数の光源の具体的な配置を説明する図である。
【図３８】本発明の第１６の実際例における相対照度と目標の照度分布との差分についてのシミュレーション結果を示す図である。
【図３９】複数の光源から放出される光の照明光軸の角度を調整することによって、撮像領域を照明する光の照度分布を１／ｃｏｓ４θの特性に一致させる照明装置を実現するための概念図である。
【図４０】凹シリンダレンズを用いて光源から仮想光源を形成することを説明する図である。
【図４１】本発明の実施形態及び実施例に用いることができる光学部品を説明する図である。
【図４２】本発明の実施形態及び実施例に用いることができる光学部品を説明する図である。
【符号の説明】
【００３４】
１…ＬＥＤ（又はＬＥＤチップ）、２ａ…回転放物面鏡、２ｂ…回転楕円面鏡、２ｃ…凸レンズ、２ｄ…放物面鏡、３…照明レンズ、４ａ…集束レンズ、４ｂ，４ｂ１，４ｂ２…集束ミラー、５，５ａ，５ｂ…側面鏡、６，６ａ，６ｂ…折り返しミラー、７…プリズム、８…凹シリンダ、１０…照明ユニット、１１…第一走行体、１１ａ…走行体、１２…変向ミラー、１３…コンタクトガラス、１４…結像レンズ、１５…一次元撮像素子、１６…読み取りユニット、１７ａ，１７ｂ，１７ｃ…折り返しミラー、１８…カラーフィルター、２１…電極、２２…リード線、２３…透明樹脂、２４…フードレンズ、２５…ベース、３１…感光体、３２…紙送りローラ、３３…シート原稿、Ｓｘ…主走査方向、Ｓｙ…副操作方向、ＡｘＩ…照明光軸、ＡｘＲ…読取光軸、Ａｉ…撮像領域，照明領域，照明対象領域、Ｄｉ…照度分布、Ｖｌ…長手方向、Ｖｓ…短手方向、ＶＬＳ…虚光源，仮想光源。
【発明を実施するための最良の形態】
【００３５】
次に、本発明の実施の形態を図面と共に説明する。【００３６】
本発明の実施形態は、原稿面照明方法、（原稿）照明装置、及び、それを用いた画像読取装置に関する。本発明の実施形態は、例えば、本発明の実施形態は、複写機又はファクシミリの原稿面を照射する照明方法及び照明装置、デジタルＰＰＣ（普通紙複写機）などに搭載される固体撮像素子、結像レンズ、及び照明装置を搭載した（フィルムスキャナ及びハンディスキャナのような）画像読取装置とそのための照明装置に関する。【００３７】
本発明の第一の実施形態は、光源からの光によって照明された原稿面からの散乱光を結像レンズによって感光体又は撮像素子に結像させて、原稿面の画像における画像形成対象位置での一次元画像を形成し、原稿面の画像形成対象位置を、一次元画像に沿った方向（主走査方向）と直角な方向（副走査方向）に順次移動させることによって、原稿面の画像における二次元の画像を形成する、画像形成装置用の原稿面照明方法において、少なくとも一次元画像に沿った方向（主走査方向）に対応する方向に複数の光源を配置し、複数の光源から放出される光の光束を、原稿面の一次元画像に沿った方向において、隣接する光源の間隔の二倍以上の範囲に拡散させることを特徴とする画像形成装置用の原稿面照明方法である。【００３８】
本発明の第二の実施形態は、光源からの光によって照明された原稿面からの散乱光を結像レンズによって感光体又は撮像素子に結像させて、原稿面の画像における画像形成対象位置での一次元画像を形成し、原稿面の画像形成対象位置を、一次元画像に沿った方向（主走査方向）と直角な方向（副走査方向）に順次移動させることによって、原稿面の画像における二次元の画像を形成する、画像形成装置用の原稿面照明方法において、少なくとも一次元画像に沿った方向（主走査方向）に対応する方向に複数の光源を配置し、複数の光源から放出される光の光束を、原稿面の一次元画像に沿った方向において、隣接する光源の間隔の二倍以上の範囲に拡散させ、複数の光源から放出される光の光束の少なくとも一部を、原稿面の一次元画像に沿った方向（主走査方向）と直角な方向（副走査方向）において、概略集束させることを特徴とする画像形成装置用の原稿面照明方法である。【００３９】
本発明の第三の実施形態は、発光手段、発光手段から発生した光によって照明された原稿面からの散乱光を撮像素子に結像させる結像手段、原稿面の画像における一次元画像を読み取る読取手段、及び、一次元画像に沿った方向（主走査方向）と直角な方向（副走査方向）に読取手段の読み取り位置を順次移動させる移動手段を用いて原稿面の画像を読み取る、画像読取装置用の照明装置において、少なくとも一次元画像に沿った方向（主走査方向）に対応する方向に配置された複数の発光手段、及び、複数の発光手段から発生した光の光束を、原稿面の一次元画像に沿った方向において、隣接する発光手段の間隔の二倍以上の範囲に拡散させる光拡散手段を有することを特徴とする画像読取装置用の照明装置である。【００４０】
本発明の第三の実施形態において、好ましくは、少なくとも一次元画像に沿った方向（主走査方向）に対応する方向に配置された複数の発光手段を挟むように、一対の反射鏡が、平行に配置される。【００４１】
本発明の第三の実施形態において、好ましくは、光拡散手段は、シリンダレンズ（又はシリンドリカルレンズ）である。【００４２】
本発明の第三の実施形態において、好ましくは、複数の発光手段の各々における光源の位置が焦点の位置である放物面鏡が、複数の発光手段の各々に対応するように配置される。【００４３】
本発明の第三の実施形態において、好ましくは、複数の発光手段の各々における光源の位置が一つの焦点の位置である楕円面鏡が、複数の発光手段の各々に対応するように配置される。【００４４】
本発明の第三の実施形態において、好ましくは、複数の発光手段の各々に対応する凸レンズが配置される。【００４５】
本発明の第三の実施形態において、好ましくは、複数の光源から放出される光の光束の少なくとも一部を、原稿面の一次元画像に沿った方向（主走査方向）と直角な方向（副走査方向）において、概略集束させる光集束手段が配置される。【００４６】
本発明の第三の実施形態において、好ましくは、発光手段は、発光ダイオード（ＬＥＤ）である。【００４７】
本発明の第四の実施形態は、光源からの光によって照明された原稿面からの散乱光を結像レンズによって撮像素子に結像させて、原稿面の画像における画像読み取り位置での一次元画像を読み取り、原稿面の画像読み取り位置を、一次元画像を読み取る方向（主走査方向）と直角な方向（副走査方向）に順次移動させると共に一次元画像の読み取りを繰り返すことによって、原稿面の画像における二次元の画像を読み取る、画像読取装置において、少なくとも一次元画像に沿った方向（主走査方向）に対応する方向に配置された複数の光源、及び、複数の光源に対応するように配置され、複数の光源から放出される光の光束を、原稿面の一次元画像に沿った方向において、隣接する光源の間隔の二倍以上の範囲に拡散させ、且つ、原稿面に重畳させる複数のレンズ（照明レンズ）を有することを特徴とする画像読取装置である。【００４８】
本発明の第五の実施形態は、光源からの光によって照明された原稿面からの散乱光を結像レンズによって撮像素子に結像させて、原稿面の画像における画像形成対象位置での一次元画像を読み取り、原稿面の画像形成対象位置を、一次元画像を読み取る方向（主走査方向）と直角な方向（副走査方向）に順次移動させると共に一次元画像の読み取りを繰り返すことによって、原稿面の画像における二次元の画像を読み取る、画像読取装置において、本発明の第三の実施形態である照明装置を有することを特徴とする画像読取装置である。【００４９】
本発明の第六の実施形態は、光源からの光によって照明された原稿面からの散乱光を結像レンズによって撮像素子に結像させて、原稿面の画像における画像形成対象位置での一次元画像を読み取り、原稿面の画像形成対象位置を、一次元画像を読み取る方向（主走査方向）と直角な方向（副走査方向）に順次移動させると共に一次元画像の読み取りを繰り返すことによって、原稿面の画像における二次元の画像を読み取る、画像読取装置において、少なくとも一次元画像に沿った方向（主走査方向）に対応する方向に配置された複数の光源、及び、複数の光源に対応するように配置され、複数の光源から放出される光の光束を、原稿面の一次元画像に沿った方向において、隣接する光源の間隔以上の範囲に拡散させ、且つ、原稿面に重畳させる複数のレンズ（照明レンズ）を有することを特徴とする画像読取装置において、複数の光源は、画像形成対象位置での原稿面における原稿面を照明する光の照度の分布特性が、撮像素子に結像レンズによって結像される画像の明度の分布特性と概略逆であるように、配置されることを特徴とする画像読取装置である。【００５０】
本発明の第六の実施形態である画像読取装置又は本発明の第六の実施形態である画像読取装置用の照明装置において、好ましくは、複数の光源の間の間隔は、画像形成対象位置での原稿面における原稿面を照明する光の照度の分布特性が、撮像素子に結像レンズによって結像される画像の明度の分布特性と概略逆であるように、設定される。【００５１】
本発明の第六の実施形態である画像読取装置又は本発明の第六の実施形態である画像読取装置用の照明装置において、好ましくは、原稿面からの複数の光源までの距離は、画像形成対象位置での原稿面における原稿面を照明する光の照度の分布特性が、撮像素子に結像レンズによって結像される画像の明度の分布特性と概略逆であるように、設定される。【００５２】
本発明の第六の実施形態である画像読取装置又は本発明の第六の実施形態である画像読取装置用の照明装置において、好ましくは、複数の光源から放出される光の光束の発散角は、画像形成対象位置での原稿面における原稿面を照明する光の照度の分布特性が、撮像素子に結像レンズによって結像される画像の明度の分布特性と概略逆であるように、設定される。【００５３】
本発明の第六の実施形態である画像読取装置又は本発明の第六の実施形態である画像読取装置用の照明装置において、複数の光源の光軸の向きは、画像形成対象位置での原稿面における原稿面を照明する光の照度の分布特性が、撮像素子に結像レンズによって結像される画像の明度の分布特性と概略逆であるように、設定される。【００５４】
なお、「画像読取装置用の照明装置」とは、画像読取装置に用いられる、少なくとも一次元画像に沿った方向（主走査方向）に対応する方向に配置された複数の光源を含むと共にそれら複数の光源からの光によって原稿面を照明する照明装置を意味する。【００５５】
また、本発明の第六の実施形態である画像読取装置又は本発明の第六の実施形態である画像読取装置用の照明装置においては、複数の光源の間の間隔、原稿面からの複数の光源までの距離、複数の光源から放出される光の光束の発散角、及び、複数の光源の光軸の向きの少なくとも二つのものの組み合わせ（例えば、原稿面からの複数の光源までの距離及び複数の光源から放出される光の光束の発散角）を、画像形成対象位置での原稿面における原稿面を照明する光の照度の分布特性が、撮像素子に結像レンズによって結像される画像の明度の分布特性と概略逆であるように、設定してもよい。【００５６】
なお、本発明の実施形態において、照明される対象としては、例えば、シート状の原稿、並びに、本及びノートのような、複数のシート状の原稿が綴じられたブック原稿が、挙げられる。また、照射面は、ある面積を備えた面である。【００５７】
本発明の実施形態の一つによれば、少なくとも一次元画像に沿った方向（主走査方向）に対応する方向に複数の光源（又は発光手段）を配置し、複数の光源から放出される光の光束を、原稿面の一次元画像に沿った方向において、隣接する光源の間隔の二倍以上の範囲に拡散させることによって、複数の光源を用いて、原稿面におけるより広い領域を照明する場合であっても、複数の光源（又は発光手段）の間における発光量の差を緩和するように、原稿面を照明することが可能となる。すなわち、原稿面の照明された領域における照度むらの減少させるように、原稿面を照明することが可能となる。よって、原稿面の一次元画像に沿った方向において、原稿面を、より均一に又はより高い効率で、照明することが可能となる。その結果、照明された原稿面から高品質な画像を得ることが可能となる。【００５８】
また、本発明の実施形態の一つによれば、複数の光源から放出される光の光束を、原稿面の一次元画像に沿った方向（主走査方向）と直角な方向（副走査方向）において、概略集束させることによって、原稿面を照明する効率を向上させることが可能となる。その結果、原稿面を照明するために必要なエネルギーを低減することが可能となる（省エネルギー）。【００５９】
さらに、本発明の実施形態の一つによれば、上記反射鏡、上記シリンダレンズ（又はシリンドリカルレンズ）、上記放物面鏡、上記楕円面鏡、及び上記凸レンズを、プラスチック成型手段によって、得ることができるので、照明装置又は画像読取装置のコストを低減することが可能となる。【００６０】
また、本発明の実施形態の一つによれば、光源に発光ダイオード（ＬＥＤ）を用いると、光源を低い電圧の直流電源によって駆動することができるので、光源の点灯回路を、非常に簡単に設けることが可能となる。その結果、照明装置又は画像読取装置のコストを低減することが可能となる。【００６１】
さらに、本発明の実施形態の一つによれば、複数の光源は、画像形成対象位置での原稿面における原稿面を照明する光の照度の分布特性が、撮像素子に結像レンズによって結像される画像の明度の分布特性と概略逆であるように、配置されるので、複数の光源から放出される光のうち原稿面を照明することなく遮断される又は捨てられる光の量を低減する又は無くすと共に撮像素子における結像レンズによって結像される画像の明度分布をより均一にすることが可能となる。その結果、光源から放出される光でより高い効率で原稿を照明することが可能なり、原稿面を照明するために必要なエネルギーを低減することが可能となる（省エネルギー）。【００６２】
また、本発明の実施形態の一つによれば、複数の光源の間の間隔は、画像形成対象位置での原稿面における原稿面を照明する光の照度の分布特性が、撮像素子に結像レンズによって結像される画像の明度の分布特性と概略逆であるように、設定されるので、複数の光源から放出される光のうち原稿面を照明することなく遮断される又は捨てられる光の量を低減する又は無くすと共に撮像素子における結像レンズによって結像される画像の照度分布をより均一にすることが可能となる。その結果、光源から放出される光でより高い効率で原稿を照明することが可能なり、原稿面を照明するために必要なエネルギーを低減することが可能となる（省エネルギー）。【００６３】
また、本発明の実施形態の一つによれば、原稿面からの複数の光源までの距離は、画像形成対象位置での原稿面における原稿面を照明する光の照度の分布特性が、撮像素子に結像レンズによって結像される画像の明度の分布特性と概略逆であるように、設定されるので、複数の光源から放出される光のうち原稿面を照明することなく遮断される又は捨てられる光の量を低減する又は無くすと共に撮像素子における結像レンズによって結像される画像の照度分布をより均一にすることが可能となる。その結果、光源から放出される光でより高い効率で原稿を照明することが可能なり、原稿面を照明するために必要なエネルギーを低減することが可能となる（省エネルギー）。【００６４】
また、本発明の実施形態の一つによれば、複数の光源から放出される光の光束の発散角は、画像形成対象位置での原稿面における原稿面を照明する光の照度の分布特性が、撮像素子に結像レンズによって結像される画像の明度の分布特性と概略逆であるように、設定されるので、複数の光源から放出される光のうち原稿面を照明することなく遮断される又は捨てられる光の量を低減する又は無くすと共に撮像素子における結像レンズによって結像される画像の照度分布をより均一にすることが可能となる。その結果、光源から放出される光でより高い効率で原稿を照明することが可能なり、原稿面を照明するために必要なエネルギーを低減することが可能となる（省エネルギー）。【００６５】
また、本発明の実施形態の一つによれば、複数の光源の光軸の向きは、画像形成対象位置での原稿面における原稿面を照明する光の照度の分布特性が、撮像素子に結像レンズによって結像される画像の明度の分布特性と概略逆であるように、設定されるので、複数の光源から放出される光のうち原稿面を照明することなく遮断される又は捨てられる光の量を低減する又は無くすと共に撮像素子における結像レンズによって結像される画像の照度分布をより均一にすることが可能となる。その結果、光源から放出される光でより高い効率で原稿を照明することが可能なり、原稿面を照明するために必要なエネルギーを低減することが可能となる（省エネルギー）。【００６６】
なお、本発明の実施形態の一つによれば、複数の光源の間の間隔、原稿面からの複数の光源までの距離、複数の光源から放出される光の光束の発散角、及び、複数の光源の光軸の向きの少なくとも二つのものの組み合わせ（例えば、原稿面からの複数の光源までの距離及び複数の光源から放出される光の光束の発散角）を、画像形成対象位置での原稿面における原稿面を照明する光の照度の分布特性が、撮像素子に結像レンズによって結像される画像の明度の分布特性と概略逆であるように、設定することによっても、複数の光源から放出される光のうち原稿面を照明することなく遮断される又は捨てられる光の量を低減する又は無くすと共に撮像素子における結像レンズによって結像される画像の照度分布をより均一にすることが可能となる。その結果、光源から放出される光でより高い効率で原稿を照明することが可能なり、原稿面を照明するために必要なエネルギーを低減することが可能となる（省エネルギー）。【００６７】
［実施例］
次に、本発明の実施形態に従った実施例を説明する。本発明の実施形態による照明方法及び照明装置は、従来の（原稿面の画像を直接感光体に投影して感光体に潜像を形成し、黒色トナー又はカラートナーによって潜像を現像して、可視画像を得る）アナログ複写機にも使用することできるが、本発明の実施例においては、ディジタル複写機又は一般にスキャナと呼ばれる画像読取装置に用いられる、照明方法及び照明装置を説明することにする。
【実施例１】
【００６８】
図５は、本発明の第一の実施例による照明方法及び照明装置の例を説明する図である。図５（ａ）は、本発明の第一の実施例による照明装置の例の上面図であり、図５（ｂ）は、本発明の第一の実施例による照明装置の例の正面図である。また、図５（ｃ）は、本発明の第一の実施例による照明方法の例によって得られる照明対象面（撮像領域）（Ａｉ）上での主走査方向（Ｓｘ）の照度分布を示す図であり、図５（ｄ）は、本発明の第一の実施例による照明方法の例によって得られる照明対象面（撮像領域）（Ａｉ）上での副走査方向の照度分布を示す図である。【００６９】
図５（ａ）及び（ｂ）に示すような、本発明の第一の実施例による照明装置は、図１（ａ）及び（ｂ）に示す従来の照明装置における照明ランプ及びリフレクタに対応する。【００７０】
まず、本発明の第一の実施例による照明装置の構成を説明する。【００７１】
図５の（ａ）及び（ｂ）に示すように、発明の第一の実施例による照明装置は、複数のＬＥＤ（１）、複数の回転放物面鏡（２ａ）、照明レンズ（３）、集束レンズ（４ａ）、並びに、側面鏡Ａ（５ａ）及び側面鏡Ｂ（５ｂ）を有する。【００７２】
複数のＬＥＤ（１）の各々は、発光ダイオードのチップであって、光源として用いられる。本発明の第一の実施例の照明装置においては、ｎ個のＬＥＤ（１）（Ｌ１〜Ｌｎ）が、主走査方向（Ｓｘ）に等間隔に配置されている。【００７３】
複数の回転放物面鏡（２ａ）は、それぞれ、複数のＬＥＤ（１）に対応して配置され、回転放物面鏡（２ａ）の焦点位置にＬＥＤ（１）の発光面を配置することによって、ＬＥＤから拡散する光の大部分を平行光に変換する。複数の回転放物面鏡（２ａ）は、ＬＥＤ（１）の発光面からＬＥＤ（１）の前面側に１８０°の角度で拡散する光束を集束する、第一の集束手段として用いられる。【００７４】
照明レンズ（３）は、本発明の第一の実施例の照明装置においては、シリンダレンズアレイである。照明レンズ（３）は、回転放物面鏡（２ａ）から射出される平行光の光束を主走査方向（Ｓｘ）に拡散させ、照明レンズ（３）によって拡散させられた光で、照明対象面（Ａｉ）（撮像領域と同一部分を指すが、照明装置を説明するときは、撮像領域を、照明対象面又は照明対象領域と称する）を照明する。ここで、照明レンズ（３）のシリンダレンズアレイを構成する個々のレンズは、完全に又は実質的に同一のシリンダレンズであり、各々のシリンダレンズの焦点距離をｆとし、シリンダレンズの配列方向（主走査方向（Ｓｘ））における各々のシリンダレンズの幅をｍとする。また、各々のシリンダレンズの幅ｍは、複数のＬＥＤ（１）における隣接するＬＥＤ（１）の間隔に等しい。そして、シリンダレンズから照明対象面（撮像領域）（Ａｉ）までの距離をｇとすると、シリンダレンズの配列方向（主走査方向（Ｓｘ））において、シリンダレンズを透過した光によって照明される照明対象面（撮像領域）（Ａｉ）上での照明範囲Ｍは、【００７５】
【数１】
2008032588.tif 000003
【００７６】
によって、表される。本発明の第一の実施例の照明装置においては、主走査方向（Ｓｘ）において、各々のシリンダレンズの幅ｍ、すなわち、複数のＬＥＤ（１）における隣接するＬＥＤ（１）の間隔に対するシリンダレンズを透過した光によって照明される照明対象面（撮像領域）（Ａｉ）上での照明範囲Ｍの比（Ｍ／ｍ）が、二倍以上である。一方、シリンダレンズの配列方向（主走査方向（Ｓｘ））と直角な方向（副走査方向（Ｓｙ））においては、シリンダレンズは、平行平面板と等価であるので、回転放物面鏡（２ａ）から射出される平行光の光束を、平行光として透過させる。【００７７】
なお、主走査方向（Ｓｘ）における照明対称面の長さをＫとすると、主走査方向（Ｓｘ）におけるシリンダレンズアレイの幅もまたＫであってもよい。また、主走査方向（Ｓｘ）におけるシリンダレンズの幅は、主走査方向（Ｓｘ）における回転放物面鏡（２ａ）の幅と完全に又は実質的に同一であることが好ましい。すなわち、【００７８】
【数２】
2008032588.tif 000004
【００７９】
であることが好ましく、ここで、ｎは、シリンダレンズアレイを構成するシリンダレンズの数である。【００８０】
集束レンズ（４ａ）は、単体のシリンダレンズであって、照明レンズ（３）を透過した光を、副走査方向（Ｓｙ）において、照明対象面（撮像領域）（Ａｉ）に集束させるように設けられる。すなわち、回転放物面鏡（２ａ）から放出された平行光は、副走査方向（Ｓｙ）においては、照明レンズ（３）によって拡散させられず、集束レンズ（４）によって、照明対象面（撮像領域）（Ａｉ）にシャープに集束させられる。集束レンズ（４）は、主走査方向（Ｓｘ）においては、平行平面板と等価であるので、照明レンズ（３）によって拡散させられた光は、集束レンズ（４）によって集束させられず、そのまま拡散する。なお、集束レンズ（４）は、集束レンズと同様の機能を有する放物面鏡で容易に代用され得る。【００８１】
加えて、集束レンズ（４）は、本発明の第一の実施例の照明装置において、必ずしも必要であるものではなく、照明レンズ（３）を透過した光を、副走査方向（Ｓｙ）において、平行光として照明対象面（撮像領域）（Ａｉ）に当ててもよい。また、集束レンズ（４）は、照明対象面（撮像領域）（Ａｉ）側の位置に配置してもよく、照明レンズ（３）側に配置させてもよい。さらには、集束レンズ（４）を、照明レンズ（３）と一体に形成することも可能である。この場合には、プラスチック成型の手段を用いることによって、照明装置に用いられる部品点数を減少させることができる。【００８２】
側面鏡Ａ（５ａ）及び側面鏡Ｂ（５ｂ）は、照明レンズ（３）のシリンダレンズアレイの両側に配置したミラーである。側面鏡Ａ（５ａ）及び側面鏡Ｂ（５ｂ）は、ＬＥＤ（１）から放出される光を、より高い効率で照明対象面（撮像領域）（Ａｉ）に照射するために設けられる。図５においては、三個のＬＥＤ（１）（Ｌ１、Ｌ２、及びＬ３）から放出された光が、側面鏡Ａ（５ａ）によって照明対象面（撮像領域）（Ａｉ）へ反射させられ、同様に、三個のＬＥＤ（１）（Ｌｎ−２、Ｌｎ−１、及びＬｎ）から放出された光が、側面鏡Ｂ（５ｂ）によって照明対象面（撮像領域）（Ａｉ）へ反射させられる。このように、側面鏡Ａ（５ａ）及び側面鏡Ｂ（５ｂ）は、これらの六個のＬＥＤ（１）が、あたかも照明装置の外側に配置されるかのように、これらの六個のＬＥＤ（１）からの光を反射させるので、照明対象面（撮像領域）（Ａｉ）の端部においても照明対象面（撮像領域）（Ａｉ）の中央部と同じように、均一な照度分布が得られる。（なお、シリンダレンズアレイから照明対象面（撮像領域）（Ａｉ）まで側面鏡を設けることが理想的であるが、実際の画像読取装置においては、原稿台としてのコンタクトガラスを回避して、側面鏡を設ける必要がある。その結果、照明対象面（撮像領域）（Ａｉ）の端部の照度が、照明対象面（撮像領域）（Ａｉ）の中央部の照度に対比して、若干低下する。それに応じて、主走査方向（Ｓｘ）における照明装置の全体の幅を、広げる必要があるが、側面鏡Ａ（５ａ）及び側面鏡Ｂ（５ｂ）を設けた場合における照明装置の全体の幅の変動量は、側面鏡を用いない場合における照明装置の全体の幅の変動量に対して極めてわずかなものである。）
次に、本発明の第一の実施例による照明装置を用いた、本発明の第一の実施例による照明方法を説明する。【００８３】
図５（ａ）及び（ｃ）に示すように、主走査方向（Ｓｘ）において、複数のＬＥＤ（１）の一つ（Ｌ４）から放出された光は、Ｌ４に対応する回転放物面鏡（２ａ）によって反射され、概略平行光として射出される。Ｌ４に対応する回転放物面鏡（２ａ）から射出された光は、Ｌ４に対応する、照明レンズ（３）を構成するシリンダレンズに入射する。そのシリンダレンズを透過した光は、シリンダレンズの焦点距離ｆの位置で一旦集束させられるが、シリンダレンズの焦点距離ｆを超える距離では、集束レンズ（４）の有無にかかわらず、拡散する。このようにして主走査方向（Ｓｘ）においては、ＬＥＤ（１）のＬ４から放出された光の光束の幅が、シリンダレンズの幅の大きさｍ、すなわち、相互に隣接するＬＥＤ（１）の間隔の大きさから照明対象面（撮像領域）（Ａｉ）でＭまで広がり、照明対象面（撮像領域）（Ａｉ）が照射される。ここで、ＬＥＤ（１）の一つＬ４に対応するシリンダレンズの主点から照明対象面（撮像領域）（Ａｉ）までの距離をｇとすると、主走査方向（Ｓｘ）におけるＬＥＤ（１）の一つＬ４から放出された光の光束の幅の拡大率Ｑ（＝Ｍ／ｍ）は、【００８４】
【数３】
2008032588.tif 000005
【００８５】
によって、表される。本発明の第一の実施例による照明方法においては、主走査方向（Ｓｘ）におけるＬＥＤ（１）の一つから放出された光の光束の幅の拡大率Ｑ、すなわち、相互に隣接するＬＥＤ（１）の間隔の大きさに対する照明対象面（撮像領域）（Ａｉ）での光束の幅Ｍの比は、二倍以上である。なお、図５においては、Ｑは、約６．５程度である。【００８６】
このとき、ＬＥＤ（１）のＬ４から放出された光のみに起因する、照明対象面（撮像領域）（Ａｉ）上での照度分布は、図５（ｃ）における太線で示すようなもの（Ｅａｃｈ＿Ｄｉ）である。すなわち、ＬＥＤ（１）のＬ４及びＬ４に対応する回転放物面鏡（２ａ）の中心を通過する軸（光軸）上における照度がピークであり、且つ、光軸から離れるに従って、Ｌ４から放出された光に起因する照度は低下する。その結果、ＬＥＤ（１）のＬ４から放出された光のみに起因する、照明対象面（撮像領域）（Ａｉ）上での照度分布は、照明対象面（撮像領域）（Ａｉ）上の位置によって大きく変動する照度分布を与える。【００８７】
ところが、ＬＥＤ（１）のＬ４に隣接するＬＥＤ（１）のＬ５から放出される光は、照明対象面（撮像領域）（Ａｉ）上で、ＬＥＤ（１）のＬ４から放出される光に起因する照明対象面（撮像領域）（Ａｉ）上での照度分布のピークの位置から主走査方向（Ｓｘ）にｍだけ変位したピークを有する同様の照度分布を与える。また、ＬＥＤ（１）のＬ６〜Ｌｎの各々から放出される光も同様の照度分布（Ｄｉ）で照明対象面（撮像領域）（Ａｉ）を照明する。ここで、照明対象面（撮像領域）（Ａｉ）上において、ＬＥＤ（１）のＬ４の光軸上における光は、ＬＥＤ（１）のＬ１から放出された、より少量の光、ＬＥＤ（１）のＬ２から放出された、中間の量の光、ＬＥＤ（２）のＬ３から放出された、より多量の光を含む。また、ここで、照明対象面（撮像領域）（Ａｉ）上において、ＬＥＤ（１）のＬ４の光軸上における光は、ＬＥＤ（１）のＬ３からの放出された光の量と同程度の量のＬＥＤ（１）のＬ５から放出された光、ＬＥＤ（１）のＬ２からの放出された光の量と同程度の量のＬＥＤ（１）のＬ６から放出された光、及び、ＬＥＤ（１）のＬ１からの放出された光の量と同程度の量のＬＥＤ（１）のＬ７から放出された光を含む。【００８８】
その結果、ＬＥＤ（１）のＬ４の光軸上においては、ＬＥＤ（１）のＬ１〜Ｌ７から放出された光が、照明対象面（撮像領域）（Ａｉ）上で重畳されると共に照明対象面（撮像領域）（Ａｉ）を照明する。【００８９】
本発明の第一の実施例による照明方法においては、照明対象面（撮像領域）（Ａｉ）上の任意の一点は、上述したＱの値の小数点以下の数字を切り捨てた数の個数のＬＥＤ又は上述したＱの値の小数点以下の数字を切り上げた数の個数（図５においては、６個又は７個である）のＬＥＤから放出される光で照明されることになる。その結果、照明対象面（撮像領域）（Ａｉ）上の照度分布は、より均一な（より平坦な）ものとなる（Ｔｏｔａｌ＿Ｄｉとした概念を示す）。【００９０】
図５（ｂ）及び（ｄ）に示すように、副走査方向（Ｓｙ）においては、複数のＬＥＤ（１）の各々から拡散する光は、第一の集束手段としての、各々のＬＥＤ（１）に対応する回転放物面鏡（２ａ）によって、ほぼ平行光に変換され、照明レンズ（３）を平行光のまま透過する。その平行光は、集束レンズ（４ａ）が、照明装置に設けられてない場合には、そのまま平行光として照明対象面（撮像領域）（Ａｉ）を照明する。この場合には、副走査方向（Ｓｙ）において、照明対象面（撮像領域）での照度分布は、図５（ｄ）において実線で示すような個別のＬＥＤ（１）に起因する照度分布（Ｅａｃｈ＿Ｄｉ）及び複数のＬＥＤ（１）から放出される光を重畳して得られる照度分布（Ｔｏｔａｌ＿Ｄｉ）である。すなわち、照明装置が、集束レンズ（４ａ）を含まない場合には、照明対象面（撮像領域）（Ａｉ）における照度分布は、比較的ブロードな照度分布である。【００９１】
一方、副走査方向（Ｓｙ）において、照明対象面（撮像領域）（Ａｉ）上でシャープな照度分布が必要である場合には、第二の集束手段としての集束レンズ（４ａ）を用いる。照明装置が、集束レンズ（４ａ）を含まない場合には、副走査方向（Ｓｙ）において、照明対象面（撮像領域）（Ａｉ）での照度分布は、図５（ｄ）において二点鎖線で示すような個別のＬＥＤ（１）に起因する照度分布（Ｅａｃｈ＿Ｄｉ）及び複数のＬＥＤ（１）から放出される光を重畳して得られる照度分布（Ｔｏｔａｌ＿Ｄｉ）である。すなわち、照明装置が、集束レンズ（４ａ）を含む場合には、照明対象面（撮像領域）（Ａｉ）における照度分布は、比較的シャープな照度分布である。【００９２】
なお、副走査方向（Ｓｙ）において、比較的シャープな照度分布と比較的ブロードな照度分布との間の中間的な照度分布が照明対象面（撮像領域）（Ａｉ）で必要である場合には、集束レンズ（４）の焦点距離を、集束レンズの焦点が、照明対象面（撮像領域）（Ａｉ）の位置から離れるように、設定することによって、照明対象面（撮像領域）（Ａｉ）で任意の幅の照度分布を得ることができる。このように、主走査方向（Ｓｘ）において、照明対象面（撮像領域）（Ａｉ）上の照度分布を、ほぼ一定に維持すると共に、副走査方向（Ｓｙ）において、照明対象面（撮像領域）（Ａｉ）上における照度分布を、シャープ又はブロードな照度分布に任意に設定することができる。
【実施例２】
【００９３】
次に、本発明の第一の実施例の照明装置を有する第一の走行体を備えた本発明の第二の実施例による画像読取装置を説明する。【００９４】
図６は、本発明の第二の実施例による画像読取装置の例を説明する図である。【００９５】
図６（ａ）は、本発明の第一の実施例による照明装置を用いる本発明の第二の実施例による画像読取装置の上面図であり、図６（ｂ）は、本発明の第一の実施例による照明装置を用いる本発明の第二の実施例による画像読取装置の正面図である。【００９６】
図６（ａ）においては、図５に示したような本発明の第一の実施例による照明装置に加えて、変向ミラー（１２）が描かれている。図６（ｂ）において二点鎖線で示すように、照明装置の光軸を折り曲げることなく、照明装置を配置する場合には、撮像領域（Ａｉ）からの反射光の光路である読取系の光軸（読取光軸（ＡｘＲ））に照明装置を配置することを回避するために、照明装置の全体の光軸（照明光軸（ＡｘＩ））を、読取光軸（ＡｘＲ）から傾斜させてある。また、読取光軸（ＡｘＲ）に対する照明光軸（ＡｘＩ）の傾斜角θを小さくすると、コンタクトガラス（１３）に垂直な方向における画像読取装置の大きさを増加させることになるため、図６（ｂ）における実線で示すように、折り返しミラー（６）を用いて、照明光軸（ＡｘＩ）を折り曲げることもできる。このようにして、照明装置を、コンタクトガラス（１３）の面に平行に配置することによって、コンタクトガラス（１３）に垂直な方向における画像読取装置の大きさを、低減することが可能である。なお、照明装置は、副走査方向（Ｓｙ）における撮像領域（Ａｉ）での目的とする照度分布に応じて、集束レンズ（４ａ）を含んでも含まなくてもよい。【００９７】
図６（ｃ）は、本発明の第一の実施例による照明装置の変形例を用いる本発明の第二の実施例による画像読取装置の上面図であり、図６（ｄ）は、本発明の第一の実施例による照明装置の変形例を用いる本発明の第二の実施例による画像読取装置の正面図である。【００９８】
図６（ｃ）及び（ｄ）に示す照明装置においては、図６（ａ）及び（ｂ）に示す集束レンズ（４ａ）に代えて、集束ミラー（４ｂ）を用いている。集束ミラー（４ｂ）は、副走査方向（Ｓｙ）においては、撮像領域（Ａｉ）に焦点を有する放物面鏡であり、主走査方向（Ｓｘ）においては、集束機能を有さない反射面であるようなミラーである。また、集束ミラー（４ｂ）は、図６（ａ）及び（ｂ）に示す折り返しミラー（１２）の機能を兼ね備えることができるため、照明装置の構成部品の数を低減すると共に、コンタクトガラス（１３）に垂直な方向における画像読取装置の大きさを、低減することができる。なお、読取光軸（ＡｘＲ）の折り曲げ方向は、図６における左右の方向のいずれでもよい。【００９９】
図６に示すような画像読取装置の構成を採用することによって、画像読取装置の主走査方向（Ｓｘ）においては、撮像領域（Ａｉ）で、複数のＬＥＤ（図６においては、ｎが１０以上である設計は、容易である）から放出される光束が、重畳されると共に照射されているので、複数のＬＥＤの発光効率のバラツキは、平均化され、撮像領域（Ａｉ）での照度ムラが、軽減される。一般的に製造されたＬＥＤを光源として用いる場合には、同一のランクに属するＬＥＤを用いて、５個以上のＬＥＤから放出される光束が重なり合うように照明装置を設計すれば、主走査方向（Ｓｘ）における撮像領域（Ａｉ）の全体での照度ムラを、２０％程度まで抑制することができる。また、１０個以上のＬＥＤから放出される光束が重なり合うように照明装置を設計すれば、主走査方向（Ｓｘ）における撮像領域（Ａｉ）の全体での照度ムラを、１０％未満まで抑制することも可能となる。それに応じて、撮像領域（Ａｉ）における照度ムラを、電気的に補正することによって、撮像領域（Ａｉ）における照度の低い場所でも、画像信号のノイズを低減することが可能となり、画像信号の品質を向上させることが可能なる。
【実施例３】
【０１００】
次に、ブック原稿の中央部分の読み取りを向上させることができる本発明の第三の実施例による画像読取装置を説明する。【０１０１】
図７は、本発明の第三の実施例による画像読取装置の例を説明する図である。図７（ａ）、（ｂ）、（ｃ）、（ｄ）、（ｅ）及び（ｆ）は、それぞれ、ブック原稿の中央部分の読み取りを向上させることができる本発明の第三の実施例による画像読取装置の例を示す図である。【０１０２】
図７（ａ）に示すような画像読取装置の例においては、図６（ａ）及び（ｂ）に示すような画像読取装置における、集束レンズ（４ａ）を透過する光の光束のうち、副走査方向において、照明光軸（ＡｘＩ）よりもコンタクトガラス（１３）側の光束を、読取光軸（ＡｘＲ）よりも後側で、折り返しミラーＡ（６ａ）によって、撮像領域（Ａｉ）へ反射させる一方で、集束レンズ（４ａ）を透過する光の光束のうち、副走査方向において、照明光軸（ＡｘＩ）よりも変向ミラー（１２）側の光束を、読取光軸（ＡｘＲ）よりも前側で、折り返しミラーＢ（６ｂ）によって、撮像領域（Ａｉ）へ反射させる（なお、照明光軸（ＡｘＩ）よりも変向ミラー（１２）側の光束を、読取光軸（ＡｘＲ）よりも前側で、折り返すので、折返しミラーＡ（６ａ）の大きさを、低減することができ、照明装置の全体を、読取光軸（ＡｘＲ）側に近付けることができる。）。ここで、集束レンズ（４ａ）の焦点距離は、集束レンズ（４ａ）を透過する光の光束の全てについて共通であるので、折り返しミラーＡ及びＢ（６ａ，６ｂ）の配置を、集束レンズ（４ａ）から撮像領域（Ａｉ）までの距離が一定であるように、調整することによって、図５（ａ）に示すものと同様の照度分布を得ることができる。しかしながら、集束レンズ（４ａ）を透過する光の光束の全てについて、集束レンズ（４ａ）から撮像領域（Ａｉ）までの距離を共通にする必要はない。集束レンズ（４ａ）を透過する光の光束の全てについて、集束レンズ（４ａ）から撮像領域（Ａｉ）までの距離が共通でない場合には、照明光軸（ＡｘＩ）よりもコンタクトガラス（１３）側の光束の焦点の位置と照明光軸（ＡｘＩ）よりも変向ミラー（１２）側の光束の焦点の位置との間に、撮像領域（Ａｉ）が位置するように、折り返しミラーＡ及びＢ（６ａ，６ｂ）の配置を設定することが好ましい。【０１０３】
図７（ｂ）に示すような画像読取装置の例においては、図７（ａ）に示すような画像読取装置とは逆に、集束レンズ（４ａ）を透過する光の光束のうち、副走査方向において、照明光軸（ＡｘＩ）よりもコンタクトガラス（１３）側の光束を、読取光軸（ＡｘＲ）よりも前側で、折り返しミラーＢ（６ｂ）によって、撮像領域（Ａｉ）へ反射させる一方で、集束レンズ（４ａ）を透過する光の光束のうち、副走査方向において、照明光軸（ＡｘＩ）よりも変向ミラー（１２）側の光束を、読取光軸（ＡｘＲ）よりも後側で、折り返しミラーＡ（６ａ）によって、撮像領域（Ａｉ）へ反射させる。さらに、照明光軸（ＡｘＩ）よりもコンタクトガラス（１３）側の光束を、撮像領域（Ａｉ）よりも後側（ＦＢ）で集束させ、照明光軸（ＡｘＩ）よりも変向ミラー（１２）側の光束を、撮像領域（Ａｉ）の前側（ＦＡ）で集束させている。この場合には、ブック原稿の原稿面の中央部分を、照明光軸（ＡｘＩ）よりもコンタクトガラス（１３）側の光束で照射すると共に、照明光軸（ＡｘＩ）よりも変向ミラー（１２）側の光束を、ブック原稿の原稿面に集束させずに拡散させてブック原稿に照射することができる。その結果、ブック原稿の中央部分に光束を良好なバランスで照射することができ、ブック原稿の中央部分を黒色画像として読み取ることを防止又は低減することが可能となる。【０１０４】
図７（ｃ）に示すような画像読取装置の例においては、図６（ｃ）及び（ｄ）に示すような画像読取装置における、集束ミラーによって反射させられる光の光束のうち、副走査方向において、照明光軸（ＡｘＩ）よりもコンタクトガラス（１３）側の光束を、読取光軸（ＡｘＲ）よりも前側で、折り返しミラー（６）によって、集束ミラーＢ（４ｂ２）へ反射させると共に、集束ミラーＢ（４ｂ２）によって、撮像領域（Ａｉ）へ反射させる一方で、集束ミラーによって反射させられる光の光束のうち、副走査方向において、照明光軸（ＡｘＩ）よりも変向ミラー（１２）側の光束を、読取光軸（ＡｘＲ）よりも後側で、集束ミラーＡ（４ｂ１）によって、撮像領域（Ａｉ）へ反射させる。ここで、集束ミラーＡ（４ｂ１）及び集束ミラーＢ（４ｂ２）は、主走査方向においては平行平面であり、副走査方向においては撮像領域（Ａｉ）に焦点を持つ放物面であるようなミラーである。なお、照明光軸（ＡｘＩ）よりも変向ミラー（１２）側の光束を、集束ミラーＡ（４ｂ１）によって、反射させる必要がないので、集束ミラーＡ（４ｂ１）の大きさを、低減することができる。図７（ｃ）においては、照明光軸（ＡｘＩ）よりもコンタクトガラス（１３）側の光束及び照明光軸（ＡｘＩ）よりも変向ミラー（１２）側の光束の両方を撮像領域（Ａｉ）に集束させているが、副走査方向における集束ミラーＡ（４ｂ１）及び集束ミラーＢ（４ｂ２）の焦点距離を適宜設定することによって、原稿面のタイプ及び要求される照度分布に依存して、それぞれ独立に撮像領域（Ａｉ）の前後に集束させることもできる。【０１０５】
図７（ｄ）に示すような画像読取装置の例においては、図７（ｃ）に示すような画像読取装置における、照明光軸（ＡｘＩ）よりもコンタクトガラス（１３）側の概略平行光の光束を、副走査方向において、集束ミラーＢ（４ｂ２）を用いることなく、読取光軸（ＡｘＲ）よりも前側で折り返しミラー（６）によって、撮像領域（Ａｉ）へ平行光束として反射させる。この場合には、副走査方向において、照明光軸（ＡｘＩ）よりもコンタクトガラス（１３）側の概略平行光の光束による撮像領域（Ａｉ）での照度分布は、ブロードな分布を示し、照明光軸（ＡｘＩ）よりも変向ミラー（１２）側の光束による撮像領域（Ａｉ）での照度分布は、シャープな分布を示す。【０１０６】
図７（ｅ）及び図７（ｆ）に示すような画像読取装置の例においては、集束レンズ及び集束ミラーのいずれも用いない画像読取装置の例である。図７（ｅ）に示すような画像読取装置の例においては、照明レンズを透過した概略平行光の光束のうち、照明光軸（ＡｘＩ）よりもコンタクトガラス（１３）側の光束を、読取光軸（ＡｘＲ）よりも後側で撮像領域（Ａｉ）へ反射させ、照明光軸（ＡｘＩ）よりも変向ミラー（１２）側の光束を、読取光軸（ＡｘＲ）よりも前側で撮像領域（Ａｉ）へ反射させる。同様に、図７（ｆ）に示すような画像読取装置の例においては、照明レンズを透過した概略平行光の光束のうち、照明光軸（ＡｘＩ）よりもコンタクトガラス（１３）側の光束を、読取光軸（ＡｘＲ）よりも前側で撮像領域（Ａｉ）へ反射させ、照明光軸（ＡｘＩ）よりも変向ミラー（１２）側の光束を、読取光軸（ＡｘＲ）よりも後側で撮像領域（Ａｉ）へ反射させる。これらの場合には、集束レンズ又は集束ミラーを用いる画像読取装置において、照明装置の光の利用効率は、低下するが、撮像領域（Ａｉ）における照度分布は、ブロードであり、ブック原稿の中央部分を黒色画像として読み取ることをより有効に防止又は低減することができる。【０１０７】
図７において、画像読取装置における集束レンズ、折返しミラー、及び集束ミラーの配置の例を示してきたが、集束レンズ、折返しミラー、及び集束ミラーの配置は、任意であり、図７に示したものに限定されない。また、図７に示す画像読取装置の例では、光束を、照明光軸（ＡｘＩ）の前後に、半分に分割しているが、光束の分割の割合は、５：５に限定されず、撮像領域（Ａｉ）における集束の程度又は原稿のタイプ応じて、任意に設定され、例えば、６：４又は３：７であってもよい。【０１０８】
図８は、本発明の第三の実施例による画像読取装置の変形例を説明する図である。図８（ａ）は、本発明の第三の実施例による画像読取装置の第一の変形例を説明する図であり、図８（ｂ）は、本発明の第三の実施例による画像読取装置の第二の変形例を説明する図である。【０１０９】
図６に示す画像読取装置の例においては、読取光軸（ＡｘＲ）に対して前側又は後側に照明装置本体を配置して、撮像領域（Ａｉ）を照明しており、図７に示す画像読取装置の例においては、光束を二つに分割して、読取光軸（ＡｘＲ）の前側及び後側の両方から撮像領域（Ａｉ）を照明している。これに対して、図８に示す画像読取装置の例においては、二つの照明装置本体を読取光軸（ＡｘＲ）の前側及び後側の両方に配置し、二つの照明装置本体を使用して、読取光軸（ＡｘＲ）の前側及び後側の両方から撮像領域（Ａｉ）を照明している。図８（ａ）の実線に示すような画像読取装置の例においては、集束レンズ（４ａ）を含む二つの照明装置本体の照明光軸（ＡｘＩ）を折り曲げることなく、二つの照明装置本体を読取光軸（ＡｘＲ）に対して斜めに配置している。この場合には、コンタクトガラス（１３）の面に平行な方向における画像読取装置の大きさを低減することができる。しかしながら、図８（ａ）の二点差線で示すように、折り返しミラー（６）を用いて、照明装置本体を、コンタクトガラス（１３）の面に対して平行に配置することもできる。この場合には、コンタクトガラス（１３）の面に垂直な方向における画像読取装置の大きさを低減することができる。【０１１０】
図８（ｂ）に示すような画像読取装置の例においては、放物面鏡である集束ミラー（４ｂ）及び折り返しミラー（６）を含む二つの照明装置本体を用いている。【０１１１】
なお、図８に示すような画像読取装置の例においても、二つの照明装置本体の一方又は両方が、集束レンズ及び集束ミラーのいずれも含まないものであってもよく、図７に示すような画像読取装置の例における変形を適用することができる。【０１１２】
本発明の第二の又は第三の実施例においては、照明装置を第１走行体上に設ける画像読取装置の構成の例を説明した。【０１１３】
次に、本発明の実施形態による照明装置において、ＬＥＤから拡散する光束を、第一の集束段階で、平行光に変換する手段の詳細を説明する。【０１１４】
図９は、回転放物面鏡を用いてＬＥＤから拡散する光束を平行光に変換する手段を説明する図である。図９（ａ）は、ＬＥＤ及び回転放物面鏡を含む光源の正面図であり、図９（ｂ）は、ＬＥＤ及び回転放物面鏡を含む光源の側面図である。【０１１５】
図９に示すように、ｘ軸、ｙ軸、及びｚ軸を定義し、ｘ軸、ｙ軸、及びｚ軸の交点にＬＥＤ（１）の発光面の中心が配置される。また、回転放物面鏡（２ａ）の焦点距離は、ｆであり、回転放物面鏡（２ａ）の回転放物面は、式【０１１６】
【数４】
2008032588.tif 000006
【０１１７】
によって表される放物線を、ｘ軸まわりに回転させることによって得られる回転放物面である。回転放物面の焦点位置（Ｐｆ）には、ＬＥＤ（１）の発光面の中心が配置される。ここで、ＬＥＤ（１）の発光面は、回転放物面鏡（２ａ）に面する。図９（ａ）及び（ｂ）に示すように、ＬＥＤ（１）は、二つの電極（２１）にリード線（２２）を介して接続され、透明樹脂（２３）の中に埋め込まれている。【０１１８】
図９の二点鎖線で示すように、回転放物面鏡（２ａ）の外周は、円形であってもよいが、図９（ａ）におけるＬＥＤ（１）の発光面からの放射ベクトル（Ｖｒ）の分布に示すように、回転放物面鏡（２ａ）のｘ軸の近傍への強度に比べ周辺部分への強度が低いので、主走査方向（Ｓｘ）（例えば、ｚ方向）における回転放物面（２ａ）を配置する密度を増加させるために、主走査方向（Ｓｘ）における回転放物面鏡（２ａ）の周辺部分を切り取ってもよい（すなわち、回転放物面鏡（２ａ）を側面から見たとき、回転放物面鏡（２ａ）は、小判状の形状を有する）。また、照明装置の照明効率を若干の低下を犠牲にして、照明装置を小型化するために、副走査方向（Ｓｙ）（例えば、ｙ方向）における回転放物面鏡（２ａ）の周辺部分を切り取ってもよい（すなわち、回転放物面鏡（２ａ）を側面から見たとき、回転放物面鏡（２ａ）は、四角の形状を有する）。なお、ＬＥＤ（１）の発光面は面積を持っているので回転放物面の焦点位置で発光する場所はただ一点でしかなく、他の位置で発光する光は全て回転放物面の焦点位置から外れている。即ち、回転放物面鏡（２ａ）の焦点位置から発光する発光ベクトルは全て平行光となるが、それ以外の場所から発光する発光ベクトルは回転放物面鏡（２ａ）で反射されると全て平行光からずれてしまう。そのずれ方は回転放物面鏡（２ａ）の焦点位置から遠くになるほど大きくなる。【０１１９】
図９（ｃ）は、図９（ａ）及び（ｂ）に示すような回転放物面鏡及びＬＥＤを含む光源から放出される光をある一定の距離を置いた光軸の近傍のある一点を通過する（或いは、ある一点に向かってくる）光のベクトル強度を相対値で示す配光特性図である。図９（ｃ）の横軸は、回転放物面鏡の光軸からの角度（°）を表し、図９（ｃ）の縦軸は、ある点を通過する光ベクトルの強度の最強値を基準とする相対放射強度ＲＰ（％）を表す。回転放物面鏡の光軸（ｘ軸）と平行な成分（０度）が最も強いが、角度を持つ成分もある。（その量は角度がつくに従って少なくなっていく。５０％まで落ちる角度を半値幅と称し、この例では±５度である。）【０１２０】
図１０は、凸レンズを用いてＬＥＤから拡散する光束を平行光に変換する手段を説明する図である。図１０（ａ）は、ＬＥＤ及び凸レンズを含む光源の正面図であり、図１０（ｂ）は、ＬＥＤ及び凸レンズを含む光源の側面図である。【０１２１】
図１０（ａ）及び（ｂ）に示すＬＥＤ及び凸レンズを含む光源は、砲弾型と呼ばれるものであり、ベース２５に取り付けられたＬＥＤ（１）が、樹脂材料で作られた凸レンズの形状を備えたフードレンズ（２４）で覆われている。ＬＥＤ（１）は、リード線（２２）を介して電極（２１）に接続される。ここで、ＬＥＤ（１）の発光面の中心が、凸レンズであるフードレンズ（２４）の焦点位置（Ｐｆ）に配置されている。また、フードレンズ（２４）のレンズの大きさは、図１０（ａ）に示すような、凸レンズ形状の周辺に入射する光の角度が、臨界角θ以下になるように決定されている。【０１２２】
図１０（ｂ）の二点鎖線で示すように、フードレンズ（２４）の外周は、円形であってもよいが、図１０におけるＬＥＤ（１）の発光面からの放射ベクトル（Ｖｒ）の分布に示すように、フードレンズ（２４）の周辺部分を通過する光の強度は、低いので、主走査方向（Ｓｘ）（例えば、ｚ方向）におけるフードレンズ（２４）を配置する密度を増加させるために、主走査方向（Ｓｘ）におけるフードレンズ（２４）の周辺部分を切り取ってもよい（すなわち、フードレンズ（２４）を側面から見たとき、フードレンズ（２４）は、小判状の形状を有する）。また、照明装置の照明効率を若干の低下を犠牲にして、照明装置を小型化するために、副走査方向（Ｓｙ）（例えば、ｙ方向）におけるフードレンズ（２４）の周辺部分を切り取ってもよい（すなわち、フードレンズ（２４）を側面から見たとき、フードレンズ（２４）は、四角の形状を有する）。【０１２３】
さらに、フードレンズ（２４）の側面の全面は、鏡面であることが好ましい。この場合には、フードレンズ（２４）の側面に入射する光を鏡面で反射させることによって、フードレンズ（２４）の側面に入射する光を、フードレンズ（２４）のレンズ面から（平行光ではないが）射出させることができる。ただし、主走査方向（Ｓｘ）（例えば、ｚ方向）におけるフードレンズ（２４）の側面は、非鏡面であってもよい。主走査方向（Ｓｘ）（ｚ方向）については、フードレンズの側面から逃げる光を、隣接するフードレンズに入射させることによって、有効に利用することが可能である。【０１２４】
なお、図５〜図９に示す照明装置におけるＬＥＤ及び回転放物面鏡を含む光源を、図１０（ａ）及び（ｂ）に示すようなＬＥＤ及び凸レンズを含む光源で置き換えてもよい。また、図１０に示すような光源において、フードの先端を平面のままとし、フードレンズ（２４）に対応する凸レンズを独立して配置することも可能である。【０１２５】
さらに、ＬＥＤ（１）の発光面の中心が、フードレンズ（２４）の焦点に位置するときは、フードレンズ（２４）を透過する光は、概略平行光であるが、ＬＥＤ（１）の発光面は面積を持っているのでフードレンズ（２４）の焦点位置から外れた位置から発光している光束はフードレンズ（２４）を透過すると光軸と平行の光束とはならない。また、図１０（ａ）及び（ｂ）に示すようなＬＥＤ及び凸レンズを含む光源の配向特性は、図９（ｃ）に示すようなＬＥＤ及び回転放物面鏡を含む光源の配向特性と同様の傾向を有する。
【実施例４】
【０１２６】
本発明の第一〜第三の実施例においては、ＬＥＤから拡散する光束を平行光に変換する例を説明してきた。しかしながら、ＬＥＤから拡散する光を照明対象面（撮像領域）上に集束させるためには、本発明の第一〜第三の実施例において使用される第一の集束手段としての回転放物面鏡の回転軸と同軸の回転軸を有する回転楕円面鏡を用いることもできる。第一の集束手段として回転楕円面鏡を用いる場合には、回転楕円面鏡の焦点の一方（例えば、第一焦点Ｆ１）にＬＥＤの発光面を配置すると共に、回転楕円面鏡の焦点の他方（例えば、第二焦点Ｆ２）の位置に照明対象面（撮像領域）を配置すればよい。そして、この場合には、第二の集束手段を省略することができる。すなわち、回転楕円面鏡は、本発明の第一〜第三の実施例において使用される第一の集束手段の機能及び第二の集束手段の機能の両方を有し得る。【０１２７】
図１１は、本発明の第四の実施例による照明装置の一つの例を説明する図である。図１１（ａ）は、本発明の第四の実施例による照明装置の一つの例の正面図であり、図１１（ｂ）は、副走査方向（Ｓｙ）における、本発明の第四の実施例による照明装置の一つの例によって与えられる照度分布を示す図である。【０１２８】
図１１（ａ）に示す照明装置の例においては、ＬＥＤ（１）及び回転楕円面鏡（２ｂ）を含む光源を用いており、ＬＥＤ（１）の発光面の中心が、回転楕円面鏡（２ｂ）の第１焦点Ｆ１に配置されている。また、照明対象面（撮像領域）（Ａｉ）は、回転楕円面鏡（２ｂ）の第二の焦点Ｆ２に配置されている。ＬＥＤ（１）から放出された光は、回転楕円面鏡（２ｂ）によって反射され、照明レンズ（３）に入射する。回転楕円面鏡（２ｂ）によって反射された光は、主走査方向（Ｓｘ）においては、照明レンズ（３）によって拡散させられる一方、副走査方向（Ｓｙ）においては、照明レンズ（３）をそのまま通過し、照明対象面（撮像領域）（Ａｉ）における第二焦点の位置に集束する。その結果、図１１（ｂ）に示すように、副走査方向（Ｓｙ）における照明対象面（撮像領域）（Ａｉ）での照度分布（Ｅａｃｈ＿Ｄｉ）（Ｔｏｔａｌ＿Ｄｉ）は、図５（ｄ）において二点鎖線で示した照度分布と同様のものとなる。【０１２９】
図１２は、本発明の第四の実施例による照明装置の別の例を説明する図である。図１２（ａ）は、本発明の第四の実施例による照明装置の別の例の正面図であり、図１２（ｂ）は、副走査方向（Ｓｙ）における、本発明の第四の実施例による照明装置の別の例によって与えられる照度分布を示す図である。【０１３０】
図１２（ａ）に示す照明装置の例においては、図１０に示す凸レンズ（フードレンズ）（２ｃ）の焦点位置を変更することによって、ＬＥＤ（１）から拡散する光を、照明対象面（撮像領域）（Ａｉ）上に集束させている。【０１３１】
すなわち、図１２（ａ）に示す照明装置の例においては、ＬＥＤ（１）及び凸レンズ（２ｃ）を含む光源を用いており、凸レンズ（２ｃ）の焦点距離ｆが、【０１３２】
【数５】
2008032588.tif 000007
【０１３３】
のように、設定されている。ここで、ａは、ＬＥＤの発光面から凸レンズ（２ｃ）の主点までの距離であり、ｂは、凸レンズ（２ｃ）から照明対象面（撮像領域）（Ａｉ）までの距離である。ＬＥＤ（１）から放出された光は、凸レンズ（２ｃ）によって集束させられ、照明レンズ（３）に入射する。凸レンズ（２ｃ）によって集束された光は、主走査方向においては、照明レンズ（３）によって拡散させられる一方、副走査方向（Ｓｙ）においては、照明レンズ（３）をそのまま通過し、照明対象面（撮像領域）（Ａｉ）に集束する。その結果、図１２（ｂ）に示すように、副走査方向（Ｓｙ）における照明対象面（撮像領域）（Ａｉ）での照度分布（Ｅａｃｈ＿Ｄｉ）（Ｔｏｔａｌ＿Ｄｉ）は、図５（ｄ）において二点鎖線で示した照度分布と同様のものとなる。【０１３４】
なお、図１１及び図１２に示す照明装置の構成を、図５〜８に示す照明装置又は画像読取装置の例に適用することができる。【０１３５】
図１３は、本発明の第四の実施例による照明装置及び画像読取装置の一つの例を説明する図である。図１３（ａ）は、本発明の第四の実施例による照明装置の一つの例を示す図であり、図１３（ｂ）は、本発明の第四の実施例による画像読取装置の一つの例を示す図である。【０１３６】
図１３（ａ）に示す照明装置の例は、図１１に示す照明装置の例と同様のものである。図１３（ａ）においては、照明装置に加えて、画像読取装置の変向ミラー（１２）が描かれている。【０１３７】
図１３（ｂ）は、図１１に示す照明装置の例と同様の照明装置を第一走行体（１１）に搭載した画像読取装置の例を示す。図１３（ｂ）の二点鎖線で示すように、図１３（ａ）に示す照明装置の照明光軸（ＡｘＩ）を折り曲げることなく、その照明装置を読取光軸（ＡｘＲ）に対して斜めに配置してもよく、図１３（ｂ）の実線で示すように、図１３（ａ）に示す照明装置の照明光軸（ＡｘＩ）を、折り曲げミラー（６）によって折り曲げることによって、その照明装置を、コンタクトガラス（１３）の面と平行に配置してもよい。この場合には、コンタクトガラス（１３）の面と垂直な方向における画像読取装置の大きさを低減することができる。【０１３８】
図１４は、本発明の第四の実施例による照明装置及び画像読取装置の別の例を説明する図である。図１４（ａ）は、本発明の第四の実施例による照明装置の別の例を示す図であり、図１４（ｂ）は、本発明の第四の実施例による画像読取装置の別の例を示す図である。【０１３９】
図１４（ａ）に示す照明装置の例は、図１２に示す照明装置の例と同様のものである。図１４（ａ）においては、照明装置に加えて、画像読取装置の変向ミラー（１２）が描かれている。【０１４０】
図１４（ｂ）は、図１２に示す照明装置の例と同様の照明装置を第一走行体（１１）に搭載した画像読取装置の例を示す。図１４（ｂ）の二点鎖線で示すように、図１４（ａ）に示す照明装置の照明光軸（ＡｘＩ）を折り曲げることなく、その照明装置を読取光軸（ＡｘＲ）に対して斜めに配置してもよく、図１４（ｂ）の実線で示すように、図１４（ａ）に示す照明装置の照明光軸（ＡｘＩ）を、折り曲げミラー（６）によって折り曲げることによって、その照明装置を、コンタクトガラス（１３）の面と平行に配置してもよい。この場合には、コンタクトガラス（１３）の面と垂直な方向における画像読取装置の大きさを低減することができる。【０１４１】
なお、図１３及び図１４に示す画像読取装置の例においても、図７に示すように、光束を読取光軸（ＡｘＲ）の前後で分割し、読取光軸（ＡｘＲ）の前後の両方から、分割された光束を用いて、撮像領域（Ａｉ）を照明することができる。
【実施例５】
【０１４２】
ここで、モノクロ原稿用の画像読取装置及びカラー原稿用画像読取装置におけるＬＥＤの発光色を説明する。【０１４３】
モノクロ原稿用の画像読取装置においては、光の三原色の青色（Ｂ）、緑色（Ｇ）、赤色（Ｒ）のいずれかの色の光を発生させるＬＥＤを用いることができる。あるいは、白色ＬＥＤを用いることもできる。しかしながら、緑色は、人間の視感度をほぼ代表しているので、緑色のＬＥＤを用いることが好ましい。【０１４４】
カラー原稿用の画像読取装置においては、カラー用の一次元撮像素子及び白色ＬＥＤを用いれば、図５〜図１４に示す照明装置及び画像読取装置を用いることができる。【０１４５】
Ｒ、Ｇ、Ｂ三原色のＬＥＤの各々を用いる場合には、図５〜図１４に示す照明装置及び画像読取装置において、青色（Ｂ）、緑色（Ｇ）、赤色（Ｒ）のＬＥＤを、組み合わせて又は交互に配置すると共に、カラー用の一次元撮像素子を用いればよい。例えば、図５〜図１４に示す照明装置及び画像読取装置において、ＬＥＤのＬ１、Ｌ４、Ｌ７・・・として青色ＬＥＤを配置し、ＬＥＤのＬ２、Ｌ５、Ｌ８・・・として緑色ＬＥＤを配置し、ＬＥＤのＬ３、Ｌ６、Ｌ９・・・として赤色ＬＥＤを配置すればよい。【０１４６】
この場合には、照明対象面（撮像領域）における照度分布に寄与するＬＥＤの数は、単色の場合と比較して、三分の一に減少する（例えば、図５において、６倍を超えるゲインＱが２倍程度に減少する）ので、照明対象面（撮像領域）における各色の光による照度分布の特性は悪化することになる。そこで、照明レンズの焦点距離ｆを短くする及び／又は照明レンズから照明対象面（撮像領域）までの距離ｇを長くすることによって、ゲインＱを約３倍程度増加させれば、単色のＬＥＤを用いる場合における照度分布と同程度に良好な照度分布を得ることができる。【０１４７】
図１５は、本発明の第五の実施例による照明方法及び照明装置の例を説明する図である。  図１５（ａ）は、本発明の第五の実施例による照明装置の例の上面図であり、図１５（ｂ）は、本発明の第五の実施例による照明装置の例の正面図である。また、図５（ｃ）は、本発明の第五の実施例による照明方法の例によって得られる照明対象面（撮像領域）（Ａｉ）上での主走査方向（Ｓｘ）の照度分布（Ｅａｃｈ＿Ｄｉ）（Ｔｏｔａｌ＿Ｄｉ）を示す図であり、図５（ｄ）は、本発明の第五の実施例による照明方法の例によって得られる照明対象面（撮像領域）（Ａｉ）上での副走査方向（Ｓｙ）の照度分布を示す図である。【０１４８】
図１５に示すような照明装置の例は、赤（Ｒ）、緑（Ｇ）、青（Ｂ）三色のＬＥＤチップ（１）に一括して凸レンズ（２ｃ）のフードレンズを取り付けた光源を含むカラー用照明装置の例である。図１５に示す照明装置の例では、図５に示した照明装置におけるＬＥＤ及び回転放物面鏡を含む光源の代わりに、ＬＥＤチップ（１）及び凸レンズ（２ｃ）を含む光源を使用する。ここで、一つの光源は、青色（Ｂ）、緑色（Ｇ）、赤色（Ｒ）用の三種類のＬＥＤチップ（１）を一列に（図１５においては主走査方向に）配置し、一列に配置された三種類のＬＥＤチップ（１）の全体が、凸レンズ（２ｃ）であるフードレンズで覆われている。三色のＬＥＤチップ（１）の配置の順番は、特に限定されないが、図１５においては、緑色（Ｇ）のＬＥＤチップ（１）を中央に配置し、緑色（Ｇ）のＬＥＤチップ（１）に隣接して、青色のＬＥＤチップ（１）及び赤色のＬＥＤチップ（１）が、配置される。【０１４９】
ここで、三色（Ｂ、Ｇ、Ｒ）のＬＥＤチップ（１）及び凸レンズ（２ｃ）を含む単一の光源Ｌｋに起因する、照明対象面（撮像領域）（Ａｉ）での照度分布（Ｅａｃｈ＿Ｄｉ）（Ｔｏｔａｌ＿Ｄｉ）を説明する。なお、凸レンズ（２ｃ）の焦点距離ｆは、凸レンズ（２ｃ）の主点からＬＥＤチップ（１）までの距離ａに等しいもの（ｆ＝ａ）とする。【０１５０】
図１５に示すような照明装置の例において、緑色（Ｇ）のＬＥＤチップ（１）からの発生する緑色の光束の光軸は、凸レンズ（２ｃ）の光軸と一致しているので、緑色（Ｇ）のＬＥＤチップ（１）からの発生する緑色の光束は、図５におけるＬＥＤから発生する光束と全く同様の振る舞い示す。そして、主走査方向においては、照明レンズ（３）を構成するシリンダレンズの幅、すなわち、光源の幅に対して、【０１５１】
【数６】
2008032588.tif 000008
【０１５２】
倍の幅の緑色の光束で、照明対象面（撮像領域）（Ａｉ）を照射する。なお、本発明の実施形態においては、Ｑの値は、２以上である。【０１５３】
赤色（Ｒ）のＬＥＤチップ（１）から発生する赤色の光束の光軸は、凸レンズ（２ｃ）の光軸から若干下側にずれているので、赤色（Ｒ）のＬＥＤチップ（１）から発生する赤色の光束は、凸レンズ（２ｃ）を通過し、緑色（Ｇ）のＬＥＤチップ（１）から発生する緑色の光束よりも若干上側にずれて、照明対象面（撮像領域）（Ａｉ）を照射する。照明レンズ（３）を構成するシリンダレンズの幅、すなわち、光源の幅に対する、照明対象面（撮像領域）（Ａｉ）における赤色の光束の幅の比Ｑは、緑色（Ｇ）のＬＥＤチップ（１）から発生する緑色の光束についての値と同じである。【０１５４】
青色（Ｂ）のＬＥＤチップ（１）から発生する青色の光束の光軸は、凸レンズ（２ｃ）の光軸から若干上側にずれているので、青色（Ｂ）のＬＥＤチップ（１）から発生する青色の光束は、凸レンズ（２ｃ）を通過し、緑色（Ｇ）のＬＥＤチップ（１）から発生する緑色の光束よりも若干下側にずれて、照明対象面（撮像領域）（Ａｉ）を照射する。照明レンズ（３）を構成するシリンダレンズの幅、すなわち、光源の幅に対する、照明対象面（撮像領域）（Ａｉ）における青色の光束の幅の比Ｑは、緑色（Ｇ）のＬＥＤチップ（１）から発生する緑色の光束についての値と同じである。【０１５５】
なお、図１５においては、光源Ｌｋから発生する赤色の光束を、太い破線で示し、緑色の光束を、実線で示し、青色の光束を、細い破線で示している。その三色のそれぞれの光束による照明対象面（撮像領域）（Ａｉ）での照度分布の概念を個別の照度分布（Ｅａｃｈ＿Ｄｉ）として図１５（ｃ）に示す。また、他の光源・・Ｌｋ−２、Ｌｋ−１  、Ｌｋ＋１、  Ｌｋ＋２・・などから発生する光束も同様に照明対象面（撮像領域）（Ａｉ）を照射するので、光源Ｌｋの光軸上における照明対象面（撮像領域）（Ａｉ）での照度には、光源Ｌｋの周囲の光源から発生する光束の照度も寄与する。それらの光源の全体に起因する全体の照度分布（Ｔｏｔａｌ＿Ｄｉ）もまた図１５（ｃ）に示す。【０１５６】
以上のように、三色のＬＥＤチップ（１）及び凸レンズ（２ｃ）を含む光源を使用する場合にも、主走査方向における、各色の光束によって照明される照明対象面（撮像領域）（Ａｉ）での照度ムラは、各色の光束毎に、図５に示すような照度ムラを適用することによって、説明される。【０１５７】
次に、副走査方向（Ｓｙ）については、青色（Ｂ）、緑色（Ｇ）、赤色（Ｒ）のＬＥＤチップ（１）は、同一の光軸上に存在し、凸レンズの焦点距離ｆは、ｆ＝ａを満たすので、各色のＬＥＤ（１）から発生する光束は、凸レンズ（２ｃ）を通過し、概略平行光となる。【０１５８】
ここで、図１５に示す照明装置が、集束レンズ（４ａ）を含まない場合には、照明レンズ（３）を通過した各色の平行光束が、そのまま照明対象面（撮像領域）（Ａｉ）を照射する。その結果、副走査方向（Ｓｙ）における照明対象面（撮像領域）（Ａｉ）での照度分布（Ｄｉ）は、図１５（ｄ）の実線で示すように、ブロードな分布となる。一方、図１５に示す照明装置が、照明レンズ（３）と照明対象面（撮像領域）（Ａｉ）との間に設けられ且つ照明対象面（撮像領域）（Ａｉ）から焦点距離Ｆだけ離れた位置に配置される集束レンズ（４ａ）を含む場合には、照明レンズ（３）を通過した各色の平行光束は、照明対象面（撮像領域）（Ａｉ）上に集束する。その結果、副走査方向（Ｓｙ）における照明対象面（撮像領域）（Ａｉ）での照度分布は、図１５（ｄ）の二点鎖線で示すように、シャープな分布（Ｅａｃｈ＿Ｄｉ）（Ｔｏｔａｌ＿Ｄｉ）となる。【０１５９】
なお、副走査方向（Ｓｙ）において、ＬＥＤチップ（１）から発生する光を照明対象面（撮像領域）（Ａｉ）上に集束させる手段としては、凸レンズ（２ｃ）の焦点距離ｆを、図１２における照明装置の例と同様に、【０１６０】
【数７】
2008032588.tif 000009
【０１６１】
とする方法が挙げられる。ここで、ａは、ＬＥＤチップ（１）の発光面から凸レンズ（２ｃ）の主点までの距離であり、ｂは、凸レンズ（２ｃ）の主点から照明対象面（撮像領域）（Ａｉ）までの距離である。そして、この場合には、集束レンズ（４ａ）を設けることを必要としない。【０１６２】
図１５に示すような照明装置を、画像読取装置の第一走行体に搭載する場合には、図１５に示すような照明装置を、図６〜図８に示すような画像読取装置に適用することができる。
【実施例６】
【０１６３】
図１６は、本発明の第六の実施例による照明方法及び画像読取装置の例を説明する図である。  図１６（ａ）は、本発明の第六の実施例による画像読取装置の例の上面図であり、図１６（ｂ）は、本発明の第六の実施例による画像読取装置の例の正面図である。また、図１６（ｃ）は、本発明の第六の実施例による照明方法の例によって得られる照明対象面（撮像領域）上での副走査方向の照度分布を示す図である。【０１６４】
図１６に示すような画像読取装置の例は、赤（Ｒ）、緑（Ｇ）、青（Ｂ）三色のＬＥＤチップ（１）に一括して凸レンズ（２ｃ）のフードレンズを取り付けた光源を用いるカラー画像読取装置の例である。【０１６５】
図１６に示すような画像読取装置の例においては、照明系の三色のＬＥＤチップ（１）の配置が、各色の画像を読み取るための読取系の一次元撮像素子（１５）の配置と対応付けられる。図１６に示すような画像読取装置において、照明対象面（撮像領域）（Ａｉ）より左側の系が、照明系であり、照明対象面（撮像領域）（Ａｉ）より右側の系が、読取系である。そして、照明系を用いて、撮像領域（Ａｉ）を照明し、撮像領域（Ａｉ）に置かれた原稿の画像を、読取系で読み取る。【０１６６】
カラー画像読取装置の読取系では、三本の１ラインＣＣＤ（一次元撮像素子（１５））を並列させた３ラインＣＣＤを用いる。三本の１ラインＣＣＤの各々には、赤色（Ｒ）、緑色（Ｇ）、又は青色（Ｂ）を透過するカラーフィルター（１８）が設けられ、三本の１ラインＣＣＤの各々は、カラーフィルター（１８）を透過する色の画像を読み取る。このようなカラーフィルター（１８）を備えた３ラインＣＣＤは、原稿における撮像領域（Ａｉ）の同じ場所の画像を同時に読み取ることができない。現行の画像読取装置においては、６００ｄｐｉの画像を構成する画素のサイズは、４２．３μｍであるが、現行の画像読取装置の読取系は、縮小光学系であり、撮像素子においては、読取系の縮小率に応じて、１０μｍ、７μｍ、又は４．７μｍなどに相当する。しかしながら、このような短い間隔で１ラインＣＣＤを配列させることは困難である。実際には、三本の１ラインＣＣＤを、副走査方向（Ｓｙ）に並べる場合には、三本の１ラインＣＣＤを、３画素〜４画素に相当する距離だけ、互いに離す必要がある。ここで、三本の１ラインＣＣＤの間隔は、原稿面の撮像領域（Ａｉ）では、おおよそ、０．４〜０．２ｍｍに相当する。すなわち、原稿面の撮像領域（Ａｉ）において、０．４〜０．２ｍｍの間隔で、赤色、緑色、及び青色の画像を読み取ることになる。よって、赤色、緑色、及び青色のＬＥＤチップ（１）から発生する赤色、緑色、及び青色の光束を、原稿面の撮像領域（Ａｉ）において、０．４〜０．２ｍｍの間隔で照射することが好ましい。【０１６７】
ここで、副走査方向（Ｓｙ）において、照明系の三色のＬＥＤチップ（１）の配置と照明対象面（撮像領域）（Ａｉ）における各色の光束の中心位置との関係を、図１６（ｂ）に示す。図１６（ｂ）において、ａは、ＬＥＤチップの発光面から凸レンズ（２ｃ）の主点までの距離であり、ｂは、凸レンズ（２ｃ）の主点から集束レンズ（４ａ）の主点までの距離であり、ｃは、集束レンズ（４ａ）の主点から照明対象面（撮像領域）（Ａｉ）までの距離である。また、ｍ０は、各色のＬＥＤチップ（１）間の間隔であり、ｍ１は、集束レンズ（４ａ）を通過する各色のＬＥＤチップ（１）からの各色の光束の中心間距離であり、ｍ２は、照明対象面（撮像領域）（Ａｉ）における各色のＬＥＤチップ（１）からの各色の光束の中心間距離である。さらに、凸レンズ（２ｃ）部の焦点距離をｆ０とし、集束レンズ（４ａ）の焦点距離をｆ１とすると、ｆ０＝ａ及びｆ１＝ｃであるため、【０１６８】
【数８】
2008032588.tif 000010
【０１６９】
の関係が成り立つ。よって、式（１）及び（２）より、【０１７０】
【数９】
2008032588.tif 000011
【０１７１】
の関係が成り立つ。【０１７２】
式（２）より、ｂ＝ｃのとき、ｍ２＝ｍ１であり、さらに、ｂ＜ｃのとき、ｍ２＞ｍ１であり、ｂ＞ｃのとき、ｍ２＜ｍ１である。【０１７３】
また、式（３）より、ｂ＝ｃのとき、【０１７４】
【数１０】
2008032588.tif 000012
【０１７５】
であり、さらに、ｂ＜ｃのとき、【０１７６】
【数１１】
2008032588.tif 000013
【０１７７】
であり、ｂ＞ｃのとき、【０１７８】
【数１２】
2008032588.tif 000014
【０１７９】
である。【０１８０】
なお、図１６（ｂ）においては、ｆ０＝ａ及びｆ１＝ｃであり、且つ、ｂ＝ｃである。図１６（ａ）及び（ｂ）に示す画像読取装置における副走査方向（Ｓｙ）の照度分布を図１６（ｃ）に示すが、実際には、照明系の構成要素の配置を考慮しながら、上記のような関係を保つことによって、各色の光束によって照明される照明対象面（撮像領域）（Ａｉ）での照度分布（Ｄｉ）のピークが、各色の画像を読み取る１ラインＣＣＤの位置に対応するように、照明系の設計をすることができる。【０１８１】
また、Ｒ、Ｇ、Ｂの色の配置は、主走査方向（Ｓｘ）又は副走査方向（Ｓｙ）における直線上にあることを仮定したが、Ｒ、Ｇ、Ｂの色の配置は、特に限定されず、例えば、Ｒ、Ｇ、Ｂの色は、三角形の各頂点、ひらがなの「く」の字状、英文字の「Ｌ」の字状に配置されることもある。そのような場合には、図１５及び図１６に示すような考え方を組み合わせることによって、照明装置及び画像読取装置の最適設計が可能となる。
【実施例７】
【０１８２】
図１７は、本発明の第七の実施例による照明方法及び照明装置の一つの例を説明する図である。図１７（ａ）は、本発明の第七の実施例による照明装置の一つの例の斜視図であり、図１７（ｂ）は、本発明の第七の実施例による画像読取装置の一つの例の正面図であり、図１７（ｃ）は、本発明の第七の実施例による画像読取装置の例の一つの側面図である。また、図１７（ｄ）は、本発明の第七の実施例による照明方法の例の一つによって得られる照明対象面（撮像領域）上での主走査方向の照度分布を示す図である。【０１８３】
図１７に示すような照明装置の例では、長方形の発光面を備えた複数のＬＥＤ（１）を用いる。また、図１７に示すような照明装置の例は、長方形の発光面を備えた複数のＬＥＤ（１）と照明対象領域（Ａｉ）との間に、主走査方向（Ｓｘ）において長方形の発光面を備えた複数のＬＥＤ（１）から発生する光束を拡散させるシリンダレンズアレイの照明レンズ（３）を含む。そして、長方形の発光面を備えた複数のＬＥＤ（１）と照明レンズ（３）との間に、副走査方向（Ｓｙ）において長方形の発光面を備えた複数のＬＥＤ（１）から発生する光束を集束させるシリンダレンズの集束レンズ（４ａ）が挿入される。なお、照明レンズ（３）のシリンダレンズアレイを構成するシリンダレンズ及び集束レンズ（４ａ）のシリンダレンズの焦点距離を設定する考え方は、第１〜第６の実施例のものと同じである。なお、集束レンズ（４ａ）は、図１７（ｃ）に示すように集束されるように示しているが、副走査方向（Ｓｙ）において、長方形の発光面を備えた複数のＬＥＤ（１）から発生する光束を、必ずしも集束させる必要はなく、平行光又は拡散光に変換してもよい。さらには、集束レンズ（４ａ）の挿入は、必ずしも必須ではない。【０１８４】
また、図１７に示すような照明装置の例では、図１７（ｂ）に示すように、主走査方向（Ｓｘ）において、長方形の発光面を備えた複数のＬＥＤ（１）の各々から発生する光束は、各々のＬＥＤ（１）に対応する照明レンズ（３）のシリンダレンズに入射するのみならず、各々のＬＥＤ（１）に対応する照明レンズ（３）のシリンダレンズの近傍における（又はそのシリンダレンズに隣接する）シリンダレンズにも入射する。その結果、長方形の発光面を備えた複数のＬＥＤ（１）の各々から発生する光束は、照明レンズ（３）によって、より拡散させられる。例えば、図１７（ｂ）に示すように、ＬＥＤ（１）の一つＬ４から拡散する光束は、主として、ＬＥＤ（１）のＬ４に対応するシリンダレンズに入射し、予め設定された倍率で、照明対象面（撮像領域）（Ａｉ）を照射する。しかしながら、ＬＥＤ（１）の一つＬ４から拡散する光束の一部は、ＬＥＤ（１）のＬ４に隣接するＬＥＤ（１）のＬ３及びＬ５に対応するシリンダレンズにも入射する。さらに、ＬＥＤ（１）の一つＬ４から拡散する光束の一部は、ＬＥＤ（１）のＬ４の近傍に位置するＬＥＤ（１）のＬ２及びＬ６に対応するシリンダレンズにも入射する。その結果、図１７に示すような照明装置の例では、ＬＥＤ（１）から発生する光を、より広く拡散させることができる。【０１８５】
そして、図１７（ａ）、（ｂ）及び（ｃ）に示すような照明装置を使用することによって、図１７（ｄ）に示すように、主走査方向（Ｓｘ）において、複数のＬＥＤ（１）の発光効率のバラツキに起因する、照明対象面（撮像領域）（Ａｉ）での照度分布の変動を大幅に低減することができる。すなわち、図４に示すような従来の照明装置では、主走査方向（Ｓｘ）において、より低い発光効率を備えたＬＥＤ（１）によって照明される照明対象面（撮像領域）（Ａｉ）での照度ｈ２に対するより高い発光効率を備えたＬＥＤ（１）によって照明される照明対象面（撮像領域）（Ａｉ）での照度ｈ１の比が、おおよそ二倍であったとしても、図１７（ａ）、（ｂ）及び（ｃ）に示すような照明レンズ（３）を含む照明装置を使用する場合には、より低い発光効率を備えたＬＥＤ（１）によって照明される照明対象面（撮像領域）（Ａｉ）での照度ｈ２’に対するより高い発光効率を備えたＬＥＤ（１）によって照明される照明対象面（撮像領域）（Ａｉ）での照度ｈ１’の比（ｈ１’／ｈ２’）を、（ｈ１／ｈ２）よりも大幅に低減することができる。より具体的には、図１７（ｄ）中の（Ａｃｔｕａｌ＿Ｄｉ２）に示すように、（ｈ１’／ｈ２’）の値の変動幅は、１０％程度にまで容易に抑制される。【０１８６】
図１７に示すような照明装置においては、主走査方向（Ｓｘ）における光束の拡散の範囲がより広いので、照明装置に側面鏡（５ａ，５ｂ）を設けることが効果的である。なお、側面鏡（５ａ，５ｂ）は、ＬＥＤ（１）の側面まで設けることが有効である。この場合には、ＬＥＤからの拡散光を、主走査方向（Ｓｘ）において、照明対象領域（Ａｉ）の外側に拡散させることなく、照明対象面（撮像領域）（Ａｉ）に照射させることができる。【０１８７】
図１８は、本発明の第七の実施例による照明装置の別の例を説明する図である。図１８（ａ）は、本発明の第七の実施例による照明装置の別の例の上面図であり、図１８（ｂ）は、本発明の第七の実施例による画像読取装置の別の例の正面図である。【０１８８】
図１８に示すような照明装置の例においては、図１７に示すような照明装置の例における集光レンズ（４ａ）の代わりに、放物面鏡（２ｄ）を用い、光源には、図１７と同じように長方形の発光面を備えたＬＥＤを並べて用いている。ここで、放物面鏡（２ｄ）は、主走査方向（Ｓｘ）において平行平面の断面を有し、副走査方向（Ｓｙ）において放物面の断面を有する。【０１８９】
また、図１８に示すような照明装置の例においては、主走査方向（Ｓｘ）において、複数のＬＥＤ（１）の各々から発生する光束に対する障壁がないので、図１７に示すような照明装置の例と同様に、各々のＬＥＤ（１）から発生する光束は各々のＬＥＤ（１）に対応する照明レンズ（３）のシリンダレンズに入射するのみならず、各々のＬＥＤ（１）に対応する照明レンズ（３）のシリンダレンズの近傍における（又はそのシリンダレンズに隣接する）シリンダレンズにも入射する。その結果、各々のＬＥＤ（１）から発生する光束は、照明レンズ（３）によって、より拡散させられる。例えば、ＬＥＤ（１）の一つＬ４から拡散する光束は、主として、ＬＥＤ（１）のＬ４に対応するシリンダレンズに入射し、予め設定された倍率で、照明対象面（撮像領域）（Ａｉ）を照射する。しかしながら、ＬＥＤ（１）の一つＬ４から拡散する光束の一部は、ＬＥＤ（１）のＬ４に隣接するＬＥＤ（１）のＬ３及びＬ５に対応するシリンダレンズにも入射する。さらに、ＬＥＤ（１）の一つＬ４から拡散する光束の一部は、ＬＥＤ（１）のＬ４の近傍に位置するＬＥＤ（１）のＬ２及びＬ６に対応するシリンダレンズにも入射する。その結果、図１８に示すような照明装置の例では、ＬＥＤ（１）から発生する光を、より広く拡散させることができる。【０１９０】
図１８に示すような照明装置においては、主走査方向（Ｓｘ）における光束の拡散の範囲がより広いので、照明装置に側面鏡（５ａ，５ｂ）を設けることが効果的である。なお、側面鏡（５ａ，５ｂ）は、放物面鏡（２ｄ）の側面まで設けることが有効である。この場合には、ＬＥＤからの拡散光を、主走査方向（Ｓｘ）において、照明対象領域（Ａｉ）の外側に拡散させることなく、照明対象面（撮像領域）（Ａｉ）に照射させることができる。【０１９１】
図１８に示す照明装置は、集束レンズ（４ａ）を含むが、集束レンズ（４ａ）は、必ずしも必須の構成要素ではない。図１８に示すような照明装置の例においては、第一の集束手段として、放物面鏡（２ａ）を用いているが、第一の集束手段としては、楕円面鏡を用いることもできる。ここで、楕円面鏡は、主走査方向（Ｓｘ）においては、平行平面の断面を有し、副走査方向（Ｓｙ）においては、楕円面の断面を有する。そして、楕円面鏡の楕円面の第一焦点は、ＬＥＤの発光面の中心に位置すると共に、楕円面鏡の楕円面の第二焦点は、照明対象領域（Ａｉ）に位置する。第一の集束手段としてこのような楕円面鏡を用いる場合には、集束レンズ（４ａ）は、不要となる。【０１９２】
さらに、Ｒ、Ｇ、Ｂの三色の独立なＬＥＤを用いるカラーの画像読取装置用の照明装置を説明する。例えば、図１７（ｂ）及び（ｃ）に示すように、図１７に示されるようなＬ１〜Ｌ７のＬＥＤを、一色のＬＥＤで構成すると共に、他の二色のＬＥＤを追加する。具体的には、図１７（ｃ）に示すように、一色（Ｇ）のＬＥＤの副走査方向（Ｓｙ）の両側に、他の二色（Ｒ及びＢ）のＬＥＤを配置することによって、三色のＬＥＤで構成される光源を提供することができる。図１７（ｃ）に示すような照明装置の例は、図１６に示すような照明装置の例と同様に機能する。（ただし、図１６（ｂ）における集光レンズ（２ｃ）の位置に集束レンズ（４ａ）を配置し、ａ、ｂ、ｃの関係のうちｃ＝０とする）。
【実施例８】
【０１９３】
図１９は、本発明の第八の実施例による照明装置の例を説明する図である。図１９（ａ）は、本発明の第八の実施例による照明装置の別の例の上面図であり、図１９（ｂ）は、本発明の第八の実施例による画像読取装置の別の例の正面図である。【０１９４】
本発明の第一〜第七の実施例においては、照明レンズとして、隣接して配置された複数の凸シリンダレンズで構成されるシリンダレンズアレイを示してきたが、照明レンズとして、隣接して配置された複数の凹シリンダレンズで構成されるシリンダレンズアレイを用いることもできる。【０１９５】
図１９に示すような照明装置の例においては、照明レンズ（３）として、隣接して配置された複数の凹シリンダレンズで構成されるシリンダレンズアレイが使用されている。照明レンズ（３）として、隣接して配置された複数の凹シリンダレンズで構成されるシリンダレンズアレイを用いた場合であっても、ＬＥＤ（１）から発生する光束を、主走査方向（Ｓｘ）において、拡散させることができる。ここで、シリンダレンズアレイを構成する各々の凹シリンダレンズの焦点距離がｆであり、且つ、ＬＥＤ（１）の一つに対応する凹シリンダレンズの主点から照明対象面（撮像領域）（Ａｉ）までの距離がｇであるとすると、主走査方向（Ｓｘ）におけるＬＥＤ（１）の一つから放出された光の光束の幅の拡大率Ｑは、【０１９６】
【数１３】
2008032588.tif 000015
【０１９７】
であり、本発明の実施形態において、Ｑは、２以上である。
【実施例９】
【０１９８】
本発明の第一〜第八の実施例においては、画像読取装置における原稿台（コンタクトガラス）並びに結像レンズ及び一次元撮像装置を含む読取系が、固定される一方で、第一走行体及び第二の走行体が、副走査方向において、差動的に移動する。そして、第一走行体に、本発明の第一〜第八の実施例による照明装置が、搭載される。第一走行体には、照明装置を除けば、撮像領域から反射された光の光路を折り曲げる変向ミラーのみを搭載するので、第一走行体の質量は、増加せずに、第一走行体及び第二の走行体の移動による画像の読取は、高速の読取に適する。しかしながら、低速な読取が許容される場合には、読取装置も第一走行体上に搭載することも考えられる。なお、この場合には、第二走行体は、不必要となるので、走行体は一つのみでもよい。）。【０１９９】
図２０は、本発明の第九の実施例による画像読取装置の例を説明する図である。図２０（ａ）は、本発明の第九の実施例による画像読取装置の一つの例を説明する図であり、図２０（ｂ）は、本発明の第九の実施例による画像読取装置の別の例を説明する図である。【０２００】
図２０（ａ）及び（ｂ）に示すような画像読取装置においては、本発明の第一〜第八の実施例による照明装置としての照明ユニット（１０）が、読取系としての読取ユニット（１６）と共に走行体（１１ａ）に搭載される。読取ユニット（１６）は、結像レンズ及び撮像素子を含む縮小光学系であるため、原稿面から結像レンズまでのある程度の距離が、要求される。【０２０１】
図２０（ａ）に示すような画像読取装置においては、原稿面からの反射された画像光は、一旦変向ミラー（１２）によって、コンタクトガラス（１３）に平行な方向に変向させられた後、二つの折返しミラー（１７ａ）及び（１７ｂ）で、各々２回ずつ、折り返された後に、読取ユニット（１６）へ導かれる。【０２０２】
図２０（ｂ）に示すような画像読取装置においては、原稿面からの反射された画像光は、変向ミラー（１２）によって斜め右上に向かって折り返され、第一の折返しミラー（１７ａ）によって、コンタクトガラス（１３）に平行な方向に変向させられた後、第二の折り返しミラー（１７ｂ）に向けらける。その第二の折返しミラー（１７ｂ）に入射した光は、少し下向きに再度反射させて、再度、第一の折返しミラー（１７ａ）に戻される。第一の折返しミラー（１７ａ）に戻された光は、斜め下側に反射させられ、第三の折返しミラー（１７ｃ）でさらに反射させられ、コンタクトガラス（１３）の面に平行な方向において、
読取ユニット（１１）へ導かれる。【０２０３】
図２０（ａ）及び（ｂ）に示すように、読取ユニット（１１）のような読取系及び照明ユニット（１０）のような照明系の両方を走行体（１１ａ）上に搭載する場合であっても、発明の第一〜第八の実施例による照明装置のいずれも、照明ユニット（１０）として用いることができる。図２０（ａ）においては、図７（ｅ）に示す照明装置を直接採用している。図２０（ｂ）に示すような画像読取装置においては、図２０（ａ）に示す画像読取装置における第一の集束手段としての回転放物面鏡の代わりに、凸レンズを用いたものである。
【実施例１０】
【０２０４】
本発明の第一〜第九の実施例においては、撮像素子で画像を読み取る縮小光学系又はディジタル画像読取装置に搭載するための照明装置及び照明方法を説明してきた。しかしながら、本発明の第一〜第九の実施例に示すような照明装置及び照明方法を、等倍光学系又はアナログ複写機に搭載するための照明方法としても使用可能である。【０２０５】
図２１は、本発明の第十の実施例による画像読取装置の例を説明する図である。図２１に示すような画像読取装置の例は、シート状の原稿を複写する画像形成装置用の画像読取装置である。結像レンズ（１４）は、マイクロレンズアレイであり、多数のマクロレンズを、マイクロレンズアレイの長さが、紙のようなシート原稿（３３）の幅と同じ長さとなるように、配列させたものである。結像レンズ（１４）は、等倍光学系を提供するために、撮像領域（Ａｉ）と感光体（３１）のちょうど中間に配置される。シート原稿（３３）との摩擦が少ないコンタクトガラス（１３）上の撮像領域（Ａｉ）部分で、紙送りローラ（３２）によって、シート原稿（３３）は、圧接されると共に送られる。シート原稿の送りと同期して（同じ速度で）感光体（３１）を移動させる。なお、感光体（３１）を帯電させる帯電装置及び転写装置のような感光体の周辺装置の図示は、省略した。【０２０６】
図２１に示すような画像読取装置の例において、照明装置は、図７（ｂ）に示す照明装置において、走行体を除去し、折り返しミラーの位置を変えたものである。このような照明装置を使用して、シート原稿（３３）の撮像領域（Ａｉ）を一次元に照明し、シート原稿（３３）上の画像を、結像レンズ（１４）を介して感光体（３１）上に投影している。そして、シート原稿（３３）及び感光体（３１）を順次移動させることによって、シート原稿（３３）上の画像の全体を、感光体（３１）上に二次元画像として投影することができる。その後、アナログ複写機のプロセスとして、一般に使われている紙と同じ、普通紙上に画像を転写して、画像のハードコピーを得るが、公知のアナログ複写プロセスの詳細な説明は省略する。【０２０７】
このように、アナログ複写機においても、本発明の実施形態による照明方法及び照明装置を使用して、照度むらを軽減することができるので、高品質な画像を得ることができる。【０２０８】
以上の説明は照明対象面（撮像領域）を均一に照明する方法を述べてきた。等倍光学系を用いた画像読取装置、或いは画像形成装置用に適用するにはそのままの適用がよい。縮小光学系を用いた画像読取装置では結像レンズのコサイン４乗特性（ｃｏｓ４θ特性）により、主走査方向の照明対象領域の中央部はその周辺部より光量を落としたほうが総合的に省エネとなり都合が良い。その場合、コサイン４乗特性に合わせて、光源であるＬＥＤの間隔を周辺部から中央部に向かって粗くしていくことによって容易に実現できる。勿論、その場合、一番粗い場所においてもＬＥＤが発光する光束をＬＥＤの間隔の２倍以上に拡散をさせるのが望ましい。【０２０９】
図２２は、縮小光学系を用いた画像読取装置における撮像領域（Ａｉ）での照度分布（Ｄｉ）及びＣＣＤ上での縮小光学系の相対明度の関係を説明する図である。図２２（ａ）は、縮小光学系を用いた画像読取装置における撮像領域（Ａｉ）、結像レンズ、及び一次元ＣＣＤの配置を示す図であり、図２２（ｂ）は、（１）結像レンズによって一次元ＣＣＤ上に結像される画像の明度分布と、（２）撮像領域（Ａｉ）に要求される照度分布（Ｄｉ）の関係を説明する図である。【０２１０】
図２２（ａ）に示すように、撮像領域（Ａｉ）に平行に一次元ＣＣＤを置き、その間に結像レンズ（１４）を置いて、その一次元ＣＣＤ上に画像を結像させる画像読取装置において、撮像領域（Ａｉ）における画像を、結像レンズ（１４）によって、一次元撮像素子（１５）としての一次元ＣＣＤに結像させた場合には、その結像レンズ（１４）によって結像される一次元ＣＣＤ上の中央部における画像の明度に対して、その一次元ＣＣＤ上の周辺部における画像の明度は低くなる。【０２１１】
図２２（ａ）において、Ｗを、主走査方向（Ｓｘ）における撮像領域（Ａｉ）の長さとし、結像レンズ（１４）を、撮像領域（Ａｉ）の中心の鉛直方向にその光軸を有するように配置し、Ｌｄを、撮像領域（Ａｉ）から結像レンズ（１４）までの距離とすると、結像レンズ（１４）の光軸に対して結像レンズ（１４）に入射する光線の角度θの最大値θｍａｘは、
θｍａｘ＝ｔａｎ−１［Ｗ／（２×Ｌｄ）］
となる。【０２１２】
このとき、一次元ＣＣＤ上の主走査方向（Ｓｘ）における各位置での結像レンズ（１４）によって結像される画像の明度の相対値は、いわゆるコサイン４乗則に従って、その位置に対応する撮像領域（Ａｉ）における位置から結像レンズに入射する光線の角度θに対して、図２２（ｂ）の曲線（１）に示すようなｃｏｓ４θで変化する。その結果、主走査方向（Ｓｘ）の中心における結像レンズ（１４）によって結像される一次元ＣＣＤ上の画像の明度に対して、主走査方向（Ｓｘ）の周辺における結像レンズ（１４）によって結像される一次元ＣＣＤ上の画像の明度は、数１０％低くなる。【０２１３】
一方、一次元ＣＣＤに入射する光量は、一次元ＣＣＤによって電気信号に変換されるので、その光量を電気信号に変換した後に、その電気信号の増幅率を変化させることによって、結像レンズ（１４）によって結像される画像の明度の差異を補正することは、可能である。しかしながら、この場合には、ダイナミックレンジが小さくなってしまうので、結像レンズ（１４）によって結像される画像の明度が相対的に低い一次元ＣＣＤの周辺では、ノイズが増加する。その結果、一次元ＣＣＤで読み取られた画像が汚くなる。【０２１４】
そこで、図２２（ｂ）の曲線（１）に示す関係と逆比例するように、結像レンズ（１４）の撮像領域（Ａｉ）側に、結像レンズ（１４）の光軸付近の撮像領域（Ａｉ）の位置からの光についての遮光量が多くなるような遮光マスクを挿入するか、又は、光源からの光を反射させる反射板の反射率を、反射板の中央における反射率が低くなるように変化させることによって、一次元ＣＣＤに結像される光の照度を一定にすることも考えられる。このような場合には、電気信号の補正を低減することが可能になる。しかしながら、光源から放出される光を遮光する又は捨てることは、省エネルギーの観点からは、望ましくない。【０２１５】
即ち、光源から発生する光束を捨てることなく、図２２（ｂ）の曲線（２）に示す撮像領域（Ａｉ）に要求される照度分布（Ｄｉ）になるように、撮像領域（Ａｉ）を照明するのが望ましい。そうすれば、光源から放出される光の利用効率を向上させることができ、その結果、撮像領域（Ａｉ）を照明する光のエネルギーを低減する（省エネルギーを達成する）ことができる。【０２１６】
結像レンズ（１４）によって結像される一次元撮像素子（ＣＣＤ）（１５）上の画像の明度分布を一定にする方法としては、例えば、ＬＥＤのような複数の光源の間隔を変えて対応する方法、撮像領域（Ａｉ）から複数の光源までの距離を変えて対応する方法、複数の光源から放出される光の光束の発散角を変えて対応する方法、及び、照射対象面に対する複数の光源の光軸の方向を変えて対応する方法が、挙げられる。このような方法を採用することによって、主走査方向（Ｓｘ）における撮像領域（Ａｉ）を照明する光の照度分布（Ｄｉ）が、図２２（ｂ）の曲線（２）に示すような１／ｃｏｓ４θの特性を有するように、複数の光源の配置を変えて対応すればよい。
【実施例１１】
【０２１７】
本発明の第１１の実施例は、複数の光源の配置間隔を変えて撮像対象領域（撮像領域）（Ａｉ）を照明する光の照度分布（Ｄｉ）を１／ｃｏｓ４θの特性に一致させる例を示す。【０２１８】
図２３は、一次元ＣＣＤに結像される画像の相対明度が一定となるような、撮像対象領域（Ａｉ）を照明する複数の光源の配置間隔を決定する方法を説明する図である。【０２１９】
一次元ＣＣＤに結像される画像の相対明度が一定となるようにするためには、撮像対象領域（Ａｉ）を照明する複数の光源（例えば、ＬＥＤ）の配置間隔を中央部（結像レンズの光軸）から離れるに従って狭めていく。図２３においては、図２２（ａ）に示す配置を、９０度反時計まわりに回転させて示しており、そこに示した記号で、図２２における記号と同じ記号は同じ意味である。なお、図２３において、Ｗｈは、主走査方向（Ｓｘ）における撮像対象領域（Ａｉ）の長さＷの半分であり、撮像対象領域（Ａｉ）の中心から計算される。【０２２０】
一次元ＣＣＤに結像される画像の相対明度が一定となるような、撮像対象領域（Ａｉ）を照明する複数の光源の間隔を計算するために、副走査方向（Ｓｙ）については光源からの光束が発散しないことを前提として、設計する又はシミュレーションすることにする。具体的には、副走査方向（Ｓｙ）においては、複数の光源から放出される光を平行光として撮像対象領域（Ａｉ）を照明するか、複数の光源から放出される光を撮像対象領域（Ａｉ）に集束させるか、又はそれらの中間のいずれかを採用する。【０２２１】
図２３に示すように、図２３の中心線（結像レンズの光軸）に対して上半分の領域及び下半分の領域は、対称であるので、説明の都合上、下半分の領域のみを用いて説明する。まず、その下半分の領域（主走査方向（Ｓｘ）における撮像対象領域（Ａｉ）の半分）をＮ分割し、中心線上の点を原点とする。さらに、その原点の点番号を０とすると共に、各分割点の点番号を、原点に近い順に１〜ｎと番号付けて、原点０から分割点１までの間隔、分割点１から分割点２までの間隔、…、分割点ｎ−１から終点ｎまでの間隔を、それぞれ、ｗ１、ｗ２、…、ｗｎによって表す。【０２２２】
ここで、図２２（ｂ）の曲線（２）に示す撮像対象領域（Ａｉ）に要求される照度分布（Ｄｉ）になるようなｗ１〜ｗｎの間隔を得るのだが、下半分の領域（主走査方向（Ｓｘ）における撮像対象領域（Ａｉ）の半分）のＮ分割を、最初はＮ等分にする。そして、撮像対象領域（Ａｉ）全域が一定照度で照明されている場合として、結像レンズによって一次元ＣＣＤ上に結像される各分割点に対応する位置の相対明度を、コサイン四乗則によって求める。具体的には、撮像対象領域（Ａｉ）上のｋ番目の分割点に対応する結像レンズによって一次元ＣＣＤ上に結像する画像の相対明度は、ｃｏｓ４θｋである。また、これらの相対明度の総和は、【０２２３】
【数１４】
2008032588.tif 000016
【０２２４】
である。ここで、θｋは、結像レンズの光軸に対する、結像レンズの中心と撮像対象領域（Ａｉ）のｋ番目の分割点とを結ぶ直線の角度である。なお、θｎは、結像レンズの光軸に対する、結像レンズの中心とｎ番目の分割点とを結ぶ直線の角度であり、θｍａｘと一致する。【０２２５】
次に、各分割点に対応した相対明度に比例した分割で各分割点間の距離を与え直す。即ちＮ分割点間の間隔ｗ１，ｗ２，…，ｗｎを、式【０２２６】
【数１５】
2008032588.tif 000017
【０２２７】
に従って、算出する。【０２２８】
ここで得られた各分割点間の間隔ｗ１，ｗ２，…，ｗｎは、目標とする間隔から少しずれているので、再度、同様の計算をする。【０２２９】
まず、各分割点の位置を上式で得られた間隔ｗ１，ｗ２，…，ｗｎで分割し直し、結像レンズの光軸に対する、結像レンズの中心とｋ番目の分割点とを結ぶ直線の角度θ’ｋを算出する。次に、得られた間隔ｗ１，ｗ２，…，ｗｎの各々で各分割点に対応する一次元ＣＣＤ上に結像する画像の相対明度を、コサイン四乗則によって求める。具体的には、ｋ番目の分割点に対応する一次元ＣＣＤ上に結像する画像の相対明度は、ｃｏｓ４θ’ｋである。また、その相対明度の総和は、【０２３０】
【数１６】
2008032588.tif 000018
【０２３１】
である。【０２３２】
ここで、これを基に、改めてそれぞれの分割点間の間隔ｗ’１，ｗ’２，…，ｗ’ｎを、式【０２３３】
【数１７】
2008032588.tif 000019
【０２３４】
に従って、算出する。【０２３５】
このような演算を無限回繰り返すことによって、目標とする分割点間の間隔に限りなく近づくのであるが、後述するように、Ｎを１２としてミュレーションした結果では、最初の演算によって得られた間隔ｗ１，ｗ２，…，ｗｎと、二回目の演算によって得られた間隔ｗ’１，ｗ’２，…，ｗ’ｎのそれぞれ対応する間隔の差異は、最大で±０．４％未満であった。このような差異は、実用上、（部品の精度や加工精度などのような）他の要因の変動より遥かに小さいので、最初の演算によって得られた間隔ｗ１，ｗ２，…，ｗｎを用いても問題はない。【０２３６】
このように求めた撮像対象領域（Ａｉ）の分割点に対応してＬ０の距離上に光源を配置して、撮像対象領域（Ａｉ）の周辺部まで１／ｃｏｓ４θの照度分布を与えようとすると、撮像対象領域（Ａｉ）幅Ｗを超えて光源を配置する必要がある。即ち、０からｎまでの位置のＮ個の光源以外に、撮像対象領域（Ａｉ）からＬ０離れた線上の撮像対象領域（Ａｉ）から外れた延長線上にもｎ＋１、ｎ＋２、ｎ＋３、・・・と光源を配置する必要がある（この配置位置は上述の計算方法を演繹すれば容易に求まるが、詳しい説明は省略する）。【０２３７】
次に、間隔が調整された複数の光源によって照明される撮像対象領域（Ａｉ）の照度分布を求める方法を示す。【０２３８】
図２４は、一次元ＣＣＤに結像される画像の相対明度が一定となるような、撮像対象領域（Ａｉ）を照明する複数の光源の具体的な配置を説明する図である。図２４（ａ）は、複数の光源の配置及び側面鏡を配置する鏡面の位置を示す図であり、図２４（ｂ）は、光源の放射特性の例を示す図である。
図２４（ａ）は、図２３の撮像対象面（撮像対象領域）（Ａｉ）より左側に表現した部分の拡大図である。【０２３９】
図２４（ａ）に示すように、照明対象領域（撮像対象領域）（Ａｉ）からＬ０だけ離れ、且つ撮像対象領域（Ａｉ）に対して平行に、上述の説明で得られた間隔でＮ分割することによって、得られた各分割点に光源を置いている。更に、その外側ＰＭ１の位置に鏡面（側面鏡）を置いて、撮像対象領域（Ａｉ）の各位置の相対照度を算出する。この鏡面は、撮像対象領域（Ａｉ）の範囲を分割した点に対応した光源配置位置上に置いた複数の光源から放出される光束を反射させて、あたかもその延長線上に光源があるかのように照明対象領域（Ａｉ）の範囲を照射させている。【０２４０】
図２４（ａ）においては、主走査方向（Ｓｘ）における撮像対象領域（Ａｉ）の半分をＮ分割することによって得られたｎ＋１個の光源の位置を、Ｐ０，Ｐ１，…Ｐｎとすると共に、ｎ番目の光源の外側ＰＭ１の位置に設けられる側面鏡によって得られる、Ｐ０，Ｐ１，…Ｐｎに配置された光源の像（虚光源ＶＬＳ）の位置をＰｎ＋１，Ｐｎ＋２，…Ｐ２ｎ＋１とする。ここで、Ｐｎの位置に置かれた光源とＰｎ＋１に位置する、側面鏡によって得られるその光源の像との間の間隔は、上述の計算方法を演繹して得られる。そして、位置Ｐｎと位置Ｐｎ＋１は、互いに側面鏡による鏡像の関係にあるので、側面鏡の鏡面を、位置Ｐｎと位置Ｐｎ＋１との間の間隔の半分の位置に設けている。更に、上述の計算方法を演繹して位置Ｐｎ＋１と位置Ｐｎ＋２との間の間隔、…、位置Ｐ２ｎと位置Ｐ２ｎ＋１との間の間隔を求めると、位置Ｐｎ＋１、位置Ｐｎ＋２との間の間隔、位置Ｐｎ＋２と位置Ｐｎ＋３との間の間隔、…、と進むにつれて間隔が狭くする必要があるが、図２４に示す配置では鏡面による虚像であるため逆に間隔が広くなってしまう（当然、位置Ｐｎ＋１と位置Ｐｎ＋２との間の間隔、…、位置Ｐ２ｎと位置Ｐ２ｎ＋１との間の間隔は、それぞれ、位置Ｐｎ−１と位置Ｐｎとの間の間隔、…、位置Ｐ０と位置Ｐ１との間の間隔に一致している）。なお、ｎ番目の光源の外側に設けられる側面鏡と対をなす側面鏡が、撮像対象領域（Ａｉ）の中心線（結像レンズの光軸）に対して上半分の領域にも設けられ（ＰＭ２の位置）、ｎ番目の光源の外側に設けられる側面鏡とは、互いに平行に配置される。このため、側面鏡の対によって、鏡像である無限の数の虚光源が生じるが、この内、側面鏡で２回以上の反射で生ずる虚光源は、撮像対象領域（Ａｉ）からかなり離れた位置に生じため、撮像対象領域（Ａｉ）における照度分布（Ｄｉ）に対する寄与率が、著しく小さく、無視してもなんら差し支えない。【０２４１】
次に、複数の光源によって照明される撮像対象領域（Ａｉ）のある任意の点Ｍｍにおける相対照度Ｉ（Ｍｍ）を求めることにする。撮像対象領域（Ａｉ）に対する鉛直線と、光源から点Ｍｍに向かって放出される光の放射ベクトルの角度をαとすると、光源から撮像対象領域（Ａｉ）までの距離が、Ｌ０であるので、ある一つの光源から点Ｍｍまでの距離は、Ｌ０／ｃｏｓαとなる。そして、副走査方向（Ｓｙ）においては光源から放出される光の光束が発散しないことを前提とすると、各光源から放出される光によって照明される撮像対象領域（Ａｉ）の点Ｍｍにおける光の強度は、各光源から点Ｍｍまでの距離Ｌ０／ｃｏｓαに逆比例する。さらに、その同一点Ｍｍでの面の傾きによる受ける光束の減少度はｃｏｓαとなる。
一方、図２４（ｂ）に示すように、撮像対象領域（Ａｉ）に対する鉛直線と角度αをなす放射ベクトルの方向に光源から放出される光の強度は、光源から放出される光の放射ベクトルの分布（エンベロープ）に依存する。現実のＬＥＤなどの光源の放射ベクトル分布（エンペロープ）は複雑な形を成しているが、計算の都合上円形ないしは楕円状で近似する。例えば、図２４（ｂ）の（１）に示すように、光源から放出される光の放射ベクトルのエンベロープが円形に近似できる場合には、光源の中心軸に対して角度αをなす放射ベクトルの方向に光源から放出される光の強度は、ｃｏｓαだけ減少する。光源から放出される光の放射ベクトルのエンベロープが、楕円状に近似できる場合には、その放射ベクトルのエンベロープの形状により、図２４（ｂ）の（２）に示すようなｃｏｓ２α、あるいは、図２４（ｂ）の（３）に示すようなｃｏｓ４α等のように近似することが可能である。【０２４２】
従って、複数の光源によって照明される撮像対象領域（Ａｉ）のある任意の点Ｍｍにおける相対照度Ｉ（Ｍｍ）は、【０２４３】
【数１８】
2008032588.tif 000020
【０２４４】
によって表される。ここで、Ａｋは、ｋ番目の光源が放出する光の総光量の相対値であり、αｋは、結像レンズ光軸の方向に対する点Ｍｍに向かうｋ番目の光源の放射ベクトルの角度である。また、ａは、その光源の放射ベクトルのエンベロープを近似する係数である。例えば、光源の放射ベクトルのエンベロープが、円形に近い場合には、図２４（ｂ）の（１）に示すように、ａ＝１とし、光源の放射ベクトルのエンベロープが、楕円状に近い場合には、図２４（ｂ）の（２）及び（３）に示すａ＝２及びａ＝３のように、ａ＞１とする。また、光源の放射ベクトルのエンベロープが偏平していればａ＜１に近似できる。【０２４５】
このようにして、撮像対象領域（Ａｉ）の中心線（ＣＬ）から下半分に配置した光源の全体によって照明される撮像対象領域（Ａｉ）の全域にわたる照度分布を算出することができる。また、得られた照度分布を中心線（ＣＬ）に対して対称に反転させれば、撮像対象領域（Ａｉ）の中心線（ＣＬ）から上半分に配置した光源の全体によって照明される撮像対象領域（Ａｉ）の全域にわたる照度分布を得ることができる。そして、撮像対象領域（Ａｉ）の中心線（ＣＬ）から下半分に配置した光源の全体によって照明される撮像対象領域（Ａｉ）の全域にわたる照度分布と撮像対象領域（Ａｉ）の中心線（ＣＬ）から上半分に配置した光源の全体によって照明される撮像対象領域（Ａｉ）の全域にわたる照度分布を加算すれば、全部の光源によって照明される撮像対象領域（Ａｉ）の全域にわたる照度分布を得ることができる。ただし、この計算をする場合、Ｐ０上に置いた光源から発する光束は中心線（ＣＬ）から下半分を計算する場合と、上半分を計算する場合の両者で用いるので、その光源の相対強度Ａ０を、その以外の位置に置いた光源の相対強度の１／２として計算する必要がある。【０２４６】
そこで、このようなモデルで得られる相対照度を撮像対象領域（Ａｉ）の全域にわたって計算する。【０２４７】
従来、実用的な縮小光学系は、結像レンズによる像の歪みや明度分布の関係からＷ：Ｌｄ＝１：１．５からＷ：Ｌｄ＝１：１の範囲で用いられてきた。Ｗ：Ｌｄ＝１：１．５の場合には、θｍａｘ＝１８．４°となり、Ｗ：Ｌｄ＝１：１の場合には、θｍａｘ＝２６．６°となる。
図２５は、これらの実用的な縮小光学系を用いた場合、一定照度で照明された撮像対象領域（Ａｉ）を結像レンズによって一次元ＣＣＤ上に結像される画像の相対明度の具体例、及び、一次元ＣＣＤ上に結像される画像の相対明度が一定になるように撮像対象領域（Ａｉ）を照明する場合の目標照度分布（要求照度分布）の具体例を示す図である。
Ｗ：Ｌｄ＝１：１．５の場合における、撮像対象領域（Ａｉ）内の各位置に対応する一次元ＣＣＤ上に結像レンズによって結像される画像の相対明度の曲線は、図２５における（１）に示す曲線のようになる。また、Ｗ：Ｌｄ＝１：１の場合における、撮像対象領域（Ａｉ）内の各位置に対応する一次元ＣＣＤ上に結像レンズによって結像される画像の相対明度の曲線は、図２５における（２）に示す曲線のようになる。その結果、Ｗ：Ｌｄ＝１：１．５の場合における、撮像対象領域（Ａｉ）の中心における照度に対して、撮像対象領域（Ａｉ）のあらゆる位置で要求される照度の割合の曲線は、図２５の（３）に示す曲線のようになり、その撮像対象領域（Ａｉ）の中心における照度に対して、撮像対象領域（Ａｉ）の両端における向上させなければならない照度の程度は、１２３％である。また、Ｗ：Ｌｄ＝１：１の場合における、撮像対象領域（Ａｉ）の中心における照度に対して、撮像対象領域（Ａｉ）のあらゆる位置で要求される照度の割合の曲線は、図２５の（４）に示す曲線のようになり、その撮像対象領域（Ａｉ）の中心における照度に対して、撮像対象領域（Ａｉ）の両端における向上させなければならない照度の程度は、１５６％である。【０２４８】
図２６は、これまでに述べた考え方に従って撮像対象領域（Ａｉ）を照明する目標相対照度に向けてシミュレーションした結果を示す図である。即ち、上述した式によって求められる相対照度Ｉ（Ｍｍ）の値、及び、その相対照度Ｉ（Ｍｍ）と要求される相対照度との差分を、Ａｋ＝１、Ｎ＝１２（撮像対象領域（Ａｉ）の全域を照明する光源の数＝２５個）、及び、ａ＝２の条件で計算した。ただし、図２６（ａ）は、Ｗ：Ｌｄ＝１：１の場合における結果のみを表示している。図２６（ｂ）は、相対照度Ｉ（Ｍｍ）の計算結果と要求される相対照度との差分を示す図（拡大図）である。【０２４９】
また、図２６（ａ）において、グラフ（１）は、中心線（ＣＬ）から半分の領域における光源によって照明される撮像対象領域（Ａｉ）全域での照度分布を示し、グラフ（２）は、グラフ（１）の反対側の半分の領域における光源によって照明される撮像対象領域（Ａｉ）全域での照度分布を示す。グラフ（３）は、グラフ（１）とグラフ（２）との和である。グラフ（４）は  グラフ（３）の中央の値が１００になるように正規化したものである。グラフ（５）は、図２６（ａ）のグラフ（４）と図２５のグラフ（４）との差分である。【０２５０】
図２６（ｂ）において、グラフ（６）は、グラフ（５）と同一であり、グラフ（７）は、Ｗ：Ｌｄ＝１：１．５の場合における相対照度の計算値と目標照度との差分である。【０２５１】
図２６（ｂ）に示すグラフの両端付近が乱れて目標照度との差分が多く発生している理由は、図２４に示すように位置Ｐｎ＋１から位置Ｐ２ｎ＋１までの光源が、位置Ｐ０から位置Ｐｎまでの光源の鏡像である虚光源であるので、光源の間の間隔を理想的な間隔にしていないためである。ただし、位置Ｐｎと位置Ｐｎ＋１の間における側面鏡の位置を若干Ｐｎ側に接近させたり、側面鏡の角度を微妙に変化させたり、適切に設定することによって、撮像対象領域（Ａｉ）の両端付近における照度分布をある程度制御することができる。【０２５２】
しかしながら、グラフ（７）に示される差分は、±１（％）未満であり、グラフ（６）で示される差分も、±２（％）未満である。すなわち、複数の光源によって照明される撮像対象領域（Ａｉ）の相対照度を、非常に精度よく目標の照度分布に近づけることが可能であることがわかる。また、図２６（ｂ）のグラフから、主走査方向（Ｓｘ）における、光源によって照明する領域の幅を２〜３％程度増加させる（又は、主走査方向（Ｓｘ）における、光源によって照明される撮像対象領域（Ａｉ）の幅を２〜３％程度減少させる）ことによって、光源によって照明される撮像対象領域（Ａｉ）の照度分布を、目標の照度分布にさらに適合させることが可能であり、適切な条件を設定することによって、光源によって照明される撮像対象領域（Ａｉ）の照度分布と目標の照度分布との差分を、±１％未満にすることが可能である。ただし、実用上は、部品の精度や組み立て精度の誤差などによる照度分布の変動が、上記の差分よりも大きく、上記の差分程度は、あまり問題ではない。【０２５３】
また、図２６（ｂ）におけるグラフ（６）及び（７）の比較から、主走査方向（Ｓｘ）における撮像対象領域（Ａｉ）の幅Ｗに対する撮像対象領域（Ａｉ）から結像レンズまでの距離Ｌｄの比が、より大きいほど、容易に目標照度分布に近づけられることが分る。【０２５４】
さらに、光源の放射ベクトルのエンベロープをモデル化するｃｏｓａαにおけるａを、ａ＝１又はａ＝４に設定して、同様のシミュレーションをした場合に、照明対象面（撮像領域）（Ａｉ）から光源までの最適距離Ｌ０が、多少変化するものの、ほぼ同様の特性が得られた。【０２５５】
加えて、ここでは、撮像対象領域（Ａｉ）の中心線上に光源を置き、撮像対象領域（Ａｉ）の全域を、奇数個の光源で照明することを前提にしたが、撮像対象領域（Ａｉ）の中心線上に光源を置かずに、照明対象領域（Ａｉ）の全域を、偶数個の光源で照明することもでき、同様のシミュレーション又は設計も可能であることは言うまでもない。【０２５６】
次に、複数の光源の間隔を調整することによって、撮像対象領域（Ａｉ）を照明する光の照度分布を１／ｃｏｓ４θの特性に一致させる照明装置の一例を示す。【０２５７】
図２７は、複数の光源の間隔を調整することによって、撮像対象領域（Ａｉ）を照明する光の照度分布を１／ｃｏｓ４θの特性に一致させる照明装置を実現するための概念図である。図２７（ａ）は、複数の光源の間隔を調整することによって、撮像対象領域（Ａｉ）を照明する光の照度分布を１／ｃｏｓ４θの特性に一致させる照明装置の例の上面図であり、撮像対象領域（Ａｉ）の周辺部の一方を示したものである（中心部からもう一方の周辺部は省略している）。図２７（ｂ）は、複数の光源の間隔を調整することによって、撮像領域（撮像対象領域）（Ａｉ）を照明する光の照度分布を１／ｃｏｓ４θの特性に一致させる照明装置の例の正面図である。【０２５８】
図２７（ａ）に示すように、照明装置は、複数の光源として、主走査方向（Ｓｘ）に配列させられた複数のＬＥＤを含む。個々のＬＥＤから放出される光の光束を、そのＬＥＤに対応する凸レンズであるフードレンズによって平行光にした後、シリンダレンズである照明レンズ（３）によって一旦、集光させた後、発散させることによって、照明対象領域（Ａｉ）を照明する。ここで、複数のＬＥＤの間隔は、上述のシミュレーションの結果に従って、照明装置の中心線付近から照明装置の周辺に向かって、狭くなるように、複数のＬＥＤが、配置してある。（図２７（ａ）におけるＬＥＤの間隔ｗｋの番号ｋの順序は、図２３における間隔ｗｋの番号ｋの順序と逆である。）なお、図２４に示される撮像対象領域（Ａｉ）から距離Ｌ０だけ離れた各光源の位置Ｐ０〜Ｐｎは、図２７（ａ）に示す照明装置においては、各ＬＥＤに対応するシリンダレンズの焦点の位置（焦点距離ｆ）に対応する。すなわち、各ＬＥＤに対応するシリンダレンズの焦点の位置は、仮想的な光源の位置とみなすことができる。【０２５９】
また、この第１１の実施例での照明装置の副走査方向（Ｓｙ）における構成は、副走査方向（Ｓｙ）における本発明の第１〜９の実施例での照明装置の構成を変更する必要はない。図２７（ｂ）には、個々のＬＥＤから放出された光の光束を、そのＬＥＤに対応するフードレンズで平行光にされた後、シリンダレンズである照明レンズ（３）を平行光のまま透過し、集束ミラー（４ｂ）によって照明対象領域（Ａｉ）に集束される方法を示している。ここで、集束ミラーの代わりに平面鏡を用いて平行光のまま撮像対象領域（Ａｉ）を照射するようにしても上述のシミュレーションの結果から外れるものではないことを付記しておく。【０２６０】
なお、図２７においては、光源のＬＥＤから放出された光を平行光にする手段として、凸レンズであるフードレンズを用いたが、フードレンズの代わりに、図９に示すような回転放物面鏡を用いてもよい。【０２６１】
また、本発明の第１〜９の実施例の方法又は装置の構成において、主走査方向（Ｓｘ）に配置された複数の光源の間隔を、上述したようなシミュレーションの結果に従って、変更してもよい。【０２６２】
さらに、本発明の第５及び６の実施例においては、赤色（Ｒ）、緑色（Ｇ）、青色（Ｂ）のＬＥＤの組みを光源としている。本発明の第１１の実施例においても、同様にして、その赤色（Ｒ）、緑色（Ｇ）、青色（Ｂ）のＬＥＤの組みの間隔を、上述したシミュレーションの結果に従って、変更すればよい。
【実施例１２】
【０２６３】
本発明の第１２の実施例は、複数の光源の各々から撮像対象領域（Ａｉ）までの距離を調整して撮像対象領域（Ａｉ）を照明する光の照度分布を１／ｃｏｓ４θの特性に一致させる例を示す。【０２６４】
図２８は、一次元ＣＣＤに結像される画像の相対明度が一定となるような、撮像対象領域（Ａｉ）を照明する複数の光源の具体的な配置の求め方を説明する図である。図２８（ａ）は、複数の光源の配置及び側面鏡を配置する鏡面の位置を示す図であり、図２８（ｂ）は、光源の放射特性の例を示す図である。【０２６５】
図２８（ａ）に示す図においては、主走査方向（Ｓｘ）における複数の光源の間隔は、一定であるが、複数の光源の各々から照明対象領域（撮像対象領域）（Ａｉ）までの距離を変化させる。図２８における記号は、図２４における記号と同一であるが、図２８（ａ）においては、複数の光源の間隔ｗ１，ｗ２，…ｗｎは、一定であり、Ｗｈ／Ｎに等しい。言い換えれば、複数の光源の間隔ｗ１，ｗ２，…ｗｎは、主走査方向（Ｓｘ）における撮像対象領域（Ａｉ）の長さの半分ＷｈをＮ等分することによって与えられる。また、複数の光源のうち、ｋ番目の位置Ｐｋに配置される光源から照明対象面（撮像領域）（Ａｉ）までの距離Ｌｋは、次式【０２６６】
【数１９】
2008032588.tif 000021
【０２６７】
に従って決められる。ここで、θｋは、結像レンズの光軸に対する、結像レンズの中心と撮像対象領域（Ａｉ）上のｋ番目の分割点とを結ぶ直線の角度である。すなわち、複数の光源のうちｋ番目の位置Ｐｋに配置される光源から照明対象面（撮像領域）（Ａｉ）までの距離Ｌｋは、θｋに対してコサイン四乗則に従った、結像レンズによって結像される画像の明度の減少を、結像レンズの光軸上に設けられた光源の位置Ｐ０から撮像対象領域（Ａｉ）までの距離Ｌ０を距離Ｌｋまで減少させることによって補償する。【０２６８】
また、複数の光源から放出される光によって照射される撮像対象領域（Ａｉ）における任意の点Ｍｍでの相対照度Ｉ（Ｍｍ）は、本発明の第１１の実施例と同様の考え方で、式【０２６９】
【数２０】
2008032588.tif 000022
【０２７０】
によって求められる。【０２７１】
図２９は、本発明の第１２の実施例以降の実施例における相対照度についてのシミュレーション結果のうち、相対照度Ｉ（Ｍｍ）の計算結果と要求される相対照度との差分を示す図である。【０２７２】
本発明の第１２の実施例中、以上に示した条件の下で、本発明の第１１の実施例と同様の方法により、Ｗ：Ｌｄ＝１：１の条件の下で、複数の光源によって照明される撮像対象領域（Ａｉ）の全域にわたる照度分布のシミュレーションを行った。その結果、図２６と同様のグラフを得ることができた。この内、シミュレーションの結果による照度分布を示すグラフは、図２６の（ａ）のグラフと見分けがつかない程度に酷似しているので提示を省略し、照度分布と目標の照度分布との差分の拡大図のみを、図２９中の（１）の曲線に示す。【０２７３】
図２９中の（１）の曲線の両端付近が乱れて目標照度との差分が多く発生している理由は、実施例１２の理由と似たような理由で、位置Ｐｎ＋１から位置Ｐ２ｎ＋１までの光源が、位置Ｐ０から位置Ｐｎまでの光源の鏡像である虚光源であるので、撮像対象領域（Ａｉ）と光源までの距離を理想的な距離に設定できないためである。ただし、位置Ｐｎと位置Ｐｎ＋１の間における側面鏡の位置を若干Ｐｎ側に接近させたり、側面鏡の角度を微妙に変化させたり、適切に設定することによって、撮像対象領域（Ａｉ）の両端付近における照度分布をある程度制御することができる。
しかしながら、このままでも、図２９のグラフ（１）に示される差分の最大値は、±３％程度であり、図２６に示される差分の最大値の約２倍程度であるが、部品の精度や組み立ての精度の観点及び省エネルギーの観点のいずれからも殆ど問題とならない。（一次元ＣＣＤで光量を電気信号に変換した後の電気信号の増幅率を変えてその差分を補正しても、その増幅率の変更は小さく、ノイズの影響を受けることはない。）
次に、以上の考え方で照明装置化するための考え方を示す。【０２７４】
図３０は、複数の光源の各々から撮像領域（撮像対象領域）（Ａｉ）までの距離を調整することによって、撮像領域（Ａｉ）を照明する光の照度分布を１／ｃｏｓ４θの特性に一致させる照明装置を実現するための概念図である。図３０（ａ）は、その上面図であり、図３０（ｂ）は、その正面図である。なお、図３０に示す概念を装置化して第１走行体に搭載する方法は、前述の実施例１１の方法に準じており、当業者には容易に実施可能である。【０２７５】
図３１は、光源から放出される光の放射特性を変化させる方法の例を説明する図である。図３１は、図３０（ａ）に示す上面図の方向と同じ方向から見た図である。図３１においては、正面図は、省略するが、図３０（ｂ）と同様の構成を示す。【０２７６】
ここで、図３１の（１）に示すように、フードでもある凸レンズ（焦点距離ｆ０）の焦点の位置に発光源ＬＥＤを置く。また、その凸レンズと同じ焦点距離を有する凸シリンダレンズ（焦点距離ｆ１）を、凸レンズの前面に、凸レンズの光軸と凸シリンダレンズの光軸を一致させるように、配置する。このとき、その凸シリンダレンズの焦点位置に、発光源の放射特性と同様の放射特性を有する仮想の光源を形成することとができる。例えば、図２８（ｂ）の（１）のように、発光源の放射特性のエンペロープが円形である場合には、同じ円形のエンペロープの放射特性を有する仮想の光源を点Ｆに形成することができる。次に、この同じ円形のエンペロープの放射特性を有する発光源を用いて、凸シリンダレンズの焦点距離ｆ１を、凸レンズの焦点距離ｆ０よりも小さくすると、図３１の（２）に示すように、光軸の方向において偏平な楕円状のエンペロープの放射特性を有する仮想の光源を形成することができる。一方、ｆ１＞ｆ０である場合には、図３１の（３）に示すように、光軸の方向において鋭い楕円状のエンペロープの放射特性を有する仮想の光源を形成することができる。（ただし、現実にはフードレンズのサイズや臨界角の関係から図中の矢印の外側へ向かう光束は生じない）。【０２７７】
図３０（ａ）においては、凸レンズの形状及び凸シリンダレンズの形状の関係は、図３１の（１）、（２）及び（３）のいずれかであり、凸レンズ及び凸シリンダレンズは、主走査方向（Ｓｘ）に並べられる。図３０（ａ）においては、個々の発光源ＬＥＤから放出される光の光束は、凸レンズである対応するフードレンズによって、平行光にされた後に、凸シリンダレンズである照明レンズ（３）によって集光し、発散させられる。そして、本発明の第１２の実施例においては、撮像領域（Ａｉ）の中心線側に配置された凸シリンダレンズの焦点の位置（仮想の光源の位置）よりも撮像領域（Ａｉ）の周辺側に配置された凸シリンダレンズの焦点の位置（仮想の光源の位置）が、撮像領域（Ａｉ）に近いように、光源ＬＥＤ、凸レンズ、及び、凸シリンダレンズの組みを配置する。より具体的には、撮像領域（Ａｉ）と凸シリンダレンズの焦点の位置（仮想の光源の位置）との間の距離は、一次元ＣＣＤに結像レンズによって結像される画像の相対明度に比例し、前述の式Ｌ０×ｃｏｓ４θによって与えられる。なお、図３０（ａ）においては、光源の数は、１０個で示してあるが、シミュレーションでは、光源の数を２５個に設定した。【０２７８】
図３０（ｂ）においては、主走査方向（Ｓｘ）における中央部及び一方の端部の光源、凸レンズ、及び凸シリンダレンズの組みのみを記載しており、その他の光源、凸レンズ、及び凸シリンダレンズを、省略している。図３０（ｂ）に示すように、副走査方向（Ｓｙ）においては、個々の発光源ＬＥＤから放出された光の光束を、そのＬＥＤに対応する凸レンズであるフードレンズによって、平行光にした後、凸シリンダレンズである照明レンズ（３）を平行光として通過し、集束レンズ（４ａ）（又は集束ミラー）によって撮像領域（撮像対象領域）（Ａｉ）に集束させる。主走査方向（Ｓｘ）における中央部分と周辺部分との間で、撮像領域（Ａｉ）から光源までの距離は、変動するが、集束レンズ（４ａ）（又は集束ミラー）から撮像領域（Ａｉ）までの距離は、一定であるので、発光源ＬＥＤから放出された光の集束の程度は、主走査方向（Ｓｘ）における光源の位置によっては変動しない。言い換えれば、副走査方向（Ｓｙ）において、照明レンズ（３）から集束レンズ（４ａ）（又は集束ミラー）までの距離は、変動するが、光束は、照明レンズ（３）から集束レンズ（４ａ）（又は集束ミラー）までの間では平行光である。また、光束が集束する、集束レンズ（４ａ）（又は集束ミラー）から撮像領域（Ａｉ）までの距離が一定であるので、光の集束の程度は、変動しない。なお、集束レンズ（４ａ）（又は集束ミラー）を、必ずしも挿入する必要はない。すなわち、原稿の浮きを考慮する場合には、集束レンズ（４ａ）（又は集束ミラー）を用いないことが、好ましい。しかしながら、この場合においても、一次元ＣＣＤ上に結像される画像の相対明度を、一定にする目的を損ねることはない。
【実施例１３】
【０２７９】
本発明の第１３の実施例は、複数の光源から放出される光の放射特性を調整して撮像対象領域（Ａｉ）を照明する光の照度分布を１／ｃｏｓ４θの特性に一致させる例を示す。【０２８０】
図３２は、一次元ＣＣＤに結像される画像の相対明度が一定となるような、撮像対象領域を照明する複数の光源の具体的な配置を説明する図である。図３２（ａ）は、複数の光源の配置及び側面鏡を配置する鏡面の位置を示す図であり、図３２（ｂ）は、光源の放射特性の例を示す図である。【０２８１】
図３２における記号は、図２４における記号と同一であるが、主走査方向（Ｓｘ）における複数の光源の間隔及び複数の光源の各々から照明対象領域（撮像対象領域）（Ａｉ）までの距離は、一定である。即ち、図３２（ａ）においては、複数の光源の間隔ｗ１，ｗ２，…ｗｎは、一定であり、Ｗｈ／Ｎに等しい。言い換えれば、複数の光源の間隔ｗ１，ｗ２，…ｗｎは、主走査方向（Ｓｘ）における撮像対象領域（Ａｉ）の長さの半分ＷｈをＮ等分することによって与えられる。また、複数の光源の各々から照明対象領域（撮像対象領域）（Ａｉ）までの距離は、Ｌ０である。しかしながら、それぞれの光源から放出される光の放射特性は変化させている。【０２８２】
その変化のさせ方を説明する。即ち、光源が発する総光量は同じとして、照度を落とす領域では発光光束をより分散させ、照度を上げる領域では発光光束をあまり分散させないようにするのである。その光束の分散の程度を放射特性式ｃｏｓａαで近似できるが、その代表を図あるいは式で表すと、図３２（ｂ）に示すように積極的に分散させる場合は図３２（１）ａ＝１（ｃｏｓ０．５α）のように、分散の程度を抑える場合は図３２（３）ａ＝２（ｃｏｓ２α）のようになる。図３２（２）ａ＝１（ｃｏｓα）はその中間である。ここで重要なことは光源から放出される総光量が一定ならば、光の放射ベクトルのエンペロープで囲まれた面積はａが変化しても一定であることである。【０２８３】
ここで、撮像対象領域（Ａｉ）の任意の分割点（複数の光源のうちｋ番目の位置Ｐｋに対応する分割点）での目標照度の相対値を改めてＴｋとする。即ち目標値Ｔｋを、コサイン四乗則に従って、改めて【０２８４】
【数２１】
2008032588.tif 000023
【０２８５】
とする。ここで、θｋは、結像レンズの光軸に対する、結像レンズの中心と撮像対象領域（Ａｉ）上のｋ番目の分割点とを結ぶ直線の角度である。また、複数の光源のうちｋ番目の位置Ｐｋに配置される光源から放出される光の放射特性を、式【０２８６】
【数２２】
2008032588.tif 000024
【０２８７】
に従って、設定する。なお、式中、Ｔｋ２は、ｋ番目の位置Ｐｋにある光源から放出される光の放射ベクトルのうち、照明対象面（撮像領域）（Ａｉ）に対して鉛直方向のベクトルの強度であり、Ｂ（ｋ）は、ｋ番目の位置Ｐｋにある光源から放出される光の放射ベクトルの放射特性（エンベロープ）の形状を規定する関数であり、Ｂ（ｋ）＝ａ・Ｔｋｂで表される。ここで、ａは初期値（放射特性の形状の初期値）であり、ｂは形状係数（その形状の変化の程度を規定するパラメータ）である。すなわち、ｋ＝０に対して、位置Ｐ０にある光源から放出される光の放射特性の形状はＢ（ｋ＝０）＝ａであり、図３２（ｂ）に示すように、ａのみによって一意に決定される。【０２８８】
よって、複数の光源から放出される光によって照射される撮像対象領域（Ａｉ）における任意の点Ｍｍでの相対照度Ｉ（Ｍｍ）は、本発明の第１２の実施例と同様の考え方で、式【０２８９】
【数２３】
2008032588.tif 000025
【０２９０】
によって表される。【０２９１】
この式を用い、Ｎ＝１２、ａ＝０．５、ｂ＝３．１として、本発明の第１１の実施例と同様の方法で、複数の光源によって照明される撮像対象領域（Ａｉ）の全域にわたる照度分布を求めた結果、図２６と同様のグラフを得ることができた。そのうち、Ｗ：Ｌｄ＝１：１の条件の下で行ったシミュレーションの結果による照度分布と目標の照度分布との差分は、図２９のグラフ（２）のようなものであった。【０２９２】
図２９中の（２）の曲線の両端付近が乱れて目標照度との差分が多く発生している理由は、実施例１２の理由と似たような理由で、位置Ｐｎ＋１から位置Ｐ２ｎ＋１までの光源が、位置Ｐ０から位置Ｐｎまでの光源の鏡像である虚光源であるので、光源の光の放射特性を理想的な特性にしていないためである。ただし、位置Ｐｎと位置Ｐｎ＋１の間における側面鏡の位置を若干Ｐｎ側に接近させたり、側面鏡の角度を微妙に変化させたり、適切に設定することによって、撮像対象領域（Ａｉ）の両端付近における照度分布をある程度制御することができる。【０２９３】
しかしながら、このままでも、その差分の最大値は、±５％程度であり、図２９のグラフ（１）に示される差分の最大値よりも若干大きくなる。しかしながら、このような差分の最大値は、部品の精度や組み立ての精度の観点及び省エネルギーの観点のいずれからも殆ど問題とならない。（一次元ＣＣＤで光量を電気信号に変換した後の電気信号の増幅率を変えてその差分を補正しても、その増幅率の変更は小さく、ノイズの影響を受けることはほとんどない。）
次に、以上説明した複数の光源から放出される光の放射特性を調整することによって、撮像対象領域（Ａｉ）を照明する光の照度分布を１／ｃｏｓ４θの特性に一致させる照明装置を実現するための概念を示す。【０２９４】
図３３は、複数の光源から放出される光の放射特性を調整することによって、撮像領域（撮像対象領域）を照明する光の照度分布を１／ｃｏｓ４θの特性に一致させる照明装置を実現するための概念図である。図３３（ａ）は、その上面図であり、図３３（ｂ）は、その正面図である。【０２９５】
図３３（ａ）に示す図においては、主走査方向（Ｓｘ）に配置される複数の光源に対応する凸レンズの焦点距離は、一定であり、主走査方向（Ｓｘ）に配置された複数の光源に対応する照明レンズ（凸シリンダレンズ）（３）の焦点距離は、図３１に示すようにして、変化する。図３３（ａ）に示す照明装置の中央付近では、照明レンズの焦点位置に形成される仮想の光源の放射特性のエンベロープが、図３１の（２）に示すように、分散が強い偏平の楕円状になるように、相対的に短い焦点距離の照明レンズを用い、周辺に向かってその偏平度を少なくするように焦点距離を徐々に長くしていき、途中、図３３（１）のような円形に近いエンペロープとする照明レンズを用いるのを経て、その後は図３１の（３）に示すように、分散の少ない鋭い楕円状になるように、相対的に長い焦点距離の照明レンズを用いる。【０２９６】
即ち、照明レンズの焦点位置に形成される仮想の光源の放射特性の楕円状のエンベロープの形状は、前述の式Ｒｋ＝Ｔｋ２・ｃｏｓＢ（ｋ）αｋに従って変化させている。【０２９７】
また、照明レンズの焦点位置に形成される仮想の光源の放射特性の楕円状のエンベロープの形状が変動するように、照明レンズの焦点距離を変化させることによって、発光源から仮想光源までの距離も、照明装置の中央付近と周辺付近との間で変動する。それゆえ、仮想光源から照明対象面（撮像領域）（Ａｉ）までの距離を一定にするために、発光源ＬＥＤの位置を、照明装置の中央付近と周辺付近との間で、変動させている。なお、シミュレーションでは、光源の数を２５個にしたが、図３３（ａ）においては、光源の数を１０個で示してある。【０２９８】
図３３（ｂ）においては、主走査方向（Ｓｘ）における中央部及び一方の端部の光源、凸レンズ、及び凸シリンダレンズの組みのみを記載しており、その他の光源、凸レンズ、及び凸シリンダレンズを、省略している。図３３（ｂ）に示すように、副走査方向（Ｓｙ）においては、個々の発光源ＬＥＤから放出された光の光束を、そのＬＥＤに対応する凸レンズであるフードレンズによって、平行光にした後、凸シリンダレンズである照明レンズ（３）を平行光として通過し、集束レンズ（４ａ）（又は集束ミラー）によって撮像領域（Ａｉ）に集束させる。主走査方向（Ｓｘ）における中央部分と周辺部分との間で、撮像領域（Ａｉ）から光源までの距離は、変動するが、集束レンズ（４ａ）（又は集束ミラー）から撮像領域（Ａｉ）までの距離は、一定であるので、発光源ＬＥＤから放出された光の集束の程度は、主走査方向（Ｓｘ）における光源の位置によっては変動しない。言い換えれば、副走査方向（Ｓｙ）において、照明レンズから集束レンズ（４ａ）（又は集束ミラー）までの距離は、変動するが、光束は、照明レンズから集束レンズ（４ａ）（又は集束ミラー）までの間では平行光である。また、光束が集束する、集束レンズ（４ａ）（又は集束ミラー）から撮像領域（Ａｉ）までの距離が一定であるので、光の集束の程度は、変動しない。なお、集束レンズ（４ａ）（又は集束ミラー）を、必ずしも挿入する必要はない。すなわち、原稿の浮きを考慮する場合には、集束レンズ（４ａ）（又は集束ミラー）を用いないことが、好ましい。しかしながら、この場合においても、一次元ＣＣＤ上に結像される画像の明度を、一定にする目的を損ねることはない。
なお、以上述べた図３３に示す概念を装置化して第１走行体に搭載する方法は、前述の実施例１１の方法に準じており、当業者には容易に実施可能である。
【実施例１４】
【０２９９】
本発明の第１４の実施例は、撮像領域（撮像対象領域）（Ａｉ）を照明する光の照度分布を１／ｃｏｓ４θの特性に近似する照明装置の概念の一例を示す。【０３００】
図３４は、複数の光源の各々から撮像領域（Ａｉ）までの距離を調整することによって、撮像領域（Ａｉ）を照明する光の照度分布を１／ｃｏｓ４θの特性に近似する照明装置を実現するための概念図である。図３４（ａ）は、その上面図であり、図３４（ｂ）は、その正面図である。図３４（ｃ）は、１／ｃｏｓ４θの特性に近似された撮像領域を照明する光の照度分布の例を示す図である。【０３０１】
本発明の第１２の実施例において、複数の光源の各々から撮像領域（Ａｉ）までの距離を調整することによって、撮像領域（Ａｉ）を照明する光の照度分布を１／ｃｏｓ４θの特性により良好な精度で一致する照明装置の例を説明してきた。１／ｃｏｓ４θの特性を有するべきである撮像領域（Ａｉ）を照明する光の照度分布の精度を多少犠牲にすることによって、例えば、より容易に製造することが可能な構成を考えることができる。図３４に示す本発明の実施例による照明装置は、本発明の第１２の実施例に説明した照明装置よりもより容易に製造することが可能なものである。【０３０２】
まず、図３４（ｃ）に示すように、本発明の第１２の実施例における１／ｃｏｓ４θの特性を有する撮像領域（Ａｉ）での理想的な照度分布を与える、複数の光源の相対的な位置Ｌｋ／Ｌ０＝ｃｏｓ４θの曲線を、撮像領域（Ａｉ）の範囲で三分割（３Ｄｅｖ）する。そして、その曲線を三分割した位置における曲線上の点（Ｐｂ，Ｐｃ）を頂点とする台形（Ｐａ−Ｐｂ−Ｐｃ−Ｐｄ）に近似する。そして、その台形（に合同な台形）の各辺（Ｐａ−Ｐｂ、Ｐｂ−Ｐｃ、Ｐｃ−Ｐｄ）上に光源を配置するか、又は、その台形（に合同な台形）の各辺（Ｐａ−Ｐｂ、Ｐｂ−Ｐｃ、Ｐｃ−Ｐｄ）上に仮想光源が位置するように光源を配置する。なお、複数の光源の相対的な位置を示すｃｏｓ４θの曲線を台形に近似した場合、理想的な照度分布と近似の構成の照度分布との差異は、複数の光源の理想的なｃｏｓ４θの曲線上の位置と複数の光源の台形の辺上の位置との差異に基づくものにすぎず、非常に小さい。【０３０３】
図３４（ａ）は、複数の光源の各々から撮像領域（Ａｉ）までの距離を調整することによって、撮像領域（Ａｉ）を照明する光の目標の照度分布を台形の特性で近似させる照明装置の概念を示す。図３４（ａ）に示すように、例えば、台形の特性において撮像領域（Ａｉ）に対して平行な台形の辺の特性を与える光源は、光源又は仮想光源（ここでは、照明レンズ（３）の焦点）を、撮像領域（Ａｉ）に対して平行な台形の辺の上に位置するように、配置する。また、例えば、台形の特性において撮像領域（Ａｉ）に対して傾斜する辺の特性を与える光源は、光源又は仮想光源（ここでは、照明レンズ（３）の焦点）が、撮像領域（Ａｉ）に対して傾斜する辺と平行に位置するように配置され、シリンダレンズである照明レンズ（３）の撮像領域（Ａｉ）側にプリズム（７）を設ける。照明レンズ（３）よりも撮像領域（Ａｉ）側に設けられたプリズム（７）によって、光源又は仮想光源から延びる光軸がプリズム（７）で折り曲げられ、折り曲げられた光軸が、撮像領域（Ａｉ）に対して鉛直になるようにする。【０３０４】
図３４に示すような構成を採用することによって、光源を支持する基板として、平面板を用いることができ、照明装置の製造が、より容易になる。【０３０５】
図３４（ａ）及び（ｂ）においては、発光源ＬＥＤから放出される光束を平行光にするために回転放物面鏡を用いているが、砲弾型のフードレンズを用いてもよい。さらに、少し効率を犠牲にして図３４においては、１／ｃｏｓ４θの特性を有する撮像領域（Ａｉ）での理想的な照度分布を与える、複数の光源の相対的な位置の曲線ｃｏｓ４θを、撮像領域（Ａｉ）の範囲で三分割したが、更に効率を犠牲にして良いならば撮像領域（Ａｉ）の範囲で二分割してもよい。そして、複数の光源の相対的な位置の曲線を、その曲線を二分割した位置における曲線上の点を頂点とする三角形に近似してもよい。この場合には、複数の光源は、撮像領域（Ａｉ）に対して傾斜する辺にのみ配置されることになる。このように、撮像領域（Ａｉ）の範囲で二分割して複数の光源の相対的な位置の曲線を三角形に近似したとしても、撮像領域（Ａｉ）を均一に照明する場合と比較して、光源から放出される光の利用効率を大幅に向上させることができる。【０３０６】
同様に、本発明の第１３の実施例においても、１／ｃｏｓ４θの特性を有する撮像領域（Ａｉ）での理想的な照度分布を与える、複数の光源の相対的な位置の曲線を、撮像領域（Ａｉ）の範囲で多角形に近似することが可能である。例えば、本発明の第１３の実施例における１／ｃｏｓ４θの特性を有する撮像領域（Ａｉ）での理想的な照度分布を与える、複数の光源の相対的な位置の曲線を、本発明の第１２の実施例における近似の台形又は三角形の頂点の位置と撮像領域（Ａｉ）に平行な面に対して反対側の位置に頂点を有する台形又は三角形に近似してもよい。この場合には、光源を支持する基板として、平面板を用いることができ、照明装置の製造が、より容易となる。【０３０７】
加えて、図３４に示す照明装置において、発光源が、赤色（Ｒ）、緑色（Ｇ）、及び青色（Ｂ）のＬＥＤの組み合わせである場合、プリズムによる赤色光、緑色光、青色光の間に色収差が生じる。しかしながら、複数のプリズムを通過した赤色光、緑色光、及び青色光は、撮像領域（Ａｉ）で互いに重畳し、ほぼ白色光の照明を撮像領域（Ａｉ）に提供することになる。従って、実際上、プリズムによる色収差が問題になることは少ない。【０３０８】
なお、従来技術におけるほぼ一定の照度分布となっている撮像領域（Ａｉ）の中央部分の光束を捨てるということは、図３４（ｃ）に示す多くの光量（ハッチングの部分の光量）を捨てることになる。これに対して、本発明の第１４の実施例によれば、目標位置の曲線と台形の近似折れ線とで挟まれた部分のわずかな光量のみを捨てるだけである。それゆえ、本発明の第１４の実施例によれば、光量に対応する電気信号の電気的な補正は、わずかであり、電気信号に対するノイズの影響も従来技術よりも低減できる。
なお、以上述べた図３４に示す概念を装置化して第１走行体に搭載する方法も、前述の実施例１１の方法に準じており、当業者には容易に実施可能である。
【実施例１５】
【０３０９】
本発明の第１５の実施例は、複数の光源の各々から撮像領域（Ａｉ）までの距離の調整及び複数の光源から放出される光の放射特性の調整の両方によって、撮像領域を照明する光の照度分布を１／ｃｏｓ４θの特性に一致させる例を示す。【０３１０】
図３５は、一次元ＣＣＤに結像される画像の相対明度が一定となるような、撮像対象領域（Ａｉ）を照明する複数の光源の具体的な配置を説明する図である。図３５（ａ）は、複数の光源の配置及び側面鏡を配置する鏡面の位置を示す図であり、図３５（ｂ）は、光源の放射特性の例を示す図である。【０３１１】
図３５（ａ）に示す図においては、主走査方向（Ｓｘ）における複数の光源の間隔は、一定であるが、複数の光源の各々から照明対象領域（撮像対象領域）（Ａｉ）までの距離及び複数の光源から放出される光の放射特性を変化させる。図３５における記号の意味は、図２４における記号と同一であり、複数の光源の間隔ｗ１，ｗ２，…ｗｎは、一定で、Ｗｈ／Ｎに等しい。言い換えれば、複数の光源の間隔ｗ１，ｗ２，…ｗｎは、主走査方向（Ｓｘ）における撮像対象領域（Ａｉ）の長さの半分ＷｈをＮ等分することによって与えられる。【０３１２】
図３５（ａ）に示す図においては、撮像対象領域（Ａｉ）からｋ番目の光源の位置Ｐｋまでの距離Ｌ’ｋは、本発明の第１２の実施例中、式Ｌｋ＝Ｌ×ｃｏｓ４θｋで得られる値Ｌｋと撮像対象領域（Ａｉ）の中心線上に設けられた光源の位置Ｐ０から照明対象面（撮像領域（Ａｉ））までの距離Ｌ０との間の中間的な距離である。即ち、撮像対象領域（Ａｉ）からｋ番目の光源の位置Ｐｋまでの距離Ｌ’ｋは、【０３１３】
【数２４】
2008032588.tif 000026
【０３１４】
によって得られる距離となる。（ここで、θｋは、結像レンズの光軸に対する、結像レンズの中心と撮像対象領域（Ａｉ）上のｋ番目の分割点とを結ぶ直線の角度である。）
また、個々の光源が発する総光量は同じとして、照度を落とす領域では発光光束をより分散させ、照度を上げる領域では発光光束をあまり分散させないように光源から放出される光の放射特性（光源から放出される光の放射ベクトルの角度に対する放射ベクトルの強度）を変化させる。その変化の程度は、本発明の第１３の実施例における変化の程度の半分である。すなわち、【０３１５】
【数２５】
2008032588.tif 000027
【０３１６】
であり、式中のＢ（ｋ）の形状係数ｂは、本発明の第１３の実施例におけるｂの値の半分である。【０３１７】
このような条件の下で、複数の光源から放出される光によって照射される撮像対象領域（Ａｉ）における任意の点Ｍｍでの相対照度Ｉ（Ｍｍ）は、本発明の第１２の実施例と同様の考え方で、式【０３１８】
【数２６】
2008032588.tif 000028
【０３１９】
によって表される。【０３２０】
この式を用いて、本発明の第１１の実施例と同様の方法で、複数の光源によって照明される撮像対象領域（Ａｉ）の全域にわたる照度分布を求めた。Ｎ＝１２、ａ＝０．５、ｂ＝１．５５の条件の下でのシミュレーションの結果、図２６と同様のグラフを得ることができた。また、Ｗ：Ｌｄ＝１：１の条件の下で行った、複数の光源によって照明される撮像対象領域（Ａｉ）の全域にわたる照度分布のシミュレーションの結果による照度分布と目標の照度分布との差分は、図２９のグラフ（３）のようなものであった。【０３２１】
図２９中の（３）の曲線の両端付近が乱れて目標照度との差分が多く発生している理由は、実施例１２の理由と似たような理由で、位置Ｐｎ＋１から位置Ｐ２ｎ＋１までの光源が、位置Ｐ０から位置Ｐｎまでの光源の鏡像である虚光源であるので、撮像対象領域（Ａｉ）と光源までの距離や、光源の光の放射特性を理想的に設定できないためである。ただし、位置Ｐｎと位置Ｐｎ＋１の間における側面鏡の位置を若干Ｐｎ側に接近させたり、側面鏡の角度を微妙に変化させたり、適切に設定することによって、撮像対象領域（Ａｉ）の両端付近における照度分布をある程度制御することができる。【０３２２】
しかしながら、このままでも、その差分の最大値は、±２．５％程度であり、図２９のグラフ（１）及び（２）に示される差分の最大値よりも小さくなっている。また、図２６に示される差分の最大値よりも大きいが、このような差分の最大値は、部品の精度や組み立ての精度の観点及び省エネルギーの観点のいずれからも殆ど問題とならない。一次元ＣＣＤで光量を電気信号に変換した後の電気信号の増幅率を変えてその差分を補正しても、その増幅率の変化量は小さく、ノイズの影響を受けることはほとんどない。【０３２３】
次に、複数の光源の各々から撮像領域までの距離の調整及び複数の光源から放出される光の放射特性の調整の両方によって、撮像領域を照明する光の照度分布を１／ｃｏｓ４θの特性に一致させる照明装置化の概念を示す。【０３２４】
図３６は、複複数の光源の各々から撮像領域（Ａｉ）までの距離の調整及び複数の光源から放出される光の放射特性の調整の両方によって、撮像領域（Ａｉ）を照明する光の照度分布を１／ｃｏｓ４θの特性に一致させる照明装置を実現するための概念図である。図３６（ａ）は、その上面図であり、図３６（ｂ）は、その正面図である。【０３２５】
図３６（ａ）に示すように、撮像領域（撮像対象領域）（Ａｉ）における中心軸に沿った仮想光源と撮像領域（Ａｉ）との間の距離Ｌ０に対する仮想光源と撮像領域（Ａｉ）との間の距離Ｌ’ｋの比は、本発明の第１４の実施例で得られる値Ｌｋ／Ｌ０＝ｃｏｓ４θｋの平方根、すなわち、Ｌ’ｋ／Ｌ０＝ｃｏｓ２θｋである。【０３２６】
図３６（ａ）に示す図においては、主走査方向（Ｓｘ）に配置される複数の光源に対応する凸レンズの焦点距離は、一定であり、主走査方向（Ｓｘ）に配置された複数の光源に対応する照明レンズ（凸シリンダレンズ）（３）の焦点距離は、図３６に示すようにして、変化する。図３６（ａ）に示す照明装置の中央付近では、照明レンズの焦点位置に形成される仮想の光源の放射特性のエンベロープが、図３１の（２）に示すように、分散が強い偏平の楕円状になるように、相対的に短い焦点距離の照明レンズを用い、周辺に向かってその偏平度を少なくするように焦点距離を徐々に長くしていき、途中、図３３（１）のような円形に近いエンペロープとする照明レンズを用いるのを経て、その後は図３１の（３）に示すように、分散の少ない鋭い楕円状になるように、相対的に長い焦点距離の照明レンズを用いる。【０３２７】
即ち、照明レンズの焦点位置に形成される仮想の光源の放射特性の楕円状のエンベロープの形状は、前述の式Ｒ’ｋ＝Ｔｋ・ｃｏｓＢ（ｋ）αｋに従って変化させている。【０３２８】
図３６に示す概念で照明装置化する場合においては、各光源の位置から照明対象面（撮像領域）（Ａｉ）までの距離が一定であるように、各光源を配置することができるので、基板としての平面板に光源を設けることができる。その結果、照明装置をより容易に製造することができる。なお、光源の数を２５個に設定してシミュレーションしたが、図３６（ａ）においては、光源の数は、１０個で示してある。【０３２９】
図３６（ｂ）に示すように、副走査方向（Ｓｙ）においては、個々の発光源ＬＥＤから放出された光の光束を、そのＬＥＤに対応する凸レンズであるフードレンズによって、平行光にした後、凸シリンダレンズである照明レンズを平行光として通過し、集束レンズ（４ａ）（又は集束ミラー）によって撮像対象領域（Ａｉ）に集束させる。なお、集束レンズ（４ａ）（又は集束ミラー）を、必ずしも挿入する必要はない。すなわち、原稿の浮きを考慮する場合には、集束レンズ（又は集束ミラー）を用いないことが、好ましい。しかしながら、この場合においても、一次元ＣＣＤ上に結像される画像の明度を、一定にする目的を損ねることはない。
なお、以上述べた図３６に示す概念を装置化して第１走行体に搭載する方法は、前述の実施例１１の方法に準じており、当業者には容易に実施可能である。
【実施例１６】
【０３３０】
本発明の第１６の実施例は、複数の光源から放出される光の照明光軸の角度を調整して撮像領域を照明する光の照度分布を１／ｃｏｓ４θの特性に一致させる例を示す。【０３３１】
図３７は、一次元ＣＣＤに結像される画像の相対明度が一定となるような、撮像対象領域（Ａｉ）を照明する複数の光源の具体的な配置を説明する図である。図３７は、図２３における撮像対象面の左側の拡大図に相当する。図３７における記号は、図３２における記号に対応するものである。【０３３２】
図３７に示すように、本発明の第１６の実施例では、撮像対象領域（Ａｉ）における照度分布が、１／ｃｏｓ４θの特性を有するように、複数の光源の個々の照明光軸の角度を調整する。【０３３３】
前述の実施例１１〜１５において説明してきたのと同様に、照明対象領域（Ａｉ）からＬ０だけ離れた且つ照明対象領域（Ａｉ）と平行な場所をＮ分割することによって得られた各分割点に点光源を置き、各分割点の位置を、それぞれ、Ｐ０，Ｐ１，…Ｐｎとする。更に、その外側ＰＭ１の位置に鏡面（側面鏡）が配置している。この鏡面は、撮像対象領域（Ａｉ）の範囲を分割した点に対応した光源配置位置上に置いた複数の光源から放出される光束を反射させて、あたかもその延長線上に光源があるかのように照明対象領域（Ａｉ）の範囲を照射させている。ここで分割点Ｐｎ，…，Ｐ１，Ｐ０の位置に対応した側面鏡によって得られる虚像（虚光源ＶＬＳ）の位置を、それぞれ、Ｐｎ＋１，Ｐｎ＋２，…，Ｐ２ｎ＋１とする。そして、本発明の第１６の実施例においては、位置Ｐｋに位置した光源から放出される光の照明光軸を、照明対象面（撮像領域）（Ａｉ）の鉛直方向に対して角度βｋだけ傾斜させる（位置Ｐｋにおける光源の光軸の角度がβｋである）。【０３３４】
今、照明対象領域（Ａｉ）から各光源までの距離Ｌ０よりも遠くに離れた（その距離をＬ００とする）照射対象領域の中心線ＣＬ上に任意の点Ｐ００を置いたとき、その任意の点Ｐ００から照明対象領域の両端に向けて結ばれる直線が中心線ＣＬとなす角度をβ００とする。このとき、中心線ＣＬからその角度β００の範囲内に含まれる位置Ｐｋにおける光源の照明光軸の角度βｋは、点Ｐ００からその光源の位置Ｐｋに向けて結ばれる直線が、撮像対象領域（Ａｉ）の中心線ＣＬとなす角度であるとする。一方、撮像対象領域（Ａｉ）の中心線ＣＬから、その角度β００までの範囲外に位置する光源の照明光軸の角度βｋは、全て、その光源の位置と撮像対象領域（Ａｉ）の最端部とを結ぶ直線が、撮像対象領域（Ａｉ）の中心線ＣＬとなす角度であるとする。即ち、撮像対象領域（Ａｉ）の中心線ＣＬに対する、位置Ｐｋにおける光源の照明光軸の角度は、βｋであるので、β０，β１，…，βｋ，…，βｎである。【０３３５】
ここで、撮像対象領域（Ａｉ）の中心線ＣＬから角度β００までの光源位置Ｐｋに対する照明光軸の角度βｋはｋ＝０（β０＝０）から始まり、ｋが大きくなるに従って大きくなるが、角度β００を超える光源位置Ｐｋに対する照明光軸の角度βｋはｋが大きくなるに従って小さくなっていき、ＰｋがＰｎとなったとき角度βｎ＝０となる。また、言い換えると、角度β００以上に位置するＰｋの光源の光軸はＰｎまで撮像対象領域（Ａｉ）の最端部に向くことになる。
また、位置Ｐｎ＋１，Ｐｎ＋２，…，Ｐ２ｎ＋１における虚光源の位置及び照明光軸の向きを制御することは困難であるが、位置Ｐ０，Ｐ１，…Ｐｎに配置された光源から放出される光の多くを照射対象面に照射するためには、側面鏡（平面鏡）の鏡面を、位置Ｐｎの光源にできる限り近づける（平面鏡である側面鏡が位置Ｐｎの光源に接触するまで、側面鏡を位置Ｐｎの光源に近づける。）ことが好ましい。【０３３６】
なお、位置Ｐｎの光源の外側に設けられる側面鏡と対をなす側面鏡ＰＭ２が、撮像対象領域（Ａｉ）の中心線に対して上半分の領域にも設けられ、位置Ｐｎの光源の外側に設けられる側面鏡とは、互いに平行に配置される。このため、側面鏡の対によって、虚光源の鏡像である無限の数の虚光源が生じるが、この内、側面鏡で２回以上の反射で生ずる虚光源は、照明対象領域（Ａｉ）からかなり離れた位置に生じる。このため、撮像対象領域（Ａｉ）における照度分布に対する虚光源の鏡像による寄与率は、著しく小さく、無視してもなんら差し支えない。【０３３７】
次に、複数の光源によって照明される撮像対象領域（Ａｉ）のある任意の点Ｍｍにおける相対照度Ｉ（Ｍｍ）を求めることにする。照明対象領域（撮像対象領域）（Ａｉ）に対する鉛直線と、光源から点Ｍｍに向かって放出される光の放射ベクトルの角度をαとすると、光源から照明対象領域（Ａｉ）までの距離が、Ｌ０であるので、ある一つの光源から点Ｍｍまでの距離は、Ｌ０／ｃｏｓαとなる。そして、副走査方向（Ｓｙ）においては光源から放出される光の光束が発散しないことを前提とすると、各光源から放出される光によって照明される照明対象領域（Ａｉ）の点Ｍｍにおける光の強度は、各光源から点Ｍｍまでの距離Ｌ０／ｃｏｓαに逆比例する。さらに、その同一点Ｍｍでの面の傾きによる受ける光束の減少度はｃｏｓαとなる。【０３３８】
一方、図２４（ｂ）に示すように、照明対象領域（撮像対象領域）（Ａｉ）に対する鉛直線と角度αをなす放射ベクトルの方向に光源から放出される光の強度は、光源から放出される光の放射ベクトルの分布（エンベロープ）に依存する。現実のＬＥＤなどの光源の放射ベクトル分布（エンペロープ）は複雑な形を成しているが、計算の都合上円形ないしは楕円状で近似する。例えば、図２４の（１）に示すように、光源から放出される光の放射ベクトルのエンベロープが円形に近似できる場合には、光源の照明光軸に対して角度αをなす放射ベクトルの方向に光源から放出される光の強度は、ｃｏｓαだけ減少する。光源から放出される光の放射ベクトルのエンベロープが、楕円状に近似できる場合には、照明対象領域（撮像対象領域）（Ａｉ）に対する鉛直線と角度αをなす放射ベクトルの方向に光源から放出される光の強度の減少度は、その放射ベクトルのエンベロープの形状により、図２４の（２）に示すようなｃｏｓ２α、図２４の（３）に示すようなｃｏｓ４α等のように近似することが可能である。【０３３９】
従って、複数の光源によって照明される照明対象領域（Ａｉ）のある任意の点Ｍｍにおける相対照度Ｉ（Ｍｍ）は、【０３４０】
【数２７】
2008032588.tif 000029
【０３４１】
によって表される。ここで、Ａｋは、ｋ番目の光源が放出する光の総光量の相対値であり、αｋは、照明対象領域（Ａｉ）の鉛直線に対する点Ｍｍに向かうｋ番目の光源の放射ベクトルの角度である。また、ａは、その光源の放射ベクトルのエンベロープを近似する係数である。例えば、図２４（ｂ）の（１）に示すように、光源の放射ベクトルのエンベロープが、円形に近い場合には、ａ＝１であり、光源の放射ベクトルのエンベロープが、楕円状に近い場合には、ａ＞１であり、図２４（ｂ）の（２）及び（３）に示すように、光源の放射ベクトルのエンベロープの形状に依存して、例えば、ａ＝２及びａ＝３である。また、光源の放射ベクトルのエンベロープが偏平していればａ＜１に近似できる。【０３４２】
特に、本発明の第１６の実施例においては、位置Ｐｋに配置された光源から放出されて且つ照明対象領域（Ａｉ）の点Ｍｍに到達する光源の放射ベクトルは、照明対象領域（Ａｉ）の鉛直線に対する位置Ｐｋと点Ｍｍを結ぶ直線の角度がαｋであるが、照明対象領域（Ａｉ）の鉛直線に対して、位置Ｐｋに配置された光源の照明光軸がβｋだけ傾斜しているため、位置Ｐｋに配置された光源の照明光軸に対して角度αｋ−βｋをなす放射ベクトルの光である。【０３４３】
このようにして、照明対象領域（Ａｉ）の中心線（ＣＬ）から下半分に配置した光源の全体によって照明される照明対象領域（Ａｉ）の全域にわたる照度分布を算出することができる。また、得られた照度分布を中心線（ＣＬ）に対して対称に反転させれば、照明対象領域（Ａｉ）の中心線（ＣＬ）から上半分に配置した光源の全体によって照明される照明対象領域（Ａｉ）の全域にわたる照度分布を得ることができる。そして、照明対象領域（Ａｉ）の中心線（ＣＬ）から下半分に配置した光源の全体によって照明される照明対象領域（Ａｉ）の全域にわたる照度分布と、照明対象領域（Ａｉ）の中心線（ＣＬ）から上半分に配置した光源の全体によって照明される照明対象領域（Ａｉ）の全域にわたる照度分布とを加算すれば、全部の光源によって照明される照明対象領域（Ａｉ）の全域にわたる照度分布を得ることができる（ただし、この計算をする場合、Ｐ０上に置いた光源から発する光束は中心線（ＣＬ）から下半分を計算する場合と、上半分を計算する場合の両者で用いるので、その光源の相対強度Ａ０を、その以外の位置に置いた光源の相対強度の１／２として計算する必要がある）。【０３４４】
そこで、このようなモデルで得られる相対照度を、
Ｗ：Ｌｄ＝１：１．５；
Ｌ００＝２×Ｌ０；
Ｎ＝１２；及び
ａ＝２
の条件の下で、照明対象領域（Ａｉ）の全域にわたって計算する。【０３４５】
図３８は、本発明の第１６の実際例における相対照度と目標の照度分布との差分についてのシミュレーション結果を示す図である。【０３４６】
本発明の第２１の実施例に示す構成を備えた照明装置について、本発明の第１２の実施例と同様の方法で、複数の光源によって照明される撮像対象領域（Ａｉ）の全域にわたる照度分布を求めた。その結果、図２５と同様のグラフを得ることができた。図３８は、複数の光源によって照明される撮像対象領域（Ａｉ）の全域にわたる照度分布と目標の照度分布との差分の拡大図のみを示す。図３８は、撮像対象領域（Ａｉ）のいずれの位置においても、得られた照度分布と目標の照度分布との差分を、撮像対象領域（Ａｉ）の周辺部の照度が撮像対象領域（Ａｉ）の中央部の照度より大きくなるように、表示したものである。図３８のグラフにおいては、撮像対象領域（Ａｉ）の最端部における照度と撮像対象領域（Ａｉ）の中央部とがほとんど一致しており、図３８のグラフに示される差分の最大値は、撮像対象領域（Ａｉ）におけるその最端部から１５％程度内側の位置で＋８％強である。しかしながら、従来技術のように撮像対象領域（Ａｉ）を均一に照明した場合には、撮像対象領域（Ａｉ）の中央部分で捨てる光量の割合が、２３％であるため、撮像対象領域（Ａｉ）を均一に照明する場合と比較すると、光源から放出される光の利用効率を大幅に向上させることができる。また、この程度の差異ならば一次元ＣＣＤで光量を電気信号に変換した後の電気信号の増幅率を変えてその差分を補正しても、その増幅率の変化率は小さく、ノイズの影響を受けることはほとんどない。【０３４７】
次に、複数の光源から放出される光の照明光軸の角度を調整することによって、撮像領域（Ａｉ）を照明する光の照度分布を１／ｃｏｓ４θの特性に一致させる照明装置化の概念を示す。【０３４８】
図３９は、複数の光源から放出される光の照明光軸の角度を調整することによって、撮像領域（Ａｉ）を照明する光の照度分布を１／ｃｏｓ４θの特性に一致させる照明装置を実現するための概念図である。図３９（ａ）は、その上面図であり、図３９（ｂ）は、その正面図である。【０３４９】
図３９に示す照明装置においては、シミュレーションを前提とする図３７に示す照明装置の構成よりも目標の照度分布を得ることを容易にするためのいくつかの事項を変更している。【０３５０】
図３９に示す図においては、光源ＬＥＤ及び凸レンズは、図３１に示すような仮想光源を形成する。また、照明対象領域（撮像領域）（Ａｉ）の中心線に対して光源の照明光軸を傾斜させる手段としては、図３４に示したもの同様に、凸シリンダレンズの照明レンズ（３）の直後に配置したプリズムを用いることができる。図３７において複数の光源の間隔は等しいが、図３９に示す照明装置においても、複数の光源それら自体の間隔は等しい。しかしながら、仮想光源の位置は、光軸の照明光軸が傾斜すると共に、光源の照明光軸から変位している。光源の照明光軸に対する仮想光源の位置の変位量については、撮像領域（Ａｉ）の中心線（センターライン：ＣＬ）と撮像領域（Ａｉ）の中心線上のある点と撮像領域（Ａｉ）の端部を結ぶ直線（エッジライン：ＥＬ）との間の領域に含まれる仮想光源の間隔は、仮想光源の位置が端部に近いほど、大きくなる。一方、撮像領域（Ａｉ）のエッジラインの外側の領域に含まれる仮想光源の間隔は、仮想光源の位置が端部に近いほど、小さくなる。よって、シミュレーションを行った、図３７に示される照明装置と同じ照明装置を得るためには、厳密には仮想光源の位置の変位に対応して光源の位置を変位させる必要があるが、実際には、仮想光源の位置の変位は、あまり大きな問題とならない。【０３５１】
また、エッジラインＥＬの内側の領域に含まれる照明レンズ（３）の放射特性は、ａ＝２、即ち、ｃｏｓ２αであり、エッジラインＥＬの外側の領域に含まれる照明レンズ（３）の放射特性は、ａ＝４、即ち、ｃｏｓ４αである。エッジラインＥＬの内側における照明レンズ（３）の放射特性を相対的に発散型にして、撮像領域（Ａｉ）の中央部分における照度を相対的に減少させると共に、エッジラインＥＬの外側における照明レンズ（３）の放射特性を相対的に収束型にして、撮像領域（Ａｉ）の周辺部分における照度を相対的に増加させる。その結果、図３８に示される差分のピークの大きさを低減することができる。さらに、撮像領域（Ａｉ）の中央付近における照明レンズ（３）の放射特性をａ＝１即ちｃｏｓαに設計するなど、本実施例の構成に他の実施例の構成を組み合わせることによって、図３８に示される差分のピークの大きさを、より低減することができる。【０３５２】
本発明の第１１〜１６の実施例として典型的な構成を説明してきたが、本発明の第１１〜１６の実施例に記載された構成の組み合わせ、変形、及び一部の変更をすることは可能である。例えば、照明装置の製造の都合によって、複数のＬＥＤを一体のユニットに統合したり、シリンダレンズアレイ及び／又はプリズムアレイを用いたり、シリンダレンズの光軸をシフトさせたり、部品の単価をより低減することも可能となる。また、集光レンズをフードレンズとして示した例についても、集光レンズを、ＬＥＤとは独立に設けることもできる。【０３５３】
また、光源に対して仮想光源を形成する手段として、発光源ＬＥＤからの光束を、概略平行光にした後、凸シリンダレンズで主走査方向（Ｓｘ）においてのみ、凸シリンダレンズの焦点の位置に、一旦集束させることによって、仮想光源を形成することを説明してきた。しかしながら、凸シリンダレンズを凹シリンダレンズに取り替えても、同様に、光源から仮想光源を形成することができる。【０３５４】
図４０は、凹シリンダレンズを用いて光源から仮想光源ＶＬＳを形成することを説明する図である。図４０（ａ）は、凹シリンダレンズを用いる光学系の上面図であり、図４０（ｂ）は、凹シリンダレンズを用いる光学系の正面図である。図４９に示すように、発光光源ＬＥＤから放出される光の光束を、凸レンズを用いて概略平行光にした後、凹シリンダレンズによって、主走査方向（Ｓｘ）にのみ、発散させることができる。このとき、光源に対する仮想光源の位置は、図４９に示すように、凹シリンダレンズ（焦点距離ｆ１）の焦点に形成される。すなわち、凹シリンダレンズを用いることによって、凹シリンダレンズよりも光源の側に仮想光源ＶＬＳを位置させることができる（凸シリンダレンズを用いる場合には、凹シリンダレンズよりも撮像領域（Ａｉ）側に仮想光源が形成される）。このため、凹シリンダレンズの焦点距離ｆ１を適宜選択することによって、照明装置をより小型化することが可能となる。【０３５５】
また、光源には出来るだけ小さな体積で発光するものを用いるのが望ましいのでＬＥＤ（発光ダイオード）が適している。赤（Ｒ）、緑（Ｇ）、青（Ｂ）などの単色光を単体で発光体としたものだけでなく、それらの複数を一体で封入して白色光としたものや、白色ＬＥＤのように青色ＬＥＤや、紫色ＬＥＤなどの発光光束を蛍光体に当てて白色光を得るようなものも本発明の装置に適用できる。また、ネオン管や、小型高圧水銀灯などの放電灯や、小さく球状にしたフィラメント電球なども、適用可能である。【０３５６】
最後に、本発明の実施形態及び実施例に用いることができる、主要な光学部品の形態を説明する。【０３５７】
図４１及び図４２は、本発明の実施形態及び実施例に用いることができる光学部品を説明する図である。【０３５８】
図４１（ａ）は、第一のシリンダレンズアレイの例を示す図である。図４１（ａ）に示すような第一のシリンダレンズアレイは、互いに隣接して配置された複数の凸のシリンダレンズで構成され、本発明の実施形態及び実施例においては、照明レンズとして使用され得る。【０３５９】
図４１（ｂ）は、第二のシリンダレンズアレイの例を示す図である。図４１（ｂ）に示すような第一のシリンダレンズアレイは、互いに隣接して配置された複数の凹のシリンダレンズで構成され、本発明の実施形態及び実施例においては、照明レンズとして使用され得る。【０３６０】
図４１（ｃ）は、第一のシリンダレンズの例を示す図である。図４１（ｃ）に示すような第一のシリンダレンズは、平凸の断面を有し、本発明の実施形態及び実施例においては、集束レンズとして使用され得る。【０３６１】
図４１（ｄ）は、第二のシリンダレンズの例を示す図である。図４１（ｄ）に示すような第二のシリンダレンズは、両凸の断面を有し、本発明の実施形態及び実施例においては、集束レンズとして使用され得る。【０３６２】
図４１（ｅ）は、放物面鏡又は楕円面鏡の例を示す図である。図４１（ｅ）に示すような放物面鏡又は楕円面鏡は、ある一つの方向において、放物面又は楕円面の断面を有し、且つ、その方向と垂直な方向には、平行平面の断面を有するミラーである。図４１（ｅ）に示すような放物面鏡又は楕円面鏡は、本発明の実施形態及び実施例においては、集束ミラーとして使用され得る。図４１（ｅ）に示すような放物面鏡又は楕円面鏡の形状は、光輝アルミ薄板を用いて、容易に形成されるので、図４１（ｅ）に示すような放物面鏡又は楕円面鏡を製造するコストを、低減することができる。【０３６３】
図４１（ｆ）は、平面鏡の例を示す図である。図４１（ｆ）に示すような平面鏡は、本発明の実施形態及び実施例においては、変向ミラー及び折り返しミラーとして使用され得る。ここで、図４１（ｆ）に示すような平面鏡を、変向ミラーとして用いる場合には、画像情報を備えた光を反射させるために、図４１（ｆ）に示すような平面鏡は、ガラスの一面を鏡面とした平面鏡であることが好ましい。また、図４１（ｆ）に示すような平面鏡を、折り返しミラーとして用いる場合には、図４１（ｆ）に示すような平面鏡は、光輝アルミ板を用いて製造された平面鏡であってもよい。【０３６４】
図４２（ａ）は、凸シリンダレンズを示す図である。図４２（ａ）に示すような凸シリンダレンズは、本発明の実施形態及び実施例においては、照明レンズとして使用され得る。【０３６５】
図４２（ｂ）は、凹シリンダレンズを示す図である。図４２（ａ）に示すような凹シリンダレンズは、本発明の実施形態及び実施例においては、照明レンズとして使用され得る。【０３６６】
図４２（ｃ）は、プリズムを示す図である。図４２（ｃ）に示すようなプリズムは、本発明の実施形態及び実施例においては、照明光軸を折り曲げる（偏向させる）光学素子として使用され得る。【０３６７】
以上、本発明の実施の形態及び実施例を具体的に説明してきたが、本発明は、これらの実施の形態及び実施例に限定されるものではなく、これら本発明の実施の形態及び実施例を、本発明の主旨及び範囲を逸脱することなく、変更又は変形することができる。
【図１】
2008032588.tif 000030
【図２】
2008032588.tif 000031
【図３】
2008032588.tif 000032
【図４】
2008032588.tif 000033
【図５】
2008032588.tif 000034
【図６】
2008032588.tif 000035
【図７】
2008032588.tif 000036
【図８】
2008032588.tif 000037
【図９】
2008032588.tif 000038
【図１０】
2008032588.tif 000039
【図１１】
2008032588.tif 000040
【図１２】
2008032588.tif 000041
【図１３】
2008032588.tif 000042
【図１４】
2008032588.tif 000043
【図１５】
2008032588.tif 000044
【図１６】
2008032588.tif 000045
【図１７】
2008032588.tif 000046
【図１８】
2008032588.tif 000047
【図１９】
2008032588.tif 000048
【図２０】
2008032588.tif 000049
【図２１】
2008032588.tif 000050
【図２２】
2008032588.tif 000051
【図２３】
2008032588.tif 000052
【図２４】
2008032588.tif 000053
【図２５】
2008032588.tif 000054
【図２６】
2008032588.tif 000055
【図２７】
2008032588.tif 000056
【図２８】
2008032588.tif 000057
【図２９】
2008032588.tif 000058
【図３０】
2008032588.tif 000059
【図３１】
2008032588.tif 000060
【図３２】
2008032588.tif 000061
【図３３】
2008032588.tif 000062
【図３４】
2008032588.tif 000063
【図３５】
2008032588.tif 000064
【図３６】
2008032588.tif 000065
【図３７】
2008032588.tif 000066
【図３８】
2008032588.tif 000067
【図３９】
2008032588.tif 000068
【図４０】
2008032588.tif 000069
【図４１】
2008032588.tif 000070
【図４２】
2008032588.tif 000071
【手続補正書】
【提出日】平成21年3月4日(2009.3.4)
【手続補正１】
【補正対象書類名】特許請求の範囲
【補正対象項目名】全文
【補正方法】変更
【補正の内容】
【特許請求の範囲】
【請求項１】
第一の方向に配置された複数の光源から放出される光を原稿面上で重畳させて原稿を照明する原稿照明装置において、
前記複数の光源から放出される光を前記第一の方向と垂直な第二の方向において平行光にさせる光学部材と、
前記複数の光源から放出される光を前記第一の方向において隣接する光源の間隔の二倍以上に拡散させて原稿面上で重畳させる前記光学部材とは別の光学部材と、
を有することを特徴とする原稿照明装置。
【請求項２】
第一の方向に配置された複数の光源から放出される光を原稿面上で重畳させて原稿を照明し、照明された原稿の画像を読み取る画像読取装置において、
前記複数の光源から放出される光を前記第一の方向と垂直な第二の方向において平行光にさせる光学部材と、
前記複数の光源から放出される光を前記第一の方向において隣接する光源の間隔の二倍以上に拡散させて原稿面上で重畳させる前記光学部材とは別の光学部材と、
を有することを特徴とする画像読取装置。
【請求項３】
第一の方向に配置された複数の光源から放出される光を原稿面上で重畳させ、
前記複数の光源から放出される光を前記第一の方向と垂直な第二の方向では光学部材により平行光にさせ、
前記複数の光源から放出される光を前記光学部材とは別の光学部材により前記第一の方向では隣接する光源の間隔の二倍以上に拡散させて原稿面上で重畳させる原稿照明装置を含み、
該原稿照明装置によって照明された原稿から散乱又は反射された光を結像させる結像光学系、並びに、該結像光学系によって結像させた画像を撮像する撮像素子を含む、
画像読取装置において、
前記複数の光源及び前記光学部材とは別の光学部材は、原稿面における第一の方向の照明分布特性が、前記撮像素子に結像される画像の明度の分布特性と逆であるように配置されていることを特徴とする画像読取装置。
【手続補正３】
【補正対象書類名】明細書
【補正対象項目名】０００１
【補正方法】変更
【補正の内容】
【０００１】
本発明は、原稿照明装置、及び画像読取装置に関する。
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】変更
【補正の内容】
【００２３】
本発明の第一の目的は、光源から放出される光でより高い効率で原稿を照明することが可能な原稿照明装置を提供することである。
【手続補正６】
【補正対象書類名】明細書
【補正対象項目名】００２４
【補正方法】変更
【補正の内容】
【００２４】
本発明の第二の目的は、光源から放出される光でより高い効率で原稿を照明することが可能な原稿照明装置によって照明された該原稿の画像を読み取る画像読取装置を提供することである。
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】変更
【補正の内容】
【００２６】
本発明の第一の態様は、光源から放出される光で原稿を照明する原稿照明装置において、少なくとも第一の方向に配置された複数の光源、及び、該複数の光源から放出される光を重畳させて、該重畳された光で原稿を照明すると共に、該複数の光源から放出される光の光束を、該第一の方向において、該複数の光源における相互に隣接する光源の間の間隔の二倍以上に拡散させて原稿面を照射すようにした光学系を含むことを特徴とする原稿照明装置である。
【手続補正９】
【補正対象書類名】明細書
【補正対象項目名】００２７
【補正方法】変更
【補正の内容】
【００２７】
本発明の第二の態様は、光源から放出される光で原稿を照明する原稿照明装置を含むと共に該原稿照明装置によって照明された該原稿の画像を読み取る画像読取装置において、該原稿照明装置は、少なくとも第一の方向に配置された複数の光源、及び、該複数の光源から放出される光を重畳させて、該重畳された光で原稿を照明すると共に、該複数の光源から放出される光の光束を、該第一の方向において、該複数の光源における相互に隣接する光源の間の間隔の二倍以上に拡散させる光学系を含むことを特徴とする画像読取装置である。
【手続補正１０】
【補正対象書類名】明細書
【補正対象項目名】００２８
【補正方法】変更
【補正の内容】
【００２８】
本発明の第三の態様は、第一の方向に配置された複数の光源、及び、該複数の光源から放出される光を重畳させて、該重畳された光で原稿を照明すると共に、該複数の光源から放出される光の光束を、該第一の方向において、該複数の光源における相互に隣接する光源の間の間隔以上に拡散させる照明光学系を含む原稿照明装置と、該原稿照明装置によって照明された原稿から散乱又は反射された画像を結像させる結像光学系、並びに、該結像光学系によって結像された光を撮像する撮像素子とを含む、原稿の画像を読み取る画像読取装置において、前記複数の光源は、原稿面における該原稿を照明する光の照度分布特性が、前記撮像素子に前記結像光学系によって結像される画像の明度の分布特性と逆であるように、配置されることを特徴とする画像読取装置である。
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】変更
【補正の内容】
【００３０】
本発明の第一の態様によれば、光源から放出される光でより高い効率で原稿を照明することが可能な原稿照明装置を提供することができる。
【手続補正１３】
【補正対象書類名】明細書
【補正対象項目名】００３１
【補正方法】変更
【補正の内容】
【００３１】
本発明の第二の態様によれば、光源から放出される光でより高い効率で原稿を照明することが可能な原稿照明装置によって照明された該原稿の画像を読み取る画像読取装置を提供することができる。
【手続補正１４】
【補正対象書類名】明細書
【補正対象項目名】００３２
【補正方法】削除
【補正の内容】
【手続補正１５】
【補正対象書類名】明細書
【補正対象項目名】００３６
【補正方法】変更
【補正の内容】
【００３６】
本発明の実施形態は、照明装置、及び、それを用いた画像読取装置に関する。本発明の実施形態は、例えば、複写機又はファクシミリの原稿面を照射する照明装置、デジタルＰＰＣ（普通紙複写機）などに搭載される固体撮像素子、結像レンズ、及び照明装置を搭載した（フィルムスキャナ及びハンディスキャナのような）画像読取装置とそのための照明装置に関する。
【手続補正１６】
【補正対象書類名】明細書
【補正対象項目名】００３７
【補正方法】削除
【補正の内容】
【手続補正１７】
【補正対象書類名】明細書
【補正対象項目名】００３８
【補正方法】削除
【補正の内容】
【手続補正１８】
【補正対象書類名】明細書
【補正対象項目名】００３９
【補正方法】変更
【補正の内容】
【００３９】
本発明の第一の実施形態は、発光手段、発光手段から発生した光によって照明された原稿面からの散乱光を撮像素子に結像させる結像手段、原稿面の画像における一次元画像を読み取る読取手段、及び、一次元画像に沿った方向（主走査方向）と直角な方向（副走査方向）に読取手段の読み取り位置を順次移動させる移動手段を用いて原稿面の画像を読み取る、画像読取装置用の照明装置において、少なくとも一次元画像に沿った方向（主走査方向）に対応する方向に配置された複数の発光手段、及び、複数の発光手段から発生した光の光束を、原稿面の一次元画像に沿った方向において、隣接する発光手段の間隔の二倍以上の範囲に拡散させる光拡散手段を有することを特徴とする画像読取装置用の照明装置である。
【手続補正１９】
【補正対象書類名】明細書
【補正対象項目名】００４０
【補正方法】変更
【補正の内容】
【００４０】
本発明の第一の実施形態において、好ましくは、少なくとも一次元画像に沿った方向（主走査方向）に対応する方向に配置された複数の発光手段を挟むように、一対の反射鏡が、平行に配置される。
【手続補正２０】
【補正対象書類名】明細書
【補正対象項目名】００４１
【補正方法】変更
【補正の内容】
【００４１】
本発明の第一の実施形態において、好ましくは、光拡散手段は、シリンダレンズ（又はシリンドリカルレンズ）である。
【手続補正２１】
【補正対象書類名】明細書
【補正対象項目名】００４２
【補正方法】変更
【補正の内容】
【００４２】
本発明の第一の実施形態において、好ましくは、複数の発光手段の各々における光源の位置が焦点の位置である放物面鏡が、複数の発光手段の各々に対応するように配置される。
【手続補正２２】
【補正対象書類名】明細書
【補正対象項目名】００４３
【補正方法】変更
【補正の内容】
【００４３】
本発明の第一の実施形態において、好ましくは、複数の発光手段の各々における光源の位置が一つの焦点の位置である楕円面鏡が、複数の発光手段の各々に対応するように配置される。
【手続補正２３】
【補正対象書類名】明細書
【補正対象項目名】００４４
【補正方法】変更
【補正の内容】
【００４４】
本発明の第一の実施形態において、好ましくは、複数の発光手段の各々に対応する凸レンズが配置される。
【手続補正２４】
【補正対象書類名】明細書
【補正対象項目名】００４５
【補正方法】変更
【補正の内容】
【００４５】
本発明の第一の実施形態において、好ましくは、複数の光源から放出される光の光束の少なくとも一部を、原稿面の一次元画像に沿った方向（主走査方向）と直角な方向（副走査方向）において、概略集束させる光集束手段が配置される。
【手続補正２５】
【補正対象書類名】明細書
【補正対象項目名】００４６
【補正方法】変更
【補正の内容】
【００４６】
本発明の第一の実施形態において、好ましくは、発光手段は、発光ダイオード（ＬＥＤ）である。
【手続補正２６】
【補正対象書類名】明細書
【補正対象項目名】００４７
【補正方法】変更
【補正の内容】
【００４７】
本発明の第二の実施形態は、光源からの光によって照明された原稿面からの散乱光を結像レンズによって撮像素子に結像させて、原稿面の画像における画像読み取り位置での一次元画像を読み取り、原稿面の画像読み取り位置を、一次元画像を読み取る方向（主走査方向）と直角な方向（副走査方向）に順次移動させると共に一次元画像の読み取りを繰り返すことによって、原稿面の画像における二次元の画像を読み取る、画像読取装置において、少なくとも一次元画像に沿った方向（主走査方向）に対応する方向に配置された複数の光源、及び、複数の光源に対応するように配置され、複数の光源から放出される光の光束を、原稿面の一次元画像に沿った方向において、隣接する光源の間隔の二倍以上の範囲に拡散させ、且つ、原稿面に重畳させる複数のレンズ（照明レンズ）を有することを特徴とする画像読取装置である。
【手続補正２７】
【補正対象書類名】明細書
【補正対象項目名】００４８
【補正方法】変更
【補正の内容】
【００４８】
本発明の第三の実施形態は、光源からの光によって照明された原稿面からの散乱光を結像レンズによって撮像素子に結像させて、原稿面の画像における画像形成対象位置での一次元画像を読み取り、原稿面の画像形成対象位置を、一次元画像を読み取る方向（主走査方向）と直角な方向（副走査方向）に順次移動させると共に一次元画像の読み取りを繰り返すことによって、原稿面の画像における二次元の画像を読み取る、画像読取装置において、本発明の第三の実施形態である照明装置を有することを特徴とする画像読取装置である。
【手続補正２８】
【補正対象書類名】明細書
【補正対象項目名】００４９
【補正方法】変更
【補正の内容】
【００４９】
本発明の第四の実施形態は、光源からの光によって照明された原稿面からの散乱光を結像レンズによって撮像素子に結像させて、原稿面の画像における画像形成対象位置での一次元画像を読み取り、原稿面の画像形成対象位置を、一次元画像を読み取る方向（主走査方向）と直角な方向（副走査方向）に順次移動させると共に一次元画像の読み取りを繰り返すことによって、原稿面の画像における二次元の画像を読み取る、画像読取装置において、少なくとも一次元画像に沿った方向（主走査方向）に対応する方向に配置された複数の光源、及び、複数の光源に対応するように配置され、複数の光源から放出される光の光束を、原稿面の一次元画像に沿った方向において、隣接する光源の間隔以上の範囲に拡散させ、且つ、原稿面に重畳させる複数のレンズ（照明レンズ）を有することを特徴とする画像読取装置において、複数の光源は、画像形成対象位置での原稿面における原稿面を照明する光の照度の分布特性が、撮像素子に結像レンズによって結像される画像の明度の分布特性と概略逆であるように、配置されることを特徴とする画像読取装置である。
【手続補正２９】
【補正対象書類名】明細書
【補正対象項目名】００５０
【補正方法】変更
【補正の内容】
【００５０】
本発明の第四の実施形態である画像読取装置又は本発明の第四の実施形態である画像読取装置用の照明装置において、好ましくは、複数の光源の間の間隔は、画像形成対象位置での原稿面における原稿面を照明する光の照度の分布特性が、撮像素子に結像レンズによって結像される画像の明度の分布特性と概略逆であるように、設定される。
【手続補正３０】
【補正対象書類名】明細書
【補正対象項目名】００５１
【補正方法】変更
【補正の内容】
【００５１】
本発明の第四の実施形態である画像読取装置又は本発明の第四の実施形態である画像読取装置用の照明装置において、好ましくは、原稿面からの複数の光源までの距離は、画像形成対象位置での原稿面における原稿面を照明する光の照度の分布特性が、撮像素子に結像レンズによって結像される画像の明度の分布特性と概略逆であるように、設定される。
【手続補正３１】
【補正対象書類名】明細書
【補正対象項目名】００５２
【補正方法】変更
【補正の内容】
【００５２】
本発明の第四の実施形態である画像読取装置又は本発明の第四の実施形態である画像読取装置用の照明装置において、好ましくは、複数の光源から放出される光の光束の発散角は、画像形成対象位置での原稿面における原稿面を照明する光の照度の分布特性が、撮像素子に結像レンズによって結像される画像の明度の分布特性と概略逆であるように、設定される。
【手続補正３２】
【補正対象書類名】明細書
【補正対象項目名】００５３
【補正方法】変更
【補正の内容】
【００５３】
本発明の第四の実施形態である画像読取装置又は本発明の第四の実施形態である画像読取装置用の照明装置において、複数の光源の光軸の向きは、画像形成対象位置での原稿面における原稿面を照明する光の照度の分布特性が、撮像素子に結像レンズによって結像される画像の明度の分布特性と概略逆であるように、設定される。
【手続補正３３】
【補正対象書類名】明細書
【補正対象項目名】００５５
【補正方法】変更
【補正の内容】
【００５５】
また、本発明の第四の実施形態である画像読取装置又は本発明の第四の実施形態である画像読取装置用の照明装置においては、複数の光源の間の間隔、原稿面からの複数の光源までの距離、複数の光源から放出される光の光束の発散角、及び、複数の光源の光軸の向きの少なくとも二つのものの組み合わせ（例えば、原稿面からの複数の光源までの距離及び複数の光源から放出される光の光束の発散角）を、画像形成対象位置での原稿面における原稿面を照明する光の照度の分布特性が、撮像素子に結像レンズによって結像される画像の明度の分布特性と概略逆であるように、設定してもよい。
【手続補正３４】
【補正対象書類名】明細書
【補正対象項目名】００６７
【補正方法】変更
【補正の内容】
【００６７】
［実施例］
次に、本発明の実施形態に従った実施例を説明する。本発明の実施形態による照明装置は、従来の（原稿面の画像を直接感光体に投影して感光体に潜像を形成し、黒色トナー又はカラートナーによって潜像を現像して、可視画像を得る）アナログ複写機にも使用することできるが、本発明の実施例においては、ディジタル複写機又は一般にスキャナと呼ばれる画像読取装置に用いられる、照明装置を説明することにする。
【手続補正３５】
【補正対象書類名】明細書
【補正対象項目名】００６８
【補正方法】変更
【補正の内容】
【００６８】
図５は、本発明の第一の実施例による照明装置の例を説明する図である。図５（ａ）は、本発明の第一の実施例による照明装置の例の上面図であり、図５（ｂ）は、本発明の第一の実施例による照明装置の例の正面図である。また、図５（ｃ）は、本発明の第一の実施例による照明装置の例によって得られる照明対象面（撮像領域）（Ａｉ）上での主走査方向（Ｓｘ）の照度分布を示す図であり、図５（ｄ）は、本発明の第一の実施例による照明装置の例によって得られる照明対象面（撮像領域）（Ａｉ）上での副走査方向の照度分布を示す図である。
【手続補正３６】
【補正対象書類名】明細書
【補正対象項目名】００８５
【補正方法】変更
【補正の内容】
【００８５】
によって、表される。本発明の第一の実施例による照明装置においては、主走査方向（Ｓｘ）におけるＬＥＤ（１）の一つから放出された光の光束の幅の拡大率Ｑ、すなわち、相互に隣接するＬＥＤ（１）の間隔の大きさに対する照明対象面（撮像領域）（Ａｉ）での光束の幅Ｍの比は、二倍以上である。なお、図５においては、Ｑは、約６．５程度である。
【手続補正３７】
【補正対象書類名】明細書
【補正対象項目名】００８９
【補正方法】変更
【補正の内容】
【００８９】
本発明の第一の実施例による照明装置においては、照明対象面（撮像領域）（Ａｉ）上の任意の一点は、上述したＱの値の小数点以下の数字を切り捨てた数の個数のＬＥＤ又は上述したＱの値の小数点以下の数字を切り上げた数の個数（図５においては、６個又は７個である）のＬＥＤから放出される光で照明されることになる。その結果、照明対象面（撮像領域）（Ａｉ）上の照度分布は、より均一な（より平坦な）ものとなる（Ｔｏｔａｌ＿Ｄｉとした概念を示す）。
【手続補正３８】
【補正対象書類名】明細書
【補正対象項目名】００９８
【補正方法】変更
【補正の内容】
【００９８】
図６（ｃ）及び（ｄ）に示す照明装置においては、図６（ａ）及び（ｂ）に示す集束レンズ（４ａ）に代えて、集束ミラー（４ｂ）を用いている。集束ミラー（４ｂ）は、副走査方向（Ｓｙ）においては、撮像領域（Ａｉ）に焦点を有する放物面鏡であり、主走査方向（Ｓｘ）においては、集束機能を有さない反射面であるようなミラーである。また、集束ミラー（４ｂ）は、図６（ａ）及び（ｂ）に示す折り返しミラー（６）の機能を兼ね備えることができるため、照明装置の構成部品の数を低減すると共に、コンタクトガラス（１３）に垂直な方向における画像読取装置の大きさを、低減することができる。なお、読取光軸（ＡｘＲ）の折り曲げ方向は、図６における左右の方向のいずれでもよい。
【手続補正３９】
【補正対象書類名】明細書
【補正対象項目名】０１４７
【補正方法】変更
【補正の内容】
【０１４７】
図１５は、本発明の第五の実施例による照明装置の例を説明する図である。  図１５（ａ）は、本発明の第五の実施例による照明装置の例の上面図であり、図１５（ｂ）は、本発明の第五の実施例による照明装置の例の正面図である。また、図５（ｃ）は、本発明の第五の実施例による照明装置の例によって得られる照明対象面（撮像領域）（Ａｉ）上での主走査方向（Ｓｘ）の照度分布（Ｅａｃｈ＿Ｄｉ）（Ｔｏｔａｌ＿Ｄｉ）を示す図であり、図５（ｄ）は、本発明の第五の実施例による照明装置の例によって得られる照明対象面（撮像領域）（Ａｉ）上での副走査方向（Ｓｙ）の照度分布を示す図である。
【手続補正４０】
【補正対象書類名】明細書
【補正対象項目名】０１６３
【補正方法】変更
【補正の内容】
【０１６３】
図１６は、本発明の第六の実施例による照明方法及び画像読取装置の例を説明する図である。  図１６（ａ）は、本発明の第六の実施例による画像読取装置の例の上面図であり、図１６（ｂ）は、本発明の第六の実施例による画像読取装置の例の正面図である。また、図１６（ｃ）は、本発明の第六の実施例による照明装置の例によって得られる照明対象面（撮像領域）上での副走査方向の照度分布を示す図である。
【手続補正４１】
【補正対象書類名】明細書
【補正対象項目名】０１８２
【補正方法】変更
【補正の内容】
【０１８２】
図１７は、本発明の第七の実施例による照明装置の一つの例を説明する図である。図１７（ａ）は、本発明の第七の実施例による照明装置の一つの例の斜視図であり、図１７（ｂ）は、本発明の第七の実施例による画像読取装置の一つの例の正面図であり、図１７（ｃ）は、本発明の第七の実施例による画像読取装置の例の一つの側面図である。また、図１７（ｄ）は、本発明の第七の実施例による照明装置の例の一つによって得られる照明対象面（撮像領域）上での主走査方向の照度分布を示す図である。
【手続補正４２】
【補正対象書類名】明細書
【補正対象項目名】０２０４
【補正方法】変更
【補正の内容】
【０２０４】
本発明の第一〜第九の実施例においては、撮像素子で画像を読み取る縮小光学系又はディジタル画像読取装置に搭載するための照明装置及び照明方法を説明してきた。しかしながら、本発明の第一〜第九の実施例に示すような照明装置を、等倍光学系又はアナログ複写機に搭載するための照明装置としても使用可能である。
【手続補正４３】
【補正対象書類名】明細書
【補正対象項目名】０２０７
【補正方法】変更
【補正の内容】
【０２０７】
このように、アナログ複写機においても、本発明の実施形態による照明装置を使用して、照度むらを軽減することができるので、高品質な画像を得ることができる。
【手続補正４４】
【補正対象書類名】明細書
【補正対象項目名】０２６１
【補正方法】変更
【補正の内容】
【０２６１】
また、本発明の第１〜９の実施例において、主走査方向（Ｓｘ）に配置された複数の光源の間隔を、上述したようなシミュレーションの結果に従って、変更してもよい。
【手続補正書】
【提出日】平成21年6月4日(2009.6.4)
【手続補正１】
【補正対象書類名】特許請求の範囲
【補正対象項目名】全文
【補正方法】変更
【補正の内容】
【特許請求の範囲】
【請求項１】
第一の方向に配置された複数の光源から放出される光を原稿面上で重畳させて原稿を照明する原稿照明装置において、
前記複数の光源から放出される光を前記第一の方向と垂直な第二の方向において平行光にするための２つの焦点を有しかつ該２つの焦点の一方である第一焦点に前記光源の発光面が配置されしかも該２つの焦点の他方である第二焦点に前記原稿面が配置されている回転楕円面鏡からなる第一光学部材と、
前記複数の光源から放出される光を前記第一の方向において隣接する光源の間隔の二倍以上に拡散させて原稿面上で重畳させる前記第一光学部材とは別の第二光学部材と、を有することを特徴とする原稿照明装置。
【請求項２】
第一の方向に配置された複数の光源から放出される光を原稿面上で重畳させて原稿を照明し、照明された原稿の画像を読み取る画像読取装置において、
前記複数の光源から放出される光を前記第一の方向と垂直な第二の方向において平行光にするための２つの焦点を有しかつ該２つの焦点の一方である第一焦点に前記光源の発光面が配置されしかも該２つの焦点の他方である第二焦点に前記原稿面が配置されている回転楕円面鏡からなる第一光学部材と、
前記複数の光源から放出される光を前記第一の方向において隣接する光源の間隔の二倍以上に拡散させて原稿面上で重畳させる前記第一光学部材とは別の第二光学部材と、を有することを特徴とする画像読取装置。
【請求項３】
第一の方向に配置された複数の光源から放出される光を原稿面上で重畳させ、前記複数の光源から放出される光を前記第一の方向と垂直な第二の方向では２つの焦点を有しかつ該２つの焦点の一方である第一焦点に前記光源の発光面が配置されしかも該２つの焦点の他方である第二焦点に前記原稿面が配置されている回転楕円面鏡からなる第一光学部材により平行光にさせ、前記複数の光源から放出される光を前記第一光学部材とは別の第二光学部材により前記第一の方向では隣接する光源の間隔の二倍以上に拡散させて原稿面上で重畳させる原稿照明装置を含み、
該原稿照明装置によって照明された原稿から散乱又は反射された光を結像させる結像光学系、並びに、該結像光学系によって結像させた画像を撮像する撮像素子を含む画像読取装置であって、
前記複数の光源及び第二光学部材は、原稿面における第一の方向の照明分布特性が、前記撮像素子に結像される画像の明度の分布特性と逆であるように配置されていることを特徴とする画像読取装置。
【手続補正２】
【補正対象書類名】明細書
【補正対象項目名】００２６
【補正方法】変更
【補正の内容】
【００２６】
本発明の第一の態様は、第一の方向に配置された複数の光源から放出される光を原稿面上で重畳させて原稿を照明する原稿照明装置において、
前記複数の光源から放出される光を前記第一の方向と垂直な第二の方向において平行光にするための２つの焦点を有しかつ該２つの焦点の一方である第一焦点に前記光源の発光面が配置されしかも該２つの焦点の他方である第二焦点に前記原稿面が配置されている回転楕円面鏡からなる第一光学部材と、
前記複数の光源から放出される光を前記第一の方向において隣接する光源の間隔の二倍以上に拡散させて原稿面上で重畳させる前記第一光学部材とは別の第二光学部材と、を有することを特徴とする原稿照明装置である。
【手続補正３】
【補正対象書類名】明細書
【補正対象項目名】００２７
【補正方法】変更
【補正の内容】
【００２７】
本発明の第二の態様は、第一の方向に配置された複数の光源から放出される光を原稿面上で重畳させて原稿を照明し、照明された原稿の画像を読み取る画像読取装置において、
前記複数の光源から放出される光を前記第一の方向と垂直な第二の方向において平行光にするための２つの焦点を有しかつ該２つの焦点の一方である第一焦点に前記光源の発光面が配置されしかも該２つの焦点の他方である第二焦点に前記原稿面が配置されている回転楕円面鏡からなる第一光学部材と、
前記複数の光源から放出される光を前記第一の方向において隣接する光源の間隔の二倍以上に拡散させて原稿面上で重畳させる前記第一光学部材とは別の第二光学部材と、を有することを特徴とする画像読取装置である。
【手続補正４】
【補正対象書類名】明細書
【補正対象項目名】００２８
【補正方法】変更
【補正の内容】
【００２８】
本発明の第三の態様は、第一の方向に配置された複数の光源から放出される光を原稿面上で重畳させ、前記複数の光源から放出される光を前記第一の方向と垂直な第二の方向では２つの焦点を有しかつ該２つの焦点の一方である第一焦点に前記光源の発光面が配置されしかも該２つの焦点の他方である第二焦点に前記原稿面が配置されている回転楕円面鏡からなる第一光学部材により平行光にさせ、前記複数の光源から放出される光を前記第一光学部材とは別の第二光学部材により前記第一の方向では隣接する光源の間隔の二倍以上に拡散させて原稿面上で重畳させる原稿照明装置を含み、
該原稿照明装置によって照明された原稿から散乱又は反射された光を結像させる結像光学系、並びに、該結像光学系によって結像させた画像を撮像する撮像素子を含む画像読取装置であって、
前記複数の光源及び第二光学部材は、原稿面における第一の方向の照明分布特性が、前記撮像素子に結像される画像の明度の分布特性と逆であるように配置されていることを特徴とする画像読取装置である。
【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
第一の方向に配置された複数の光源から放出される光を原稿面上で重畳させて原稿を照明する原稿照明装置において、
前記複数の光源から放出される光を前記第一の方向と垂直な第二の方向において平行光にするための、２つの焦点を有しかつ該２つの焦点の一方である第一焦点に前記光源の発光面が配置されしかも該２つの焦点の他方である第二焦点に前記原稿面が配置されている回転楕円面鏡からなり、前記複数の光源ごとに設けられた第一光学部材と、
前記複数の光源から放出される光を前記第一の方向において隣接する光源の間隔の二倍以上に拡散させて原稿面上で重畳させる前記第一光学部材とは別の第二光学部材と、を有することを特徴とする原稿照明装置。
【請求項２】
第一の方向に配置された複数の光源から放出される光を原稿面上で重畳させて原稿を照明し、照明された原稿の画像を読み取る画像読取装置において、
前記複数の光源から放出される光を前記第一の方向と垂直な第二の方向において平行光にするための、２つの焦点を有しかつ該２つの焦点の一方である第一焦点に前記光源の発光面が配置されしかも該２つの焦点の他方である第二焦点に前記原稿面が配置されている回転楕円面鏡からなり、前記複数の光源ごとに設けられた第一光学部材と、
前記複数の光源から放出される光を前記第一の方向において隣接する光源の間隔の二倍以上に拡散させて原稿面上で重畳させる前記第一光学部材とは別の第二光学部材と、を有することを特徴とする画像読取装置。
【請求項３】
第一の方向に配置された複数の光源から放出される光を原稿面上で重畳させ、前記複数の光源から放出される光を前記第一の方向と垂直な第二の方向では、２つの焦点を有しかつ該２つの焦点の一方である第一焦点に前記光源の発光面が配置されしかも該２つの焦点の他方である第二焦点に前記原稿面が配置されている回転楕円面鏡からなり、前記複数の光源ごとに設けられた第一光学部材により平行光にさせ、前記複数の光源から放出される光を前記第一光学部材とは別の第二光学部材により前記第一の方向では隣接する光源の間隔の二倍以上に拡散させて原稿面上で重畳させる原稿照明装置を含み、
該原稿照明装置によって照明された原稿から散乱又は反射された光を結像させる結像光学系、並びに、該結像光学系によって結像させた画像を撮像する撮像素子を含む画像読取装置であって、
前記複数の光源及び第二光学部材は、原稿面における第一の方向の照明分布特性が、前記撮像素子に結像される画像の明度の分布特性と逆であるように配置されていることを特徴とする画像読取装置。
【手続補正２】
【補正対象書類名】明細書
【補正対象項目名】００２６
【補正方法】変更
【補正の内容】
【００２６】
本発明の第一の態様は、第一の方向に配置された複数の光源から放出される光を原稿面上で重畳させて原稿を照明する原稿照明装置において、
前記複数の光源から放出される光を前記第一の方向と垂直な第二の方向において平行光にするための、２つの焦点を有しかつ該２つの焦点の一方である第一焦点に前記光源の発光面が配置されしかも該２つの焦点の他方である第二焦点に前記原稿面が配置されている回転楕円面鏡からなり、前記複数の光源ごとに設けられた第一光学部材と、
前記複数の光源から放出される光を前記第一の方向において隣接する光源の間隔の二倍以上に拡散させて原稿面上で重畳させる前記第一光学部材とは別の第二光学部材と、を有することを特徴とする原稿照明装置である。
【手続補正３】
【補正対象書類名】明細書
【補正対象項目名】００２７
【補正方法】変更
【補正の内容】
【００２７】
本発明の第二の態様は、第一の方向に配置された複数の光源から放出される光を原稿面上で重畳させて原稿を照明し、照明された原稿の画像を読み取る画像読取装置において、
前記複数の光源から放出される光を前記第一の方向と垂直な第二の方向において平行光にするための、２つの焦点を有しかつ該２つの焦点の一方である第一焦点に前記光源の発光面が配置されしかも該２つの焦点の他方である第二焦点に前記原稿面が配置されている回転楕円面鏡からなり、前記複数の光源ごとに設けられた第一光学部材と、
前記複数の光源から放出される光を前記第一の方向において隣接する光源の間隔の二倍以上に拡散させて原稿面上で重畳させる前記第一光学部材とは別の第二光学部材と、を有することを特徴とする画像読取装置である。
【手続補正４】
【補正対象書類名】明細書
【補正対象項目名】００２８
【補正方法】変更
【補正の内容】
【００２８】
本発明の第三の態様は、第一の方向に配置された複数の光源から放出される光を原稿面上で重畳させ、前記複数の光源から放出される光を前記第一の方向と垂直な第二の方向では、２つの焦点を有しかつ該２つの焦点の一方である第一焦点に前記光源の発光面が配置されしかも該２つの焦点の他方である第二焦点に前記原稿面が配置されている回転楕円面鏡からなり、前記複数の光源ごとに設けられた第一光学部材により平行光にさせ、前記複数の光源から放出される光を前記第一光学部材とは別の第二光学部材により前記第一の方向では隣接する光源の間隔の二倍以上に拡散させて原稿面上で重畳させる原稿照明装置を含み、
該原稿照明装置によって照明された原稿から散乱又は反射された光を結像させる結像光学系、並びに、該結像光学系によって結像させた画像を撮像する撮像素子を含む画像読取装置であって、
前記複数の光源及び第二光学部材は、原稿面における第一の方向の照明分布特性が、前記撮像素子に結像される画像の明度の分布特性と逆であるように配置されていることを特徴とする画像読取装置である。
【国際調査報告】
2008032588.tif 000072
2008032588.tif 000073
2008032588.tif 000074
2008032588.tif 000075
2008032588.tif 000076